(57)【要約】  頭蓋に装着された植込み型医療装置の電源を再充電する際に用いるための装置、システムおよび技法が記載される。１つの例において、ウェアラブル医療装置は、患者の頭部の頭皮の少なくとも一部分を覆うように構成される可撓性本体を含む。固定部材は可撓性本体に接続され、患者の頭皮に対し可撓性本体を安定させるように頭部の外周の周りに延びるように構成される。固定部材は、可撓性本体の或る場所に装着し、可撓性本体を、頭蓋に装着可能な植込み型医療装置の植込み型電源を再充電するように構成される再充電コイルに結合するように構成される。【選択図】図４Ａ
2020512857.tif 000002
【特許請求の範囲】
【請求項１】
患者の頭部の頭皮の左前象限、左後象限、右後象限および右前象限の各々の少なくとも一部分を覆うように構成される可撓性本体と、
前記可撓性本体に接続された固定部材であって、前記頭部の外周の周りに延び、前記患者の前記頭皮に対し前記可撓性本体を安定させるように構成される、固定部材と、
前記可撓性本体の或る場所に装着するように構成される定着部材であって、前記可撓性本体を、頭蓋に装着可能な植込み型医療装置の植込み型電源を再充電するように構成される再充電コイルに結合するように構成される、定着部材と、
を備える、ウェアラブル医療システム。
【請求項２】
前記可撓性本体または前記固定部材のうちの少なくとも一方に固定された外部電源と、
前記可撓性本体の第１の表面に取外し可能に固定された前記再充電コイルであって、前記頭蓋に装着可能な植込み型医療装置の前記植込み型電源を再充電するために前記電源からエネルギーを伝送するように構成される、再充電コイルと、
前記外部電源を前記再充電コイルに結合するケーブルと、
を更に備える、請求項１に記載のウェアラブル医療システム。
【請求項３】
前記定着部材は第１の定着部材であり、
前記場所は第１の場所であり、
前記再充電コイルは第１の再充電コイルであり、
前記植込み型電源は第１の植込み型電源であり、
前記頭蓋に装着可能な植込み型医療装置は第１の頭蓋に装着された植込み型医療装置であり、ウェアラブル医療システムは、
前記可撓性本体の第２の場所に装着するように構成される第２の定着部材であって、前記可撓性本体を、第２の頭蓋に装着可能な植込み型医療装置の第２の植込み型電源を再充電するように構成される第２の再充電コイルに結合するように構成される、第２の定着部材を更に備える、請求項１または２のいずれかに記載のウェアラブル医療システム。
【請求項４】
前記可撓性本体または前記固定部材のうちの少なくとも一方に固定された外部電源と、
前記可撓性本体の第１の表面に取外し可能に固定された前記第１の再充電コイルであって、前記第１の頭蓋に装着可能な植込み型医療装置の前記第１の植込み型電源を再充電するために前記電源からエネルギーを伝送するように構成される、前記第１の再充電コイルと、
前記可撓性本体の第２の表面に取外し可能に固定された前記第２の再充電コイルであって、前記第２の頭蓋に装着可能な植込み型医療装置の前記第２の植込み型電源を再充電するために前記電源からエネルギーを伝送するように構成される、前記第２の再充電コイルと、
前記外部電源を前記第１および第２の再充電コイルに結合するように構成される１つまたは複数のケーブルと、
を更に備える、請求項３に記載のウェアラブル医療システム。
【請求項５】
前記第１の再充電コイルおよび前記第２の再充電コイルは、前記第１の頭蓋に装着可能な植込み型医療装置の前記植込み型電源、および前記第２の頭蓋に装着可能な植込み型医療装置の前記第２の植込み型電源の双方を再充電するために前記電源からエネルギーを同時に伝送するように構成される、請求項３および４のいずれかに記載のウェアラブル医療システム。
【請求項６】
前記第１の定着部材は、前記第１の再充電コイルが、前記第１の定着部材に結合されるときに、前記第１の頭蓋に装着可能な植込み型医療システムの第１の植込み型再充電コイルと位置合わせされるように、前記第１の場所に隣接した第３の場所において前記可撓性本体の第１の表面に固定され、
前記第２の定着部材は、前記第２の再充電コイルが、前記第２の定着部材に結合されるときに、前記第２の頭蓋に装着可能な植込み型医療システムの第２の植込み型再充電コイルと位置合わせされるように、前記第２の場所に隣接した第４の場所において前記可撓性本体の第１の表面に固定される、請求項３〜５のいずれか一項に記載のウェアラブル医療システム。
【請求項７】
前記可撓性本体は、複数の場所を特定するマップを備え、
前記第１の場所および前記第２の場所は共に、前記複数の場所内であり、
前記第１の再充電コイルは、前記第１の場所を特定する第１の特定を含み、
前記第２の再充電コイルは、前記第２の場所を特定する第２の特定を含む、請求項３〜６のいずれか一項に記載のウェアラブル医療システム。
【請求項８】
前記固定部材は、前記可撓性本体よりも相対的に剛体であるバンドを含む、請求項１〜７のいずれか一項に記載のウェアラブル医療システム。
【請求項９】
前記可撓性本体から径方向に外側に延びるように構成されるひさしを更に備え、前記ひさしは前記左前象限および前記右前象限の少なくとも一部分に沿って前記可撓性本体に接続される、請求項１〜８のいずれか一項に記載のウェアラブル医療システム。
【請求項１０】
前記可撓性本体は、前記固定部材間で前記可撓性本体を横切って実質的に直線状に延びることによって前記頭皮の少なくとも一部分を覆うときに、前記可撓性本体の形状を固定するように構成される少なくとも２つの継ぎ目を含み、前記少なくとも２つの継ぎ目のうちの第１の継ぎ目は、前記左前象限から前記右後象限まで延び、前記少なくとも２つの継ぎ目のうちの第２の継ぎ目は、前記右前象限から前記左後象限まで延びる、請求項１〜９のいずれか一項に記載のウェアラブル医療システム。
【請求項１１】
前記電源は、前記左後象限および前記右後象限に隣接した前記固定部材に前記電源を取り付けるように構成される取付け機構を備える、請求項１〜１０のいずれか一項に記載のウェアラブル医療システム。
【請求項１２】
前記外部電源を収容するように構成される湾曲したハウジングを更に備え、前記湾曲したハウジングは、前記頭皮とインターフェースするように構成される第１の主面と、前記湾曲したハウジングの、前記第１の主面の反対側にある第２の主面とを画定し、前記第１の主面および前記第２の主面は、前記患者の前記頭部の後部の湾曲を近似する、実質的に類似した湾曲を画定する、請求項１〜１１のいずれか一項に記載のウェアラブル医療システム。
【請求項１３】
前記再充電コイルを収容するように構成される湾曲した容器を更に備え、前記湾曲した容器は、前記患者の前記頭皮の湾曲を近似する凹状の主面を画定し、前記患者の前記頭皮とインターフェースするように構成される、請求項１〜１２のいずれか一項に記載のウェアラブル医療システム。
【請求項１４】
前記主面は第１の主面であり、前記湾曲した容器は、前記湾曲した容器の、前記第１の主面の反対側にあり、前記患者の前記頭皮の湾曲を近似する第２の主面を画定し、前記第２の主面は、前記第２の主面から離れるように延びる隆起を画定し、前記可撓性本体は、前記頭皮と接触するように構成される第１の表面と、前記第１の表面に対し、前記可撓性本体の反対側にある第２の表面とを含み、前記定着部材は、
前記再充電コイルのための前記湾曲したハウジングを前記可撓性本体に固定するための取付け組立体を備え、前記取付け組立体は、
前記第２の主面の前記隆起を受け、ブラケットを前記湾曲した容器にしっかりと取り付けるように構成される凹部およびチャネルを画定するブラケットと、
前記可撓性本体の前記第２の表面から前記可撓性本体内の孔を通り、前記可撓性本体の前記第１の表面を越えて前記ブラケットの前記凹部内に延び、前記ブラケットによってしっかりと受けられるように構成されるピンであって、前記ピンが前記ブラケットの前記凹部によって受けられるとき、前記可撓性本体の前記第２の表面に対し押し付けるように構成されるプレートを含む、ピンと、
を備える、請求項１３に記載のウェアラブル医療システム。
【請求項１５】
前記湾曲した容器は、前記湾曲した容器を通って延びるボアを含み、前記隆起内で中心合わせされ、前記ボアは、前記ブラケットが前記湾曲した容器にしっかりと取り付けられるとき、前記ブラケットの前記凹部を受けるように構成され、前記ボアは、前記第１の主面可撓性本体上の前記場所を視認可能にマーキングするために、前記頭蓋に装着可能な植込み型医療装置上の前記湾曲したハウジングの位置決めを可能にするようにマーキングペンを受け入れるように構成される、請求項１４に記載のウェアラブル医療システム。
【発明の詳細な説明】
【技術分野】
【０００１】
[0001]本開示は、医療装置に関し、より詳細には、医療装置のうちの１つまたは複数の電源を再充電することに関連付けられた組立体およびヘッドギアに関する。
【背景技術】
【０００２】
[0002]医療装置は、患者の監視、および／または患者への治療の提供等の様々な機能を提供するために、患者内の複数の場所の外部に、またはこれらの場所に部分的に植え込まれて、または完全に植え込まれて構成され得る。植込み型医療装置（ＩＭＤ）が植え込まれ得る場所の例は、患者の頭蓋、胸骨下の場所、または臀部付近を含むが、他の例では、ＩＭＤは他の場所に植え込まれ得る。ＩＭＤは、意図される機能を提供するために電力を必要とする、１つまたは複数の処理回路および１つまたは複数の電気構成要素を含み得る。多くの場合、この機能をＩＭＤに提供するために、電源がＩＭＤ内に収容されるか、またはそうでない場合、電源も植え込まれる。ＩＭＤは、誘導結合のための再充電コイル等の再充電構成要素を含むことができ、これらは、例えば電磁場からＩＭＤの電源への電流を生成および方向付けすることによって、埋め込まれた電源を再充電することが可能である。
【発明の概要】
【０００３】
[0003]本開示は、頭蓋に装着された医療装置（例えば、１つまたは複数の植込み型医療装置（ＩＭＤ））の電源を再充電することに関連する装置、システムおよび技法に関する。ウェアラブル医療装置は、患者の１つまたは複数のＩＭＤに充電電力を送達するのに適した所定の場所に１つまたは複数の再充電コイルを保有することができる。例えば、ウェアラブル医療装置は、再充電コイルをウェアラブル医療装置の可撓性本体に結合するように構成される定着部材（例えば、取付け組立体）を含むことができる。第２の定着部材は、第２の再充電コイルを可撓性本体に結合することができる。患者は自身の頭部の一部分にわたってウェアラブル医療装置を着用することができるため、可撓性本体および定着部材は、患者の頭蓋に植え込まれたそれぞれのＩＭＤと位置が合った、頭部におけるそれぞれの場所に再充電コイルを保有することができる。このようにして、患者は、ウェアラブル医療装置を頭部に配置して、コイルとＩＭＤとの間の再充電および／または通信機能のために再充電コイルをＩＭＤと再現可能に位置合わせすることができる。いくつかの例では、可撓性本体は、ハットと類似した形状を有することができる。
【０００４】
[0004]いくつかの例では、ウェアラブル医療装置は、患者の頭部上で使用するためにウェアラブル医療装置に取外し可能に固定されるように構成される再充電装置または再充電システムを含むことができる。このようにして、再充電装置は、頭部に対し再現可能な場所において患者の頭部に対し繰り返し可能に取外しおよび固定され得る。再充電装置は１つまたは複数の再充電コイルを含むことができ、いくつかの例では、再充電コイルに電力を供給するように構成される電源も含むことができる。いくつかの例では、再充電コイルは可撓性本体に固定され得、電源は、頭部の外周の周りに延び、可撓性本体よりも剛体である固定部材に固定され得る。
【０００５】
[0005]１つの例では、ウェアラブル医療システムは、患者の頭部の頭皮の左前象限、左後象限、右後象限および右前象限の各々の少なくとも一部分を覆うように構成される可撓性本体を含む。ウェアラブル医療システムは、可撓性本体に接続され、頭部の外周の周りに延び、患者の頭皮に対し可撓性本体を安定させるように構成される、固定部材も含む。ウェアラブル医療システムは、可撓性本体の或る場所に装着するように構成され、頭蓋に装着可能な植込み型医療装置の植込み型電源を再充電するように構成される再充電コイルに可撓性本体を結合するように構成される、定着部材も含む。
【０００６】
[0006]別の例では、ウェアラブル医療システムは、患者の頭部の頭皮の左前象限、左後象限、右後象限および右前象限の各々の少なくとも一部分を覆うように構成される可撓性本体を含む。ウェアラブル医療システムは、可撓性本体に接続され、頭部の外周の周りに延び、患者の頭皮に対し可撓性本体を安定させるように構成される、固定部材も含む。ウェアラブル医療システムは、可撓性本体または固定部材の少なくとも一方に固定される外部電源も含む。ウェアラブル医療システムは、第１の頭蓋に装着可能な植込み型医療装置の第１の植込み型電源を再充電するために電源からエネルギーを伝送するように取外し可能に構成される第１の再充電コイルも含む。ウェアラブル医療システムは、第２の頭蓋に装着可能な植込み型医療装置の第２の植込み型電源を再充電するために電源からエネルギーを伝送するように取外し可能に構成される第２の再充電コイルも含む。ウェアラブル医療システムは、外部電源を第１および第２の再充電コイルに結合する１つまたは複数のケーブルも含む。ウェアラブル医療システムは、可撓性本体の第１の場所に装着し、第１の再充電コイルを可撓性本体にしっかりと取り付けるように構成される、第１の定着部材も含む。ウェアラブル医療システムは、可撓性本体の第２の場所に装着するように構成される第２の定着部材も含む。第２の定着部材は、第２の再充電コイルを可撓性本体にしっかりと取り付けるように構成される。
【０００７】
[0007]別の例では、ウェアラブル医療システムは、再充電コイルを収容するように構成され、各々が患者の頭部の頭皮の湾曲を近似する凹状の第１の主面および凸状の第２の主面を画定する、湾曲した容器を含む。第１の主面は、患者の頭皮とインターフェースするように構成され、第２の主面は、湾曲した容器の、第１の主面の反対側にある。第２の主面は、第２の主面から離れるように延びる隆起と、湾曲した容器を通って延びるボアとを画定する。ウェアラブル医療システムは、ボアによって受けられるように構成される円筒形凹部と、ブラケットを湾曲した容器にしっかりと取り付けるために第２の主面の隆起を受けるように構成されるチャネルとを画定するブラケットも含む。ウェアラブル医療システムは、ブラケットによってしっかりと受けられるようにブラケットの円筒形凹部内に延びるように構成されるピンも含む。ピンは、ピンがブラケットの凹部によって受けられるときに円筒形凹部の口部を押し付けるように構成されるプレートを含む。
【図面の簡単な説明】
【０００８】
【図１Ａ】[0008]患者の頭蓋に植え込まれた例示的な植込み型医療装置（ＩＭＤ）を示す概念図である。
【図１Ｂ】[0009]図１Ａにおける例示的な頭蓋の両側からの側面図である。
【図１Ｃ】図１Ａにおける例示的な頭蓋の両側からの側面図である。
【図１Ｄ】[0010]患者の頭蓋に２つのＩＭＤが配設された例示的な患者と、ＩＭＤの電源を再充電するように構成される再充電装置とを示す概念図である。
【図２】[0011]図１ＡのＩＭＤの例示的な構成要素を示すブロック図である。
【図３】[0012]図３Ａは、図１ＡのＩＭＤを再充電するのに用いられ得る例示的な再充電コイルを示す概念図である。図３Ｂは、図１ＡのＩＭＤを再充電するのに用いられ得る例示的な再充電コイルを示す概念図である。図３Ｃは、図１ＡのＩＭＤを再充電するのに用いられ得る例示的な再充電コイルを示す概念図である。図３Ｄは、図１ＡのＩＭＤを再充電するのに用いることができる例示的な再充電コイルを示す概念図である。
【図４】[0013]図４Ａは、第１の例示的なウェアラブル医療装置、および図１ＡのＩＭＤの電源を再充電するのに用いられ得る再充電装置を示す概念図である。 [0014]図４Ｂは、図４Ａのウェアラブル医療装置が装着され得る頭部の側面図である。 [0015]図４Ｃは、図４Ａの再充電装置の例示的な再充電コイル容器の断面図である。
【図５】[0016]電源ユニットおよび図４Ａの再充電装置の例示的な構成要素を示すブロック図である。
【図６】[0017]図６Ａは、図４Ａの再充電装置の構成要素を固定するためのウェアラブル医療装置の例示的な取付け組立体の展開図を示す概念図である。図６Ｂは、図４Ａの再充電装置の構成要素を固定するためのウェアラブル医療装置の例示的な取付け組立体の断面展開図を示す概念図である。図６Ｃは、図４Ａの再充電装置の構成要素を固定するためのウェアラブル医療装置の例示的な取付け組立体の断面組立図を示す概念図である。
【図７】[0018]図７Ａは、図４Ａのウェアラブル医療装置の固定部材および可撓性本体の底面図を、固定部材のための第１の例示的調節機構と共に示す概念図である。図７Ｂは、図４Ａのウェアラブル医療装置の固定部材および可撓性本体の底面図を、固定部材のための第２の例示的調節機構と共に示す概念図である。図７Ｃは、図４Ａのウェアラブル医療装置の固定部材および可撓性本体の底面図を、固定部材のための第３の例示的調節機構と共に示す概念図である。
【図８】[0019]図８Ａは、図４Ａのウェアラブル医療装置の底面図を、部分的に構成された状態で示す概念図である。図８Ｂは、図４Ａのウェアラブル医療装置の底面図を、完全に構成された状態で示す概念図である。
【図９】[0020]図９Ａは、異なる固定機構を有する、図４Ａの再充電装置のための電源ユニットの斜視図を示す概念図である。図９Ｂは、異なる固定機構を有する、図４Ａの再充電装置のための電源ユニットの斜視図を示す概念図である。
【図１０】[0021]図１０Ａは、図１ＡのＩＭＤの電源を再充電するのに用いられ得る例示的なウェアラブル医療装置を示す概念図である。図１０Ｂは、図１ＡのＩＭＤの電源を再充電するのに用いられ得る例示的なウェアラブル医療装置を示す概念図である。図１０Ｃは、図１ＡのＩＭＤの電源を再充電するのに用いられ得る例示的なウェアラブル医療装置を示す概念図である。
【図１１】[0022]図１１Ａは、図１ＡのＩＭＤの電源を再充電するのに用いられ得る例示的なウェアラブル医療装置を示す概念図である。図１１Ｂは、図１ＡのＩＭＤの電源を再充電するのに用いられ得る例示的なウェアラブル医療装置を示す概念図である。図１１Ｃは、図１ＡのＩＭＤの電源を再充電するのに用いられ得る例示的なウェアラブル医療装置を示す概念図である。
【図１２】[0023]図１２Ａは、図１ＡのＩＭＤの電源を再充電するのに用いられ得る例示的なウェアラブル医療装置を示す概念図である。図１２Ｂは、図１ＡのＩＭＤの電源を再充電するのに用いられ得る例示的なウェアラブル医療装置を示す概念図である。図１２Ｃは、図１ＡのＩＭＤの電源を再充電するのに用いられ得る例示的なウェアラブル医療装置を示す概念図である。図１２Ｄは、図１ＡのＩＭＤの電源を再充電するのに用いられ得る例示的なウェアラブル医療装置を示す概念図である。
【図１３】[0024]図１３Ａは、図１ＡのＩＭＤの電源を再充電するのに用いられ得る例示的なウェアラブル医療装置を示す概念図である。図１３Ｂは、図１ＡのＩＭＤの電源を再充電するのに用いられ得る例示的なウェアラブル医療装置を示す概念図である。図１３Ｃは、図１ＡのＩＭＤの電源を再充電するのに用いられ得る例示的なウェアラブル医療装置を示す概念図である。
【図１４】[0025]図１４Ａは、図１ＡのＩＭＤの電源を再充電するのに用いられ得る例示的なウェアラブル医療装置を示す概念図である。図１４Ｂは、図１ＡのＩＭＤの電源を再充電するのに用いられ得る例示的なウェアラブル医療装置を示す概念図である。図１４Ｃは、図１ＡのＩＭＤの電源を再充電するのに用いられ得る例示的なウェアラブル医療装置を示す概念図である。図１４Ｄは、図１ＡのＩＭＤの電源を再充電するのに用いられ得る例示的なウェアラブル医療装置を示す概念図である。
【図１５】[0026]図１５Ａは、図１ＡのＩＭＤの電源を再充電するのに用いられ得る例示的なウェアラブル医療装置を示す概念図である。図１５Ｂは、図１ＡのＩＭＤの電源を再充電するのに用いられ得る例示的なウェアラブル医療装置を示す概念図である。図１５Ｃは、図１ＡのＩＭＤの電源を再充電するのに用いられ得る例示的なウェアラブル医療装置を示す概念図である。図１５Ｄは、図１ＡのＩＭＤの電源を再充電するのに用いられ得る例示的なウェアラブル医療装置を示す概念図である。
【図１６】[0027]図１６Ａは、図１ＡのＩＭＤの電源を再充電するのに用いられ得る例示的なウェアラブル医療装置を示す概念図である。図１６Ｂは、図１ＡのＩＭＤの電源を再充電するのに用いられ得る例示的なウェアラブル医療装置を示す概念図である。
【図１７】[0028]図１７Ａは、図１ＡのＩＭＤの電源を再充電するのに用いられ得る例示的なウェアラブル医療装置を示す概念図である。図１７Ｂは、図１ＡのＩＭＤの電源を再充電するのに用いられ得る例示的なウェアラブル医療装置を示す概念図である。図１７Ｃは、図１ＡのＩＭＤの電源を再充電するのに用いられ得る例示的なウェアラブル医療装置を示す概念図である。図１７Ｄは、図１ＡのＩＭＤの電源を再充電するのに用いられ得る例示的なウェアラブル医療装置を示す概念図である。図１７Ｅは、図１ＡのＩＭＤの電源を再充電するのに用いられ得る例示的なウェアラブル医療装置を示す概念図である。図１７Ｆは、図１ＡのＩＭＤの電源を再充電するのに用いられ得る例示的なウェアラブル医療装置を示す概念図である。図１７Ｇは、図１ＡのＩＭＤの電源を再充電するのに用いられ得る例示的なウェアラブル医療装置を示す概念図である。図１７Ｈは、図１ＡのＩＭＤの電源を再充電するのに用いられ得る例示的なウェアラブル医療装置を示す概念図である。
【図１８】[0029]図１８Ａは、図１ＡのＩＭＤの電源を再充電するのに用いられ得る例示的なウェアラブル医療装置を示す概念図である。図１８Ｂは、図１ＡのＩＭＤの電源を再充電するのに用いられ得る例示的なウェアラブル医療装置を示す概念図である。図１８Ｃは、図１ＡのＩＭＤの電源を再充電するのに用いられ得る例示的なウェアラブル医療装置を示す概念図である。図１８Ｄは、図１ＡのＩＭＤの電源を再充電するのに用いられ得る例示的なウェアラブル医療装置を示す概念図である。
【図１９】[0030]図１９Ａは、図１ＡのＩＭＤの電源を再充電するのに用いられ得る例示的なウェアラブル医療装置を示す概念図である。図１９Ｂは、図１ＡのＩＭＤの電源を再充電するのに用いられ得る例示的なウェアラブル医療装置を示す概念図である。図１９Ｃは、図１ＡのＩＭＤの電源を再充電するのに用いられ得る例示的なウェアラブル医療装置を示す概念図である。図１９Ｄは、図１ＡのＩＭＤの電源を再充電するのに用いられ得る例示的なウェアラブル医療装置を示す概念図である。
【図２０】[0031]図２０Ａは、図１ＡのＩＭＤの電源を再充電するのに用いられ得る例示的なウェアラブル医療装置を示す概念図である。図２０Ｂは、図１ＡのＩＭＤの電源を再充電するのに用いられ得る例示的なウェアラブル医療装置を示す概念図である。図２０Ｃは、図１ＡのＩＭＤの電源を再充電するのに用いられ得る例示的なウェアラブル医療装置を示す概念図である。図２０Ｄは、図１ＡのＩＭＤの電源を再充電するのに用いられ得る例示的なウェアラブル医療装置を示す概念図である。図２０Ｅは、図１ＡのＩＭＤの電源を再充電するのに用いられ得る例示的なウェアラブル医療装置を示す概念図である。図２０Ｆは、図１ＡのＩＭＤの電源を再充電するのに用いられ得る例示的なウェアラブル医療装置を示す概念図である。図２０Ｇは、図１ＡのＩＭＤの電源を再充電するのに用いられ得る例示的なウェアラブル医療装置を示す概念図である。図２０Ｈは、図１ＡのＩＭＤの電源を再充電するのに用いられ得る例示的なウェアラブル医療装置を示す概念図である。
【図２１】[0032]図２１Ａは、図１ＡのＩＭＤの電源を再充電するのに用いられ得る例示的なウェアラブル医療装置を示す概念図である。図２１Ｂは、図１ＡのＩＭＤの電源を再充電するのに用いられ得る例示的なウェアラブル医療装置を示す概念図である。図２１Ｃは、図１ＡのＩＭＤの電源を再充電するのに用いられ得る例示的なウェアラブル医療装置を示す概念図である。図２１Ｄは、図１ＡのＩＭＤの電源を再充電するのに用いられ得る例示的なウェアラブル医療装置を示す概念図である。図２１Ｅは、図１ＡのＩＭＤの電源を再充電するのに用いられ得る例示的なウェアラブル医療装置を示す概念図である。図２１Ｆは、図１ＡのＩＭＤの電源を再充電するのに用いられ得る例示的なウェアラブル医療装置を示す概念図である。
【図２２】[0033]図２２Ａは、図１ＡのＩＭＤの電源を再充電するのに用いられ得る例示的なウェアラブル医療装置を示す概念図である。図２２Ｂは、図１ＡのＩＭＤの電源を再充電するのに用いられ得る例示的なウェアラブル医療装置を示す概念図である。図２２Ｃは、図１ＡのＩＭＤの電源を再充電するのに用いられ得る例示的なウェアラブル医療装置を示す概念図である。
【図２３】[0034]図２３Ａは、図１ＡのＩＭＤの電源を再充電するのに用いられ得る例示的なウェアラブル医療装置を示す概念図である。図２３Ｂは、図１ＡのＩＭＤの電源を再充電するのに用いられ得る例示的なウェアラブル医療装置を示す概念図である。図２３Ｃは、図１ＡのＩＭＤの電源を再充電するのに用いられ得る例示的なウェアラブル医療装置を示す概念図である。図２３Ｄは、図１ＡのＩＭＤの電源を再充電するのに用いられ得る例示的なウェアラブル医療装置を示す概念図である。
【図２４】[0035]図２４Ａは、図１ＡのＩＭＤの電源を再充電するのに用いられ得る例示的なウェアラブル医療装置を示す概念図である。図２４Ｂは、図１ＡのＩＭＤの電源を再充電するのに用いられ得る例示的なウェアラブル医療装置を示す概念図である。図２４Ｃは、図１ＡのＩＭＤの電源を再充電するのに用いられ得る例示的なウェアラブル医療装置を示す概念図である。図２４Ｄは、図１ＡのＩＭＤの電源を再充電するのに用いられ得る例示的なウェアラブル医療装置を示す概念図である。
【図２５】[0036]図２５Ａは、図１ＡのＩＭＤの電源を再充電するのに用いられ得る例示的なウェアラブル医療装置を示す概念図である。図２５Ｂは、図１ＡのＩＭＤの電源を再充電するのに用いられ得る例示的なウェアラブル医療装置を示す概念図である。図２５Ｃは、図１ＡのＩＭＤの電源を再充電するのに用いられ得る例示的なウェアラブル医療装置を示す概念図である。図２５Ｄは、図１ＡのＩＭＤの電源を再充電するのに用いられ得る例示的なウェアラブル医療装置を示す概念図である。図２５Ｅは、図１ＡのＩＭＤの電源を再充電するのに用いられ得る例示的なウェアラブル医療装置を示す概念図である。図２５Ｆは、図１ＡのＩＭＤの電源を再充電するのに用いられ得る例示的なウェアラブル医療装置を示す概念図である。図２５Ｇは、図１ＡのＩＭＤの電源を再充電するのに用いられ得る例示的なウェアラブル医療装置を示す概念図である。
【図２６】[0037]図２６Ａは、図１ＡのＩＭＤの電源を再充電するのに用いられ得る例示的なウェアラブル医療装置を示す概念図である。図２６Ｂは、図１ＡのＩＭＤの電源を再充電するのに用いられ得る例示的なウェアラブル医療装置を示す概念図である。
【図２７】[0038]図２７Ａは、図１ＡのＩＭＤの電源を再充電するのに用いられ得る例示的なウェアラブル医療装置を示す概念図である。図２７Ｂは、図１ＡのＩＭＤの電源を再充電するのに用いられ得る例示的なウェアラブル医療装置を示す概念図である。図２７Ｃは、図１ＡのＩＭＤの電源を再充電するのに用いられ得る例示的なウェアラブル医療装置を示す概念図である。図２７Ｄは、図１ＡのＩＭＤの電源を再充電するのに用いられ得る例示的なウェアラブル医療装置を示す概念図である。
【図２８】[0039]図２８Ａは、図１ＡのＩＭＤの電源を再充電するのに用いられ得る例示的なウェアラブル医療装置を示す概念図である。図２８Ｂは、図１ＡのＩＭＤの電源を再充電するのに用いられ得る例示的なウェアラブル医療装置を示す概念図である。図２８Ｃは、図１ＡのＩＭＤの電源を再充電するのに用いられ得る例示的なウェアラブル医療装置を示す概念図である。図２８Ｄは、図１ＡのＩＭＤの電源を再充電するのに用いられ得る例示的なウェアラブル医療装置を示す概念図である。図２８Ｅは、図１ＡのＩＭＤの電源を再充電するのに用いられ得る例示的なウェアラブル医療装置を示す概念図である。
【図２９】[0040]図２９Ａは、図１ＡのＩＭＤの電源を再充電するのに用いられ得る例示的なウェアラブル医療装置を示す概念図である。図２９Ｂは、図１ＡのＩＭＤの電源を再充電するのに用いられ得る例示的なウェアラブル医療装置を示す概念図である。図２９Ｃは、図１ＡのＩＭＤの電源を再充電するのに用いられ得る例示的なウェアラブル医療装置を示す概念図である。図２９Ｄは、図１ＡのＩＭＤの電源を再充電するのに用いられ得る例示的なウェアラブル医療装置を示す概念図である。図２９Ｅは、図１ＡのＩＭＤの電源を再充電するのに用いられ得る例示的なウェアラブル医療装置を示す概念図である。
【図３０】[0041]図３０Ａは、図１ＡのＩＭＤの電源を再充電するのに用いられ得る例示的なウェアラブル医療装置を示す概念図である。図３０Ｂは、図１ＡのＩＭＤの電源を再充電するのに用いられ得る例示的なウェアラブル医療装置を示す概念図である。図３０Ｃは、図１ＡのＩＭＤの電源を再充電するのに用いられ得る例示的なウェアラブル医療装置を示す概念図である。図３０Ｄは、図１ＡのＩＭＤの電源を再充電するのに用いられ得る例示的なウェアラブル医療装置を示す概念図である。
【図３１】[0042]図３１Ａは、図１ＡのＩＭＤの電源を再充電するのに用いられ得る例示的なウェアラブル医療装置を示す概念図である。図３１Ｂは、図１ＡのＩＭＤの電源を再充電するのに用いられ得る例示的なウェアラブル医療装置を示す概念図である。図３１Ｃは、図１ＡのＩＭＤの電源を再充電するのに用いられ得る例示的なウェアラブル医療装置を示す概念図である。
【図３２】[0043]図３２Ａは、図４Ａ〜図３１Ｃの例示的なウェアラブル医療装置のうちの任意のものと共に用いられ得る第１の例示的な再充電モジュールを示す概念図である。図３２Ｂは、図４Ａ〜図３１Ｃの例示的なウェアラブル医療装置のうちの任意のものと共に用いられ得る第２の例示的な再充電モジュールを示す概念図である。
【図３３】[0044]図３３Ａは、図４Ａ〜図３１Ｃの例示的なウェアラブル医療装置のうちの任意のものと共に用いられ得る例示的な再充電モジュールを示す概念図である。図３３Ｂは、図４Ａ〜図３１Ｃの例示的なウェアラブル医療装置のうちの任意のものと共に用いられ得る例示的な再充電モジュールを示す概念図である。図３３Ｃは、図４Ａ〜図３１Ｃの例示的なウェアラブル医療装置のうちの任意のものと共に用いられ得る例示的な再充電モジュールを示す概念図である。[0045]図３３Ｄは、図１ＡのＩＭＤの電源を再充電するのに用いられる図３３Ａ〜図３３Ｃの例示的な再充電モジュールを示す概念図である。
【図３４】[0046]図３４Ａは、図４Ａ〜図３１Ｃの例示的なウェアラブル医療装置を用いてＩＭＤの電源を再充電するのに用いられ得る例示的な再充電モジュールを示す概略図である。図３４Ｂは、図４Ａ〜図３１Ｃの例示的なウェアラブル医療装置を用いてＩＭＤの電源を再充電するのに用いられ得る例示的な再充電モジュールを示す概略図である。図３４Ｃは、図４Ａ〜図３１Ｃの例示的なウェアラブル医療装置を用いてＩＭＤの電源を再充電するのに用いられ得る例示的な再充電モジュールを示す概略図である。
【発明を実施するための形態】
【０００９】
[0047]本開示は、植込み型医療装置（ＩＭＤ）等の頭蓋に装着された医療装置の電源を再充電することに関する装置、システムおよび方法を対象とする。患者は、患者の頭部または頭部付近に位置する１つまたは複数の医療装置を用いて監視および／または処置され得る。医療装置は、患者の完全に外部にあってもよく、部分的に患者内に植え込まれてもよく、または患者内に完全に植え込まれてもよい。例えば、患者は、脳内に配設されたそれぞれの電気リードに結合された、頭蓋に装着された２つのＩＭＤを有することができ、各ＩＭＤは、脳患者を監視するかまたは脳患者に治療を与える（例えば、神経信号を監視する、および／または脳障害の１つまたは複数の症状を治療する脳深部刺激を送達する）等の機能を提供するように構成される。
【００１０】
[0048]これらの頭蓋に装着されたＩＭＤの各々は、ＩＭＤの機能を実行するのに必要な電力を提供するように構成される再充電可能な電源を含むことができる。ＩＭＤは各々、外部再充電コイルからの電磁場に（例えば、誘導結合を介して）曝されることに応じてそれぞれの電源を再充電するための電流を生成するように構成される再充電コイルを含むことができる。更にまたは代替的に、ＩＭＤは、コイルを介して外部装置から通信を受信することができる。外部再充電コイルとＩＭＤのコイルとの間で伝達されるエネルギーの効率および速度は、ＩＭＤのそれぞれのコイルに対する外部再充電コイルの位置合わせに関係することができる。再充電セッションは、数分から１時間超までかかり得る。しかしながら、患者が再充電セッションの持続時間にわたって再充電コイルを自身の頭部に手で保持することが困難であり、再充電セッションの持続時間にわたって外部再充電コイルの適切な位置を維持することが困難であり、かつ／または患者がＩＭＤのコイルに対する各再充電コイルの正しい位置を最初に見つけることが困難である場合がある。
【００１１】
[0049]本開示の態様は、ウェアラブル医療装置および再充電装置が、患者の頭部に対し繰り返し可能に取付けおよび取外しされ得るように、ウェアラブル医療装置を介して患者の頭部に再充電装置を取外し可能に固定することに関する。再充電装置は、充電装置が患者の頭部に固定される度に、頭蓋に装着された各ＩＭＤの各再充電コイルと位置合わせされた磁場を生成するように構成され得る。例えば、再充電装置は、患者の頭部に固定されたウェアラブル医療装置に取り付けられ得る。ウェアラブル医療装置が患者の頭部における適所に収まると、再充電装置の再充電コイルは、ＩＭＤのそれぞれの再充電コイルと位置合わせされたそれぞれの電磁場を生成するように動作することができ、それによって双方のＩＭＤの双方の電源が同時に充電される。このようにして、ウェアラブル医療装置は、再充電コイルを、ウェアラブル医療装置のそれぞれの場所に固定するように構成され得、それによって、ウェアラブル医療装置は、患者が再充電コイルを再現可能に配置し、再充電セッションの持続時間にわたって患者の頭部に対し再充電コイルの配置を維持するのを支援する。いくつかの例では、再充電コイルは、１つまたは複数の再充電コイルとインターフェースするように構成されるブラケットまたは他の構造を含むことができる取付け組立体等の定着部材を用いて、ウェアラブル医療装置に取外し可能に取り付けられ得る。
【００１２】
[0050]本明細書に開示される例は、患者の頭部に取外し可能に固定されるように構成されるウェアラブル医療装置および再充電装置を対象とする。再充電装置は、ウェアラブル医療装置を介して患者の頭部に固定されたときの、図１Ａと併せて上記で説明したもの等の植込み型医療電気システムにおける電源５６の再充電を容易にするように構成される。本明細書に開示されるウェアラブル医療装置の例は、再充電装置または再充電システムの再充電コイルを、患者の頭皮１６外の適所に、かつ、頭皮の外側に配設されるか、少なくとも部分的に頭皮内に配設されるか、または完全に頭皮の下に植え込まれた医療装置、例えばＩＭＤ１４の再充電可能な装置の近傍に保持するように構成され得る。図１Ａを更に参照すると、ＩＭＤ１４のための植込み部位の頭蓋骨に沿った場所は、患者ごとに、例えば、必要とされる刺激治療または監視のタイプに依拠して異なる可能性があることが理解されるべきである。更に、場合によっては、患者は２つ以上のＩＭＤ１４を必要とする場合があり、それらのいずれも、図１Ａに示す場所にあってもなくてもよい。更に、いくつかの例では、ＩＭＤ１４の再充電は、１日２回以上必要とされる場合があり、ＩＭＤ１４を再充電するのに必要な時間は、約数分、数十分、１時間超、または少なくとも数時間であり得る。
【００１３】
[0051]以下の詳細な説明は、本質的に例示的なものであり、本明細書に開示される本発明の実施形態の範囲、適用可能性または構成をいかなる形でも限定することは意図されていない。むしろ、以下の説明は、実際の例を与えるものであり、当業者であれば、例のうちのいくつかは適切な代替形態を有し得ることを理解するであろう。例は、以下で添付の図面と併せて説明される。これらの図面は（そのように述べられていない限り）縮尺通りでなく、類似の符号／文字は類似の要素を示す。図面に含まれる例示的な追加の説明の注記は、示される実施形態の範囲を限定することを意図したものではない。構成、材料、寸法、および製造プロセスの例は、選択された要素に対して与えられる。他の全ての要素は、当業者に知られているものを採用している。
【００１４】
[0052]いくつかのタイプの植込み型医療電気システムは、疼痛および／または精神疾患、睡眠障害もしくは運動障害等の神経系の状態を治療するために採用される。いくつかの例では、これらのシステムは、植込み型パルス発生器装置（例えば、パルス発生器を含むＩＭＤ）に電気的に接続された少なくとも１つの細長い植込み型医療電気リードを含み、このリードは、発生器装置から患者に電気刺激治療を送達する１つまたは複数の電極を含む。例えば、電極は、脳深部刺激、皮質刺激、後頭神経刺激、または任意の他のタイプの治療を送達することができる。他の例では、ＩＭＤは、脳の活動、または他の解剖学的構造の活動を監視してもよい。他の例では、ＩＭＤは、脳、または患者の頭部に関連付けられた他の構造に薬剤治療を送達してもよい。
【００１５】
[0053]図１Ａは、患者の頭皮１６の上側の視界（ｓｕｐｅｒｉｏｒ  ｖｉｅｗ）からの、そのような例示的な植え込まれたシステムの概念図である。図１Ａの例は、リード２８Ａ、２８Ｂ（まとめて「リード２８」）が接続される例示的な植込み型医療装置（ＩＭＤ）１４を示す。ここで、ＩＭＤ１４は、患者の頭皮１６の下で、患者の頭蓋骨２３の凹部形成（ｈｏｌｌｏｗｅｄ−ｏｕｔ）領域、または凹状領域に植え込まれる。ＩＭＤ１４は植込み型パルス発生器とすることができ、ここから、リード２８Ａ、２８Ｂが、頭蓋骨２３を通じて穿孔された穿頭孔２６Ａ、２６Ｂ（まとめて、「孔２６」）を通って患者の脳まで延びる。植込みのための患者の頭蓋骨２３へのアクセスは、患者の頭皮１６を通じて形成される「Ｃフラップ」切開２４により得ることができた。「凹部形成」とは、その凹部形成領域内に装置を部分的にまたは完全に適合させるようにＩＭＤ１４のための任意の空間を作成するために、頭蓋骨の一部または全てが除去された任意の領域を指すことができる。
【００１６】
[0054]図１Ａは、例えば、ＩＭＤ１４の電子部分を含みおよび／または封入する相対的に柔軟な生体適合性材料から形成されたハウジング３６を含むＩＭＤ１４を更に示す。例えば、ＩＭＤ１４は、図１Ａに示すように、制御モジュール３４と、パワーモジュール３２と、再充電モジュール３０とを含むことができる。パワーモジュール３２は、再充電可能な電源、例えば、再充電可能なバッテリを含む。再充電モジュール３０は、パワーモジュール３２に結合され得、経皮的誘導エネルギー伝送（例えば、誘導結合）を介してエネルギーを受信するように構成される二次コイルを含むことができる。
【００１７】
[0055]本明細書に記載されるようなウェアラブル医療装置および再充電装置は、固定時に、再充電装置の１つまたは複数の再充電コイルが患者の頭皮および植え込まれたＩＭＤに対し所定の場所に位置するように、患者の頭皮１６に取外し可能に固定され得る。所定の場所は、再充電装置の再充電コイルによって生成される電磁場が、ＩＭＤ１４の再充電モジュール３０の１つまたは複数の二次コイルと相対的に位置合わせされた場所とすることができる。この場所は、図１においてラベル付けされているように、左前象限（ＬＡＱ）、右前象限（ＲＡＱ）、左後象限（ＬＰＱ）および右後象限（ＲＰＱ）等の異なる所定の領域として頭皮１６を画定することにより支援され得る。ＬＡＱ、ＬＰＱ、ＲＡＱおよびＲＰＱによれば、患者の頭部の「左」側および「右」側は、患者の頭部の長手方向の正中線１０に沿って分割され得る。いくつかの例では、ＬＡＱ、ＬＰＱ、ＲＡＱおよびＲＰＱは、患者の頭皮を横切って延び得る。それぞれのＩＭＤに関連付けられた各象限を参照することは、ウェアラブル医療装置に対し再充電コイルの場所を特定するのに役立ち得る。
【００１８】
[0056]例えば、図１Ｂおよび図１Ｃは、それぞれ患者の左横側および患者の右横側から見たときの患者の頭部１２を示す概念図である。図１Ｂに示されるように、ＬＡＱおよびＬＰＱは合わせて、患者の額から患者の首の近くの場所まで延びる概ね対角線上の底面インターフェースを画定するように、患者の頭部１２の前側から患者の頭部１２の後側に延びる。同様に、図１Ｃに示されるように、ＲＡＱおよびＲＰＱは合わせて、患者の頭部１２の前側から頭部１２の後側に延びる。このようにして、ＬＡＱ、ＬＰＱ、ＲＡＱおよびＲＰＱは、患者の頭皮１６を概ね覆うことができる。本明細書では４つの象限が記載されているが、再充電装置の再充電コイルの適切な配置のために、より少ないまたはより多いセクションを用いて頭皮１６の様々な場所を説明することができる。
【００１９】
[0057]図１Ｄは、患者の頭蓋に配設された２つのＩＭＤ１４Ａおよび１４Ｂ（以後、「ＩＭＤ１４」）を有する例示的な患者と、ＩＭＤ１４の電源を再充電するように構成される再充電装置４０とを示す概念図である。ＩＭＤ１４は、それぞれの電極を患者３７の脳３８内に配設するそれぞれの電気刺激リード１５Ａおよび１５Ｂに結合され得る。リード１５Ａおよび１５Ｂは、例えば、患者３７の右脳半球および左脳半球を治療するように植え込まれ得る。他の例では、３つ以上のＩＭＤが患者３７の頭蓋１７に植え込まれてもよい。
【００２０】
[0058]図１Ｄの例において、再充電装置４０は、それぞれのケーブルを介して再充電コイル４２Ａおよび４２Ｂに結合された電源ユニット４４を含む。再充電コイル４２Ａおよび４２Ｂの各々は、それぞれのＩＭＤ１４Ａおよび１４Ｂに充電電力を提供するように構成され得る。例えば、再充電コイル４２Ａは、再充電コイル４２Ｂと同時にまたは再充電コイル４２Ｂと独立して充電電力を提供することが可能であり得、逆もまた同様である。いくつかの例では、それぞれのＩＭＤ１４のパラメータが異なる（例えば、パラメータは、それぞれのＩＭＤ１４の電源の電力レベルであるか、または電力を受信した結果としてのＩＭＤ１４の温度である等）結果として、電力の第１の量は電力の第２の量と異なるが、再充電コイル４２Ａは、再充電コイル４２Ｂが第２の量の電力をＩＭＤ１４Ｂに提供するのと同時に第１の量の電力をＩＭＤ１４Ａに提供することができる。
【００２１】
[0059]本明細書において論考されるように、再充電装置４０は、再充電装置４０の再充電コイル４２Ａ、４２ＢがＩＭＤ１４と物理的に位置合わせされているとき、より効果的に双方のＩＭＤ１４の再充電電源となり得る。例えば、再充電装置４０は、それぞれの再充電コイル４２Ａ、４２Ｂが、それぞれのＩＭＤ１４内に収容されているかまたは他の形でそれぞれのＩＭＤ１４に固定されている再充電コイルと位置合わせされているとき、ＩＭＤ１４に、１秒あたり、より多くの電力を提供することができる。再充電装置４０が双方のＩＭＤに同時に電力を提供するように構成されることを考慮すると、このため、双方の再充電コイルを同時に位置合わせすることが有利であり得る。同時に、本明細書において論考されるように、充電の相対的に頻繁（例えば、１日１回）で長い（例えば、最大１時間）特性を考慮すると、ウェアラブル医療装置が着用される（例えば、患者３６に固定される）ときに、再充電コイル４２Ａ、４２Ｂを各ＩＭＤ１４のそれぞれの再充電コイルと確実に位置合わせするように構成されるウェアラブル医療装置に、再充電装置４０が堅く固定可能であることが有利であり得る。
【００２２】
[0060]図２は、ＩＭＤ１４の例示的な構成要素を示すブロック図である。図２の例において、ＩＭＤ１４は、処理回路部５０と、刺激回路部５２と、メモリ５４と、テレメトリ回路部５６と、電源５８と、センサ６０と、二次コイル６６とを備える。他の例では、ＩＭＤ１４は、より多くのまたはより少ない数の構成要素を含んでもよい。１つの例として、いくつかの事例では、ＩＭＤ１４はセンサ６０を含まない場合がある。図２では、ＩＭＤ１４のほとんどの構成要素が、ハウジング１６の単一の実質的に隣接した区画内に含まれるものとして示されているが、他の例では、ＩＭＤ１４の構成要素は、他の構成でＩＭＤ１４内に含まれてもよい。例えば、いくつかの事例では、ＩＭＤの構成要素は、ＩＭＤ１４の複数のハウジング内に含まれてもよく、またはいくつかの構成要素は、本明細書に記載されているように、ハウジング１６の内部の密封された区画の部分的に外側もしくは完全に外側に固定され、ハウジング１６の区画内の他の構成要素に電気的に結合されてもよい。
【００２３】
[0061]概して、ＩＭＤ１４は、ＩＭＤ１４および処理回路部５０に属する、本明細書に記載の様々な技法を行うためのハードウェアの任意の適切な構成を、単独でまたはソフトウェアおよび／もしくはファームウェアと組み合わせて含むことができる。様々な例において、ＩＭＤ１４の処理回路部５０は、１つまたは複数のマイクロプロセッサ、デジタル信号プロセッサ（ＤＳＰ）、特定用途向け集積回路（ＡＳＩＣ）、フィールドプログラマブルゲートアレイ（ＦＰＧＡ）または任意の他の等価な集積回路部もしくはディスクリート論理回路部等の１つまたは複数のプロセッサ、およびそのような構成要素の任意の組合せを含むことができる。ＩＭＤ１４はまた、様々な例において、１つまたは複数のプロセッサに、それらに属する動作を実行させるための実行可能な命令を含む、ランダムアクセスメモリ（ＲＡＭ）、リードオンリーメモリ（ＲＯＭ）、プログラマブルリードオンリーメモリ（ＰＲＯＭ）、消去可能プログラマブルリードオンリーメモリ（ＥＰＲＯＭ）、電子的消去可能プログラマブルリードオンリーメモリ（ＥＥＰＲＯＭ）、フラッシュメモリ等のメモリ５４を含むことができる。メモリ５４は、治療プログラム６２、センス電極または刺激電極の組合せ６４、または刺激回路部５２およびＩＭＤ１４によって提供される治療のための治療パラメータ値を指定する他の命令を記憶することができる。更に、処理回路部５０、刺激回路部５２およびテレメトリ回路部５６は、回路部の別個の部分として記載されているが、いくつかの例では、処理回路部５０、刺激回路部５２および／またはテレメトリ回路部５６は、互いに完全にまたは部分的に一体化されてもよい。いくつかの例では、処理回路部５０、刺激回路部５２および／またはテレメトリ回路部５６は、ＡＳＩＣ、ＤＳＰ、ＦＰＧＡまたは他のハードウェアユニット等の個々のハードウェアユニットに対応する。
【００２４】
[0062]刺激回路部５２は、処理回路部５０の制御下で、電気刺激を生成および送達することができる。いくつかの例では、処理回路部５０は、メモリ５４にアクセスして、少なくとも１つの治療プログラム６２に選択的にアクセスし、これを刺激回路部５２にロードすることによって刺激回路部５２を制御する。例えば、動作時に、処理回路部５０は、メモリ５４にアクセスして、１つの治療プログラム６２を刺激回路部５２にロードすることができる。そのような例では、関連刺激パラメータは、電圧振幅、電流振幅、パルスレート、パルス幅、デューティサイクル、または、刺激回路部５２が電気刺激信号を送達するのに用いる刺激電極の組合せ６４に記憶されているような電極２８Ａ、２８Ｂ、２８Ｃおよび２８Ｄの組合せを含むことができる。刺激回路部５２は、リード２８の電極２８Ａ、２８Ｂ、２８Ｃおよび２８Ｄのうちの１つまたは複数を介して電気刺激治療を生成および送達するように構成され得るが、刺激回路部５２は、異なる治療を患者に提供するように構成されてもよい。例えば、刺激回路部５２は、カテーテルを介して薬剤送達治療を送達するように構成されてもよい。これらの治療および他の治療は、ＩＭＤ１４によって提供されてもよい。
【００２５】
[0063]電源５８は、二次コイル６６の使用を通じて再充電可能であり得る。二次コイル６６は、本明細書に記載されているように、ウェアラブル医療装置に固定され、患者の頭部１２に装着されるコイル等の、患者の外部に配設された一次コイルと誘導結合することが可能なワイヤのコイルまたは他の装置であり得る。二次コイル６６は、外部一次コイルからの電磁場を受ける（例えば、物理的にこの電磁場に曝される）ときに、ワイヤ内に電流が誘導され得るように構成されるワイヤの巻線を含むことができる。誘導された電流は、次に、電源５８を再充電するのに用いられ得る。このようにして、電流は、電源５８と関連付けて二次コイル６６において誘導され得る。誘導は、外部充電装置の一次コイルにおいて、選択された電力レベルに基づいて生成された電流によって生じ得る。二次コイル６６と外部一次コイルとの間の結合は、２つのコイルの位置合わせに依拠することができる。いくつかの例では、結合効率は、２つのコイルが共通軸を共有し、かつ互いに極めて近接しているときに増大する。外部充電装置および／またはＩＭＤ１４は、位置合わせの評価を示す、１つまたは複数の可聴トーン、視覚的標識、触覚フィードバック等を提供することができる（例えば、位置合わせが改善するかまたは損なわれるのに応じて、より大きい／より小さい／異なる可聴トーン／視覚標識／触覚フィードバックを提供する）。
【００２６】
[0064]誘導結合は、通常、再充電可能な電源５８を再充電するための方法として記載されているが、代替的に、他の無線エネルギー伝達技法が用いられてもよい。これらの技法のうちの任意のものが、計算された累積温熱量をフィードバックとして用いて充電プロセスが制御され得るように、ＩＭＤ１４において熱を生成することができる。
【００２７】
[0065]ＩＭＤ１４は、二次コイル６６において誘導された電気信号をフィルタリングし、かつ／または電源５８を再充電することが可能な電気信号に変換する１つまたは複数の回路を含むことができる。例えば、交流電流誘導において、ＩＭＤ１４は、誘導による交流電流を、電源５８のための直流電流に変換するように構成される半波整流器回路および／または全波整流器回路を含むことができる。全波整流器回路は、電源５８のための誘導エネルギーを変換するのにより効率的であり得る。一方で、半波整流器回路は、より緩やかな速度でエネルギーを電源５８に蓄積するのに用いられ得る。いくつかの例では、ＩＭＤ１４は、各回路間で切り替えて、電源５８の充電速度およびＩＭＤ１４の温度を制御することができるように、全波整流器回路および半波整流器回路の双方を含むことができる。
【００２８】
[0066]いくつかの例では、ＩＭＤ１４は、誘導結合中に誘導された電流および／または電圧を測定するように構成される測定回路を含むことができる。この測定は、外部充電装置からＩＭＤ１４に送信される電力を測定または計算するのに用いられ得る。いくつかの例では、送信される電力は、ＩＭＤ１４の温度および周囲組織の温度を概算するのに用いられ得る。この方法は、ＩＭＤ１４のハウジングと接触する組織の温度を間接的に測定するのに用いられ得る。他の例では、ＩＭＤ１４は、測定された電圧または電流を用いて、送信電力を推定してもよい。
【００２９】
[0067]電源５８は、１つまたは複数のコンデンサ、バッテリまたは他のエネルギー蓄積装置を含むことができる。次に、電源５８は、ＩＭＤ１４の構成要素に動作電力を送達することができる。いくつかの例では、電源５８は、動作電力を生成するための発電回路を含むことができる。電源５８は、数百または数千の放電および再充電サイクルを通じて動作するように構成され得る。電源５８は、再充電プロセス中に動作電力をＩＭＤ１４に提供するようにも構成され得る。いくつかの例では、電源５８は、充電中に発生する熱量を低減するための材料を用いて構築され得る。他の例では、ＩＭＤ１４は、ＩＭＤ１４のハウジングのより大きな表面領域にわたって電源５８および／または二次コイル６６において発生する熱を放散するのに役立つことができる材料から構築され得る。
【００３０】
[0068]ＩＭＤ１４は１つまたは複数のセンサ６０を含む。センサ６０は、それぞれの患者またはＩＭＤ１４パラメータの値を検知する１つまたは複数の検知要素を含むことができる。例えば、センサ６０は、１つまたは複数の加速度計、光センサ、化学センサ、温度センサ、圧力センサ、または任意の他のタイプのセンサを含むことができる。ＩＭＤ１４は、ＩＭＤ１４のハウジング内に、かつ／またはリード２８のうちの１つもしくは他のリードを介して結合された更なるセンサを含むことができる。例えば、ＩＭＤ１４は、テレメトリ回路部５６を介してリモートセンサから無線でセンサ信号を受信することができる。いくつかの例では、これらのリモートセンサのうちの１つまたは複数は、患者の外部にあってもよい（例えば、肌の外表面上に担持されるか、衣服に取り付けられるか、または他の形で患者の外部に位置決めされる）。センサ６０は、治療の送達を制御するか、または他の形でＩＭＤを管理するためのフィードバックとして用いられ得る患者またはＩＭＤパラメータ値を出力することができる。
【００３１】
[0069]例えば、センサ６０は、再充電中の温度を検知する温度センサとすることができる。温度センサとして、センサ６０は、ＩＭＤ１４の温度を測定するように構成される１つまたは複数の温度センサ（例えば、熱電対またはサーミスタ）を含むことができる。本明細書に記載されているように、温度センサ６０は、ＩＭＤ１４、および／またはＩＭＤ１４のハウジングを取り囲みかつ／もしくはこれに接触する組織の温度を直接測定するのに用いられ得る。処理回路部５０（または外部充電装置）は、この温度測定を、電源５８の充電中に組織に提供される累積温熱量を決定するための組織温度フィードバックとして用いることができる。単一の温度センサが適切である場合があるが、複数の温度センサが、ＩＭＤ１４のより良好な温度勾配または平均温度を提供する場合もある。ＩＭＤ１４の様々な温度も、累積温熱量を決定するためにモデル化され、提供されてもよい。処理回路部５０は、センサ６０を用いて温度を継続的に測定することができるが、再充電セッション中の温度のみを測定することによって、エネルギーを節約することができる。更に、温度は、累積温熱量を計算するのに必要なレートでサンプリングされ得るが、サンプリングレートは、適宜電力を節約するために低減されてもよい。
【００３２】
[0070]処理回路部５０は、テレメトリ回路部５６を用いて、患者の頭部１２に装着された充電装置および／または外部のプログラマとの情報の交換を制御することもできる。テレメトリ回路部５６は、無線周波数プロトコルまたは誘導通信プロトコルを用いた無線通信のために構成され得る。テレメトリ回路部５６は、例えば、プログラマと通信するように構成される１つまたは複数のアンテナを含むことができる。処理回路部５０は、動作情報を送信し、テレメトリ回路部５６を介して治療プログラム６２または治療パラメータ調節を受信することができる。また、いくつかの例では、ＩＭＤ１４は、テレメトリ回路部５６を介して、刺激装置、制御装置またはセンサ等の他の植え込まれた装置と通信することができる。更に、テレメトリ回路部５６は、センサ６０からの測定値を送信するように構成され得る。他の例では、処理回路部５０は、電源５８の動作に関連する追加の情報を外部充電装置に送信してもよい。例えば、処理回路部５０は、テレメトリ回路部５６を用いて、電源５８が完全に充電されていること、電源５８が完全に放電されていることの標識、または電源５８の任意の他の充電ステータスを送信することができる。処理回路部５０は、電源５８がＩＭＤ１４の構成要素に動作電力を提供することを阻止することができる、電源５８に関する任意の問題またはエラーを示す情報を外部充電装置に送信することもできる。
【００３３】
[0071]外部装置とＩＭＤ１４との間の通信を容易にするために用いられ得るローカル無線通信技法の例は、８０２．１１またはＢｌｕｅｔｏｏｔｈ（登録商標）仕様セットまたは他の標準もしくは専用テレメトリプロトコルに従うＲＦ通信を含む。このようにして、他の外部装置が、セキュアな無線接続を確立する必要なく外部充電装置と通信することが可能であり得る。本明細書に記載されているように、テレメトリ回路部５６は、ＩＭＤ１４から測定された組織温度を受信するように構成され得る。組織温度は、ＩＭＤ１４のハウジングの付近またはハウジングの外部等、再充電可能な電源５８に隣接して測定され得る。ＩＭＤ１４は、組織温度を測定することができるが、１つまたは複数の異なる植込み型温度センサ（例えば、スタンドアローンの植込み型温度検知装置）が異なる位置において組織温度を独立して測定し、この温度を外部充電装置に送信することができる。いくつかの例では、ＩＭＤ１４による複数の温度読み値が、外部充電装置に送信される単一の温度値を生成するために平均化されるかまたは他の形で用いられ得る。温度は異なるレート、例えば、約数マイクロ秒、数ミリ秒、数秒、数分または更には数時間でサンプリングおよび／または送信され得る。次に、処理回路部５０は、受信した組織温度を用いて、累積温熱量を計算することができる。処理回路部５０は、二次コイル６６に対する外部一次コイルの位置合わせに関するフィードバック情報を外部充電装置（例えば、充電装置４０）に送信することができる。この位置合わせ情報は、充電装置４０または他の装置によって、外部充電コイル（例えば、一次コイル）を位置決めするためにウェアラブル医療装置における場所を決定するときに、ユーザにフィードバックを与えるために用いられ得る。したがって、いくつかの例では、ＩＭＤ１４は、充電コイルが患者の頭皮に対して位置するべき場所を決定するのを支援するデータを提供することができる。ウェアラブル医療装置は、患者の頭皮に位置するが、ウェアラブル医療装置に対する外部再充電コイルの場所は、それぞれの場所における再充電コイルの取付けのために決定され得る。
【００３４】
[0072]本開示の態様は、再充電装置（例えば、１つまたは複数の再充電コイル）を、患者の頭皮１６に対する複数の場所に固定するように構成されるウェアラブル医療装置に関する。複数の場所において再充電コイルを固定するようにウェアラブル医療装置を構成することは、患者が、再充電装置の再充電コイルを、ＩＭＤ１４の二次コイル６６と繰り返し位置合わせする能力を改善することができる。このようにして、再充電セッションごとに、ウェアラブル医療装置は、再充電コイルを一貫して場所特定し、再充電装置がＩＭＤ１４の電源５８を相対的に高い効率で再充電することができることを可能にすることができる。
【００３５】
[0073]更に、本明細書において論じられるように、ウェアラブル医療装置は、患者の頭部１２における所定の場所に取外し可能に固定可能であり得、それによって、固定時に、再充電装置の再充電コイルは、患者の頭皮１６に対しそれぞれの所定の場所に確実に位置することができる。いくつかの例では、ウェアラブル医療装置は、所定の方式で実質的に所定の場所においてのみ頭部１２に固定するように（例えば、ウェアラブル医療装置を、所定の場所以外の場所で頭部１２に固定することが困難、不可能および／または不快であるように）構成され得る。更に、ウェアラブル医療装置は、患者の頭部１２に固定するのが相対的に容易であり得、それによって、ウェアラブル医療装置を頭部１２に固定するのに、単一の手および最小量の動きしか必要としないことができる。更に、固定されている間、ウェアラブル医療装置は、患者の頭部１２において相対的に安定し得、それによって、ウェアラブル医療装置は、頭部１２から意図せずに固定解除されることを回避するように構成され得る。ウェアラブル医療装置は、ウェアラブル医療装置を頭部１２から取り外すためにウェアラブル医療装置に特定の除去力が加わるまで、実質的に無限の期間にわたって頭部１２に固定されたままであるように構成され得る。ウェアラブル医療装置は、頭部１２に固定されているとき、相対的に快適であるように構成され得る。いくつかの例では、ウェアラブル医療装置は、患者の頭部１２に特に適合するように、ウェアラブル医療装置の適合を調節するように構成される１つまたは複数の調節機構を含むことができる。
【００３６】
[0074]ウェアラブル医療装置の形状に依拠して、再充電装置は、コイルの異なる組を利用することができる。図３Ａ〜図３Ｄは、本明細書において開示されている例示的なウェアラブル医療装置によって保持され得る例示的な再充電コイル構成要素の概念的形態を示す。コイル構成要素は、剛体基板またはＫａｐｔｏｎ等の可撓性基板に接着された、巻線またはプリント回路基板（ＰＣＢ）型の金属トレースによって形成され得る。コイル構成要素は、（例えば、図５に示されるような）再充電回路部も含む充電モジュールの一部とすることができる。図３Ａ〜図３Ｄの再充電コイルは、例えば、図４Ａ、図４Ｃ、図５〜図６Ｃ、図８Ａ、図８Ｂおよび図１０Ａ〜図３４Ｃのウェアラブル医療装置等の、本明細書において記載されているようなウェアラブル医療装置によって用いられ得る。
【００３７】
[0075]図３Ａは、本明細書において論考され、示されるウェアラブル医療装置によって用いられ得る、相対的にコンパクトな再充電コイル構成要素８０Ａ〜８０Ｆ（まとめて、「コイル構成要素８０」）の様々な形状を示す概念図である。コイル構成要素８０は、相対的に剛体または相対的に可撓性とすることができ、相対的に平坦であるかまたは事前に形成された湾曲を有することができる。
【００３８】
[0076]図３Ｂ〜図３Ｄは、本明細書に論考され、示されるウェアラブル医療装置によって用いられ得る、それぞれ３つの更なるタイプのコイル構成要素８２、８４、８６の例示的な形状を示す概念図である。図３Ｂを参照すると、構成要素８２は、基板の外周の周りにのみ延びる再充電コイルを有する。図３Ｃを参照すると、構成要素８４は、基板の外周の周りにおよび外周内を同心巻きで延びる単一の再充電コイルを有するか、または複数の同心再充電コイルを有する。複数の再充電コイルを有する構成要素８４の例において、コイルは、個々にオンにされ得る。図３Ｄを参照すると、構成要素８６は、基板にわたって分散された、複数の相対的に小さなコイルを有する。コイルは、個々にオンにされてもよく、グループでオンにされてもよい。コイル構成要素８２、８４、８６の各々は、相対的に剛体または相対的に可撓性とすることができ、相対的に平坦であるかまたは事前に形成された湾曲を有することができる。
【００３９】
[0077]図４Ａは、患者の頭部１２に固定される、ウェアラブル医療装置１０１および再充電装置１０３を含むことができる再充電システム１００の組み立てられていない図を示す概念図である。ウェアラブル医療装置１０１は、取付け時に、ウェアラブル医療装置１０１および再充電装置１０３を頭部１２に固定するように頭皮１６の周囲の少なくとも一部分の周りに延びるように構成される固定部材１０２を含むことができる。固定部材１０２は、１つの相対的に平坦な平面に沿って頭皮１６の外周の周りに実質的に完全に延びるように構成されるバンドとすることができる。例えば、患者の頭部１２の側面図を示す概念図である図４Ｂを参照すると、固定部材１０２は、頭部１２の額１０６から頭部１２の背面の前部中央１０８に延びる相対的に平坦な面１０４に沿って頭部１２に固定され得る。いくつかの例では、固定部材１０２は、固定部材１０２が平面１０４以外の平面に沿って頭部１２に固定されることが困難であるか、不可能であるか、またはそうでなければ不快であり得るように、実質的に平面１０４のみに沿って頭部１２に固定するように構成され得る。しかしながら、固定部材１０２が頭部１２に固定される平面１０４は変更可能であり得、それによって、再充電装置１００は、異なる方式で異なる平面を識別または選択するように構成され得る。
【００４０】
[0078]いくつかの例では、固定部材１０２は、相対的に非弾性にまたは堅くすることができ、それによって、固定部材１０２は、通常の動作力に応じて全体形状を維持するように構成され得る。例えば、固定部材１０２は、固定部材１０２が頭部１２に固定される平面１０４に沿って頭皮１６の断面形状に概ね合致する相対的に円形の形状を画定するように構成され得る。固定部材１０２は、平面１０４に沿って頭皮１６の周囲よりもわずかに小さい周囲を画定するように構成され得、それによって固定部材１０２は、頭部１２に適合するようにわずかに伸びる（例えば、断面における差に等しい量だけ伸びる）。いくつかの例では、固定部材１０２は、頭部１２と固定部材１０２との間のこの締まり嵌めの結果として、ウェアラブル医療装置１０１を頭部１２に固定することができる。固定部材１０２は、ウェアラブル医療装置１０１を頭部１２に固定することを促進する卵型、長方形、角丸長方形、または任意の他の形状の断面形状を有することができる。固定部材１０２の相対的非弾性の材料は、ポリエチレン、高密度ポリエチレン、ナイロン等を含むことができる。
【００４１】
[0079]他の例では、固定部材１０２は相対的に可撓性であってもよく、それによって、固定部材１０２は所定の形状を実質的に保持しない。そのような例では、固定部材１０２は、相対的に小さな周囲長の直径を画定し、かつ／または固定部材１０２が相対的に非弾性であるかもしくは堅い例よりも相対的に伸びる材料から作製され得る。相対的により可撓性の固定部材１０２は、相対的に小さな周囲、および相対的に堅い固定材料１０２と比較してより弾性の構造の結果として、頭部１２に固定され得る。したがって、固定部材１０２は、固定部材１０２の相対的堅さと相対的周囲と相対的弾性との締まり嵌め関係の結果として、頭部１２に固定されるように構成され得る。
【００４２】
[0080]固定部材１０２は、固定部材１０２が頭部に固定されるときに頭蓋骨２３の輪郭に合致するように伸びるように構成される弾性材料から作製され得る。例えば、固定部材１０２は、マイクロポリエステルおよび／もしくはスパンデックス材料等の布、または単独のもしくは互いに組み合わされた、ポリプロピレン、ポリエチレン、シリコーン、ポリカーボネート、アクリル、アクリロニトリルブタジエンスチレン、ポリスチレン、スチレンアクリロニトリル等の材料、または他の類似の材料から作製され得る。いくつかの例では、固定部材１０２は、ウェアラブル医療装置１０１の外面に延びることができる。他の例では、固定部材１０２は、内部構成要素であってもよく、それによって固定部材１０２は可撓性本体１１０のポケット内に封入される。
【００４３】
[0081]可撓性本体１１０は、再充電装置１００の構成要素とすることができる。可撓性本体１０４は、相対的に可撓性の縫合されたまたは織られた布またはシートとすることができる。可撓性本体１０４は、固定部材１０２に堅く固定され得、それによって、可撓性本体１１０および固定部材１０２のうちの一方または双方を損傷することなく固定部材１０２から可撓性本体１０４を除去することが困難となり得る。例えば、固定部材１０２は、可撓性本体１１０の一部分を折り曲げて固定部材１０２自体に縫合することによって作成されたポケット内に配設され得るか、または固定部材１０２は、可撓性本体１１０に縫合もしくは結合されるか、または他の形で直接連結され得る。
【００４４】
[0082]可撓性本体１１０は、固定部材１０２の上縁１１２から径方向に延びるように構成され得る。ここで、上縁１１２は、固定部材１０２の外周の周りに延びる固定部材１０２の縁である。頭部１２に固定されるとき、上縁１１２は、固定部材１０２の、頭部１２の顔から最も遠い部分になることができる（例えば、上縁１１２が、頭部１２に固定されるとき、患者の頭部１２の「最上部」付近にあるようにする）。可撓性本体１１０は、固定部材１０２が頭部に安定して装着されているとき、患者の頭皮１６の左前象限、左後象限、右後象限および右前象限の各々の少なくともいくらかの輪郭に一致するように構成され得る。例えば、固定部材１０２は、頭皮１６が頭部１２の周りに延びる通りに、頭皮１６の外側境界に固定されるように構成され得、可撓性本体１１０は、安定して装着された固定部材１０２から径方向に内方に延びるとき、頭皮１６のほとんどまたは全てを実質的に覆うように構成され得る。
【００４５】
[0083]再充電システム１００の再充電装置１０３は、電源区画１１６（例えば、電源、処理回路部、および／または他の機能構成要素等の電気構成要素を含む電源ユニット）を含むことができる。再充電装置１０３は、図１Ｄの再充電装置４０に類似することができる。電源区画１１６は、各々がそれぞれの再充電コイル８０、８２、８４、８６を含むことができる１つまたは複数の再充電コイル容器１１８Ａ、１１８Ｂ（まとめて、「再充電コイル容器１１８」）に結合され得、ここで、再充電装置１０３は、電源区画１１６、再充電コイル容器１１８およびそれぞれの再充電コイル８０、８２、８４、８６を含むことができる。再充電コイル容器１１８は、図１Ｄの再充電コイル４２Ａおよび４２Ｂに類似することができ、電源区画１１６は、図１Ｄの電源ユニット４２に類似することができる。電源区画１１６は、１つまたは複数のケーブル１２０Ａ、１２０Ｂ（まとめて、「ケーブル１２０」）を通じて再充電コイル容器１１８内に収容された再充電コイル８０、８２、８４、８６に結合され得る。電源区画１１６は電源を含むことができ、再充電コイル容器１１８の再充電コイルに電流を提供するように構成され得、それによって、これらの再充電コイルは電磁場を生成することができ、この電磁場から、植え込まれた頭蓋に装着された医療装置（例えば、図２からのＩＭＤ１４の二次コイル６６）のそれぞれの充電モジュールの二次コイルが、植え込まれた医療装置の電力供給装置（例えば、電源５６）を再充電するための電流を引き出すことができる。
【００４６】
[0084]電源区画１１６は、ウェアラブル医療システム１０１に固定されるように構成され得る。電源区画１１６は、安定しているが一時的な方式で固定されるように構成され得、それによって、電源区画１１６は、ウェアラブル医療システム１０１に対し多数回取付けおよび取外しされ得る。いくつかの例では、ウェアラブル医療装置１０１は、ウェアラブル医療装置１０１の対向する側にある前側１２２および後側１２４を画定することができる。ここで、前側１２２は、前側１２２が頭部１２の前部と位置合わせされるように頭部１２２に固定されるように構成され、後側１２４は、頭部１２の後部と位置合わせされるように構成される。そのような例において、電源区画１１６は、ウェアラブル医療装置１０１の後端１２４において固定機構１０２にクリップ留めされるかまたは他の形で取り付けられるように構成され得る。
【００４７】
[0085]いくつかの例では、ケーブル１２０は、電源区画１１６と１つまたは複数の再充電コイル容器１１８との間に実質的に永久的に結合され得、それによって、ケーブル１２０、電源区画１１６および／または再充電コイル容器１１８を損傷することなく、電源区画１１６および／または再充電コイル容器１１８からケーブル１２０を除去することが困難または不可能であり得る。他の例では、ケーブル１２０は、電源区画１１６を再充電コイル容器１１８に結合するように、電源区画１１６および／または再充電コイル容器１１８内に挿入されるように構成され得る。例えば、ケーブル１２０は、電源区画１１６および再充電コイル容器１１８のうちの一方または双方にプラグインするためのマイクロユニバーサルシリアルバス（ＵＳＢ）フォーマットを利用することができる。
【００４８】
[0086]再充電コイル容器１１８は、図３Ａのコイル構成要素８０Ａ等のコイル構成要素を封入するハウジングを含むことができる。再充電コイル容器１１８は、可撓性本体１１０に固定されるように構成され得る。再充電コイル容器１１８は、再充電コイル容器１１８が頭皮１６に接触するように可撓性本体１１０の主面に固定されるように構成され得る。例えば、可撓性本体１１０は、再充電装置１００の外面上の第１の主面１２６、および第１の主面の反対側の第２の主面１２８を画定することができ、第２の主面１２８は、固定部材１０２が頭部１２に固定されると、頭皮１６に接触するように構成される。この例では、再充電コイル容器１１８は、可撓性本体１１０の第２の主面１２８に固定されるように構成され得る。
【００４９】
[0087]再充電コイル容器１１８は、可撓性本体１１０の第２の主面１２８に固定されるときに頭皮１６に接触するように構成される主面１３０を画定することができる。再充電コイル容器１１８の主面１３０は、頭皮１６の湾曲を近似する湾曲を画定することができる。例えば、図４Ｃは、図４Ａに示す平面１３２に沿って取得された再充電コイル容器１１８Ｂの断面図を示す概念図である。図４Ｃに示すように、再充電コイル容器１１８Ｂの主面１３０は、概ね患者の頭部１２の中心点にある中心点１３５に対し半径１３４を有する湾曲を画定する。このようにして、主面１３０の湾曲の半径１３４は、実質的に、患者の頭皮１６の湾曲に類似し得る。いくつかの例では、主面１３０は、患者の頭皮１６の湾曲をより良好に近似するように、主面１３０の異なる部分にわたって変化する半径１３４を画定することができる（例えば、患者の頭部１２は完全に球形でないため）。頭皮１６に接触し、頭皮１６の湾曲を近似する主面１３０を画定するように再充電コイル容器１１８を構成することにより、再充電コイル容器１１８が頭皮１６に対し配設されるときに再充電コイルおよびウェアラブル医療装置１００の快適さおよび／または位置合わせを改善することができる。
【００５０】
[0088]いくつかの例では、ウェアラブル医療装置１０１は、固定部材１０２および可撓性本体１１０の正面１２２から外方に延びるように構成される、ひさし１３６を含むことができる。例えば、ウェアラブル医療装置１０１が患者の頭部１２の固定されるとき、ひさし１３６は、患者の額１０６の上を外方に延び、かつ／または患者の眼を（例えば、再充電装置１００が屋外で着用されているとき、太陽から）陰にするように構成され得る。ひさし１３６は、高密度ポリエチレン等のポリマー等のような相対的に堅い材料から作製され得、それによって、ひさし１３６は、再充電コイル容器１１８を１つまたは複数の所定の場所に位置決めするためにウェアラブル医療装置１０１を頭部１２に対し操作するときに、ひさし１３６の形状および可撓性本体１１０の形状を維持する。
【００５１】
[0089]ひさし１３６は、ウェアラブル医療装置１０１が頭部１２に固定されるときに、ひさし１３６およびウェアラブル医療装置１０１の快適性を増大させるために、相対的に堅い材料を覆う相対的にコンプライアントな、または軟らかい材料を含むことができる（例えば、マイクロポリエステル材料）。いくつかの例では、ひさし１３６は、ひさし１３６が固定部材１０２および可撓性本体１１０から離れるように延びるとき、静的「Ｕ」形状に曲げ可能であるように構成され得る。他の例では、ひさし１３６は、更にまたは代替的に、ひさし１３６が固定部材１０２および可撓性本体１１０から離れるように延びるとき、相対的に平坦なプレートを画定するように構成され得る。ひさし１３６が固定部材１０２および可撓性本体１１０から離れるように延びる量は、説明のためにのみ示され、ひさし１３６は異なる例では異なる長さで延びる場合がある。いくつかの例では、ひさし１３６の材料の品質の量は、電源区画１１６がウェアラブル医療装置１０１の後部１２４に固定されるとき、電源区画１１６に対するカウンタウェイトを与えることができる。
【００５２】
[0090]いくつかの例では、可撓性本体１１０は、少なくとも固定部材１０２から可撓性本体１１０における中央スポットに延びる複数の継ぎ目１３８を含むことができる。継ぎ目１３８は、可撓性本体１１０に、構造的サポート、例えば堅さを与えることができる。継ぎ目１３８が可撓性本体１１０に堅さを与える結果として、ウェアラブル医療装置１０１は、再充電コイル容器１１８が患者の頭部１２上に植え込まれる装置１４の再充電コイルと位置合わせされる能力を改善することができ、これによりウェアラブル医療装置１０１および再充電装置１０３が患者の頭部１２上に植え込まれる装置１４の電源を再充電することができる効率を改善する。継ぎ目１３８は、可撓性本体１１０を、４つの相対的に等しい象限に分割することができるが、他の例では、継ぎ目１３８は、可撓性本体１１０をより多くの（例えば、６つ）またはより少ない（例えば２つ）サブセクションに分割してもよい。
【００５３】
[0091]いくつかの例では、電源区画１１６は、充電コイル容器１１８の再充電コイルへの電流を制御するための機能的充電制御装置を含むことができる。例えば、電源区画１１６は、再充電装置１０３の機能を提供するために、回路部、コイル、メモリ等を含むことができる。例えば、図５は、再充電コイル容器１１８に結合された電源区画１１６を含むことができる再充電装置１０３の構成要素のブロック図である。
【００５４】
[0092]図５は、明確にするために、コイル８０が充電コイル容器１１８内に収容された状態で示されているが、他の例では、コイル８２、８４、８６または他のタイプのコイルが充電コイル容器１１８内に収容され得ることが理解されよう。図５の電源区画１１６は、電力管理回路部１６２および変調回路部１６４等の構成要素に制御信号を送信することによって、再充電可能な電源１５８からのエネルギーの送達を制御する処理回路部１５０を収容するハウジングを含むことができる。これらの構成要素の各々または回路部は、本明細書に記載の機能のうちのいくつかまたは全てを実行するように構成される電気回路部を含むことができる。示すように、電源区画１１６は、再充電装置１０１に属する技法を行うために、ハードウェアの任意の適切な構成を、単独でまたはソフトウェアおよび／もしくはファームウェアと組み合わせて含むことができる。処理回路部１５０は、１つまたは複数のマイクロプロセッサ、ＤＳＰ、ＡＳＩＣ、ＦＰＧＡまたは任意の他の等価な集積回路部もしくはディスクリート論理回路部等の１つまたは複数のプロセッサ、およびそのような構成要素の任意の組合せを含むことができる。例えば、処理回路部１５０は、テレメトリ回路部１５６に関して論考したプロセスを行うように構成される１つまたは複数のプロセッサを含むことができる。
【００５５】
[0093]電力管理回路部１６２は、電源区画１１６の入力ポート１６６から受信されるＡＣ電圧を用いて、再充電可能な電源１５８を再充電する。変調回路部１６４は、電源１５８によって提供されるＤＣ電圧を、ケーブル１２０を介して再充電コイル８０に送達するのに望ましい振幅および周波数でＡＣ電圧に変換する。ケーブルは、充電コイル容器１１８に結合され、そこで入出力ポート１６８を介してコイル８０に結合され得る。単一のコイル８０のみがケーブル１２０を介して電源区画１１６に結合されるものとして示されているが、２つ以上のコイルが同じまたは異なるそれぞれのケーブル１２０を介して電源区画１１６のＩ／Ｏポート１６８に結合されてもよい。
【００５６】
[0094]図５の例は、テレメトリ回路部１５６を含む電源区画１１６を更に示す。テレメトリ回路部１５６は、処理回路部１５０の制御下のＩＭＤ１４と再充電装置１００との間の無線通信をサポートすることができる。テレメトリ回路部１５６はまた、無線通信技法を介して、または有線接続を通じた直接通信を介して、別のコンピューティング装置と通信するように構成され得る。いくつかの例では、テレメトリ回路部１５６は、コイル８０を介して、ならびに／または別のコイルおよび／もしくは他の専用テレメトリアンテナを介して（例えば、無線周波数テレメトリを介して）無線通信を提供することができる。例えば、テレメトリ回路部１５６は、それぞれのＩＭＤ１４の温度が誘導電流の結果として閾値を超えることを示す１つまたは複数のＩＭＤ１４からの信号を受信することができ、これに応じて、再充電装置１０３は、それぞれのＩＭＤ１４がＩＭＤ１４において誘導される電流を低減するために、電磁場の電力を低減することができる。処理回路部１５０は、テレメトリを介して再充電ステータス情報を受信し、この情報を、ユーザインターフェース１５４を介して患者に提示することができる。ユーザインターフェース１５４は、ディスプレイ、１つまたは複数のボタンもしくはダイヤル、および／または１つまたは複数のスピーカを含むことができる。処理回路部１５０はまた、ユーザインターフェース１５４を介してユーザ入力を受信するように構成され得る。
【００５７】
[0095]メモリ１５２は、テレメトリを介して受信される情報を記憶することができ、また、処理回路部１５０によって実行されることになるプログラム命令を記憶することができる。メモリ１５２は、ＲＡＭ、ＲＯＭ、ＰＲＯＭ、ＥＰＲＯＭ、ＥＥＰＲＯＭ、フラッシュメモリ、ハードディスク、ＣＤ−ＲＯＭ等を含むことができる。更に、メモリ１５２は、処理回路部１５０によって実行されると、処理回路部１５０および再充電装置１００に、本開示全体を通じて再充電装置１００に属するとみなされる機能を提供させる実行可能命令を記憶することができる。例えば、メモリ１５２は、処理回路部１５０に、受信したユーザ入力に応じて１つまたは複数の再充電コイル容器１１８のコイル８０に電流を送信させる命令を含むことができる。
【００５８】
[0096]処理回路部１５０、テレメトリ回路部１５６、電力管理回路部１６２および変調回路部１６４は別個の回路として記載されているが、いくつかの例では、処理回路部１５０、テレメトリ回路部１５６、電力管理回路部１６２および／または変調回路部１６４は、機能的に一体化されてもよい。いくつかの例では、処理回路部１５０、テレメトリ回路部１５６、電力管理回路部１６２および／または変調回路部１６４は、ＡＳＩＣ、ＤＳＰ、ＦＰＧＡ等の個々のハードウェアユニット、または他のハードウェアユニットに対応することができる。
【００５９】
[0097]図６Ａ〜図６Ｃは、それぞれ展開斜視図、展開断面図および組立て断面図における再充電コイル容器１１８Ｂおよび取付け組立体の概念図を示す。図６Ｂおよび図６Ｃの断面図は、図６Ａの切断面１７１に沿って取得される。取付け組立体１７０は、再充電コイル容器１１８Ｂと相互接続するように構成されるブラケット１７２を含む。例えば、ブラケット１７２は、ボア円筒形突起１７８が共通軸１７８に沿って再充電コイル容器１１８のボア１７６に向かって動かされるとき、ボア１７６によって受けられることになるように構成される円筒形突起１７４を画定することができる。円筒形突起１７４およびボア１７６は、スナップ嵌めまたは締まり嵌めを画定することができ、ここで、円筒形突起１７４の外径１７８は、ボア１７６の内径１７８と実質的に同様であるかまたはわずかに大きい。
【００６０】
[0098]更に、ブラケット１７２は、再充電コイル容器１１８Ｂの隆起１８２を受けるように構成されるチャネル１８０を画定することができる。チャネル１８０は、円筒形突起１７８の一部分の周りにまたは完全に円筒形突起１７８の周りに配設され得る一方で、隆起１８２は、部分的にまたは完全にボア１７６の周りに配設される。他の例では、チャネル１８０は、円以外の形状（例えば、正方形、長方形、またはパターン内の複数の場所）で円筒形突起１７８の周りに延びてもよい（およびその内部で隆起１８２がボア１７６の周りに延びることができる）。チャネル１８０および隆起１８２は、隆起１８２の外寸がチャネル１８０のそれぞれの内寸以上になるように、スナップ嵌めまたは締まり嵌めを画定することができる。
【００６１】
[0099]ブラケット１７２は、コイル容器１１８Ｂの外縁１８６の周りに延びるように構成されるリップ１８４を画定することができる。隆起１８２とチャネル１８０との間および円筒形突起１７４とボア１７６との間の締まり嵌めの結果として、リップ１８４は外縁１８６に対し押し付けられ、ブラケット１７２をコイル容器１１８Ｂに固定する。これらの締まり嵌めの１つまたは複数は、ブラケット１７２およびコイル容器１１８Ｂが、ユーザが意図的にブラケット１７２およびコイル容器１１８Ｂをこじ開けることなく分離する可能性が低くなるように、ブラケット１７２をコイル容器１１８Ｂに固定するように構成され得る。
【００６２】
[0100]取付け組立体１７０は、ピン１８８を含むことができる。ピン１８８は、円筒形凹部１９０によって受けられるように構成され得る。ピン１８８は、プレス嵌め／締まり嵌め等により受けられ得る（ただし、明確にするために締まり嵌めが以下で論考される）。いくつかの例では、ピン１８８は、ピン１８８自体が円筒形凹部１９０とのプレス嵌めを画定するのではなく、可撓性本体１１０の材料がピン１８８と円筒形凹部１９０との間の何らかの空間を占有する結果としてピン１８８が円筒形凹部１９０によって受けられるように構成され得る。他の例では、以下で記載されるように可撓性本体１１０に孔が作成され得、この孔を通じて、ピン１８８が妨害されることなく延び、締まり嵌めにより円筒形凹部１９０によってしっかりと受けられる。円筒形凹部１９０は、組立体軸１７８を中心とすることができる。円筒形凹部１９０は、ブラケット１７２の反対側から延びる円筒形突起１７４内に延びることができる。他の例では、円筒形凹部１９０は、ブラケット１７２を通って延びるボアを含むかまたはこれと置き換えられ得る。ピン１８８の端部におけるプレート１９２は、ピン１８８が円筒形凹部１９０によって受けられるとき、ブラケット１７２の表面１９４とほぼ同一面上にあることができる。ピン１８８は、可撓性本体１００の外側主要面（例えば、図４Ａの第１の主要面１２６）から、内側主要面（例えば、図４Ａの第２の主要面１２８）まで延びるように構成され得、それによって、プレート１９２は外側主要面に押し付けられ、ブラケット１７２の表面１９４は内側主要面に押し付けられる。
【００６３】
[0101]いくつかの例では、取付け組立体１７０は、ピン１８８を受けるように構成される穿刺構成要素１９６を含むことができる。穿刺構成要素１９６は、可撓性本体１１０を穿刺するのに十分鋭い、鋭い先端部を含むことができる。穿刺構成要素１９６は、穿刺構成要素１９６が孔を作成することができるようにピン１８８によって受けられるように構成され得、この孔を通して、ピン１８８は次に、ブラケット１７２およびその内部でコイル容器１１８Ｂを可撓性本体１１０に固定するように延びることができる。例えば、コイル容器１１８Ｂは、内側主要面（例えば、図４Ａの第２の主要面１２８）における特定の所定の場所にナビゲートされ得、それに応じて、ユーザは、ピン１８８に固定された穿刺構成要素１９６を用いて、穿刺構成要素１９６をボア１７６に通して押すことによって可撓性本体１１０内に孔を作成することができる。可撓性本体１１０に孔が作成されると、穿刺構成要素１９６は、完成した取付け組立体１７０の一部でないため破棄され得る。次に、ブラケット１７２がコイル容器１１８Ｂに固定され得、ピンが孔（コイル容器１１８Ｂが所定の場所に保持されるときに穿刺構成要素１９６が孔を作製する結果として正しいスポットにある）を通じて押され、ブラケット１７２に固定され得る。
【００６４】
[0102]コイル１１８のボア１７６は、ピン１８８を設置し、ブラケット１７２をピン１８８に取り付けるための、可撓性の本体上の場所を決定することを容易にすることもできる。例えば、患者がウェアラブル医療装置を着用し、可撓性本体が頭皮の上に配設されている間、ユーザは、コイル１１８を可撓性本体の外表面上に位置決めすることができる。例えば、コイル１１８の下のＩＭＤ１４の二次コイルに対するコイル１１８の正しい位置合わせに関する、再充電装置１０３によって提供されるフィードバックにより、ユーザは、マーカ、ペン、ピン、または他のマーキング装置を挿入し、可撓性本体内にマークを設置するか、または小孔を作成することができる。
【００６５】
[0103]図７Ａは、可撓性本体１１０の第２の主要面１２８におけるマッピング２０１の概念図を示す。マッピング２０１は、再充電コイル容器１１８が固定され得る複数の所定の場所に相関する第２の主要面１２８における視覚的標識を含むことができる。例えば、図７Ａに示すように、マッピング２０１は、円形の指標２００Ａ〜２００Ｄ（まとめて、「指標２００」）を含むことができる。いくつかの例では、複数の円形指標２００の各々が、指標２００の各々を識別するための数、文字等の一意の識別子を含むことができる。更に、図７Ａに示すように、いくつかの例では、指標２００は、可撓性本体１１０の継ぎ目１３８によって分割される第２の主要面１２８の異なる象限において視覚的に異なって見え得る。例えば、異なる象限の指標２００は、異なる色であり得るか、または相対的に異なる形状を画定することができるか、または図７Ａに示すのと相対的に異なる線で第２の主要面１２８上に「描かれ」得る。第２の主要面にわたって指標２００の外観を変えることによって、ユーザが選択された指標２００およびそこでの選択された所定の場所を利用するために識別する能力を改善することができる。マップの円形指標２００によって識別される場所は、患者によって、再充電コイルをウェアラブル医療装置１０１に取り付けるのに用いられるブラケットまたは他の定着部材を再取付けするための正しい場所を識別するのに用いられ得る。
【００６６】
[0104]ウェアラブル医療装置１０１は、固定部材１０２Ａを含むことができ、固定部材１０２Ａは、本明細書に記載の任意の差異を除いて、固定部材１０２と実質的に類似し得る。いくつかの例では、ウェアラブル医療装置１０１は、固定部材１０２Ａの周方向の長さを機能的に調節し、そこでそれぞれの患者の頭部１２に対するウェアラブル医療装置１０１の適合を調節することができる、調節機構を含むことができる。調節機構はウェアラブル医療装置１０１の後部セクション１２４に位置することができる。例えば、図７Ａに示されるように、固定部材１０２Ａの部分２０２は、可撓性本体１１０から外方に延びることができる。更に、可撓性本体１１０は、固定部材１０２Ａの部分２０２から距離２０４だけ延び、そこで固定部材１０２Ａが固定部材１０２Ａの周方向の長さを増減させることを可能にすることができる。
【００６７】
[0105]調節機構は、固定部材１０２の部分２０２と周方向に位置合わせるフック・アンド・ループ・ストラップ２０６を含むことができる。固定部材１０２の部分２０２は、嵌合するフック・アンド・ループ・ストリップも有することができ、それによって、部分２０２のそれぞれのフック・アンド・ループ・ストリップに嵌合されるフック・アンド・ループ・ストラップ２０６の長さに依拠して、固定部材１０２の周方向の長さが変更され得る。
【００６８】
[0106]図７Ｂおよび図７Ｃは、異なる例示的な調節機構を有するウェアラブル医療装置１０１の後部１２４の概念図を示す。例えば、図７Ｂは、複数の孔２１０を画定する嵌合ストラップ２０８を示す。孔２１０は、固定部材１０２Ｂの様々な周方向の長さに対応することができ、これは、本明細書に記載の任意の差異を除いて、固定部材１０２Ａと実質的に類似し得る。固定部材１０２Ｂの部分２１８は、孔２１０によってしっかりと受けられるように固定部材１０２から延びるように構成される１つまたは複数のプロングまたはピン（図示せず）を画定することができる。固定部材１０２Ｂの部分２１８のピンが通って延びる孔２１０を調節または修正することによって、ウェアラブル医療装置１０１は、固定部材１０２Ｂの内部の周方向の長さを機能的に変えることができる。
【００６９】
[0107]別の例として、図７Ｃは、固定部材１０２Ｃの周方向の長さを増減させるように構成されるクリックホイール２１２を示し、これは、本明細書に記載の任意の差異を除いて、固定部材１０２Ａ、１０２Ｂと実質的に類似し得る。例えば、クリックホイール２１２の回転可能または移動可能な部分２１４が第１の方向に回されるとき、クリックホイール２１２は、固定部材１０２Ｃの或る長さの部分２２０を収集し、内部的に固定し、そこで長さ固定部材１０２Ｃを低減することができる（例えば、クリックホイール２１２内に固定部材１０２Ｃの関連付けられた量の部分２２０を格納することによる）。同様に、クリックホイール２１２の回転可能または移動可能な部分２１４が第２の反対方向に回されるとき、クリックホイール２１２は、固定部材１０２Ｃの或る長さの部分２２０を解放および「出力」し、そこで、解放された量だけ固定部材１０２Ｃの周方向の長さ全体を増大させることができる。
【００７０】
[0108]いくつかの例では、ウェアラブル医療装置１０１は、第２の主要面１２８に隣接した１つまたは複数の場所にケーブル１２０を固定するように構成される１つまたは複数のクリップ２１６を含むことができる。クリップ２１６は移動可能であり得、それによって、ケーブル１２０はウェアラブル医療装置１０１に沿った異なる相対的場所に固定され得る。クリップ２１６は、ケーブル１２０を固定部材１０２および／または可撓性本体１１０に固定するように構成され得る。クリップ２１６を用いてケーブル１２０を充電装置１００の異なる領域に固定することにより、ウェアラブル医療装置１０１の快適性を増大させ、ケーブル１２０が電源区画１１６および再充電コイル容器１１８間に配線されるときにケーブル１２０が「よじれる」ことを回避することができる。
【００７１】
[0109]図８Ａおよび図８Ｂは、再充電コイル容器１１８が可撓性本体１１０の第２の主要面１２８に固定されるときの充電システム１００の概念図を示す。図８Ａおよび図８Ｂは、説明の目的でフック・アンド・ループ・ストラップ２０６による調節機構を示しているが、他の例では、本開示に沿う他の調節機構が用いられてもよいことが理解されよう。更に、指標２００は、明確にするために、図８Ａおよび図８Ｂにおける色または線の視覚的差異なしで示されるが、他の例では、指標２００は、異なる指標にわたって多くの異なる色または線のタイプを含んでもよいことが理解されよう。
【００７２】
[0110]図８Ａは、固定部材１０２の部分２０２およびフック・アンド・ループ・ストラップ２０６に固定された電源区画１１６と、可撓性本体１１０の第２の主要面１２８に固定された１つの再充電コイル容器１１８Ｂとを示す。言い換えれば、ブラケット１７２は、再充電コイル容器１１８Ｂがブラケット１７２に固定されている間にピン１８８が第２の主要面１２８を通って延びる（図示せず）結果として、可撓性本体１１０の第２の主要面１２８に固定され得る。図８Ａに示されるように、再充電装置１０３のケーブル１２０は、ケーブル１２０が電源区画１１６から再充電コイル容器１１８Ｂに延びるときに固定解除され得る。穿孔部材１９６は、既に孔２３０を作成しておくことができ、この孔を通して、別のピン１８８が、再充電コイル容器１１８Ａが固定される別のブラケット１７２に固定するように延びることができる。
【００７３】
[0111]いくつかの例では、一方または双方のコイル容器１１８が、それぞれの容器１１８が位置することになる可撓性本体１１０における場所を示すマーカ２２９Ａを含むことができる。例えば、コイル容器１１８Ａは、可撓性本体１１０のマーカ２２９Ｂと合致するマーカ２２９Ａを含む。明確にするために、図８Ａには１つの指標のみがマーカ２２９Ｂで示されているが、いくつかの例では、各指標は、それぞれのマーカ２２９Ｂを有することができる。可撓性本体１１０上のマーカ２２９Ｂは指標２２０に独自とすることができ、それによって、各指標２００は、コイル容器１１８Ａがいずれの指標２００に固定されることになるかをユーザが覚えておくことができるように、相対的に独自のマーカ２２９Ｂを有することができる。明確にする目的で、コイル容器１１８Ａにおけるマーカ２２９Ａは、可撓性本体１１０上のマーカ２２９Ｂと実質的に同一であるように示されているが、他の例では、１つのマーカ２２９Ａは他のマーカ２２９Ｂと異なっていてもよい。説明の目的で、マーカ２２９Ａ、２２９Ｂは図８Ａにおいて幾何学的形状（星）として示されているが、マーカ２２９Ａは、本明細書における開示に従う任意の符号シンボルまたは視覚的識別子とすることができる。
【００７４】
[0112]図８Ｂは、可撓性本体１１０の第２の主要面１２８に固定された再充電コイル容器１１８Ａを示す。再充電コイル容器１１８Ａは、再充電コイル容器１１８Ａに固定されるブラケット１７２によって受けられることになる孔２３０（図示せず）を通して延びるピン１８８を通じて可撓性本体１１０に固定され得る。図８Ｂに示されるように、ケーブル１２０は、１つまたは複数のクリップ２１６を用いることにより再充電装置１０３に固定され得る。いくつかの例では、各ケーブル１２０は少なくとも１つのクリップ２１６によって固定され得る。
【００７５】
[0113]図９Ａおよび図９Ｂは、異なる機構を有する電源区画１１６Ａ、１１６Ｂの概念図を示す。例えば、電源区画１１６Ａは、クリップ２３４に押し付けられるブロック２３２を解放するボタン２３０を含むことができる。ボタン２３０が押し下げられると、ブロック２３２は、電源区画１１６Ａの中央ハウジング２３６に向かって戻るように移動することができる。このようにして、操作者は、例えば、単にボタン２３０を押下し、固定部材１０２をクリップ２３４と電源中央ハウジング２３６との間で操ることで、電源区画１１６Ａを固定部材１０２に固定することができる。
【００７６】
[0114]代替的に、電源区画１１６Ｂはクリップを含むことができる。例えば、電源区画１１６Ｂは、枢動部材２４０が中に枢動することができる空洞２４２を含む。枢動部材２４０は、枢動部材２４０と、電源区画１１６Ｂの底部２４４付近の電源区画１１６Ｂの中央ハウス２３６との間に間隙が現れるように枢動することができる。人物は、枢動部材２４０の上部２４６を押し、電源区画１１６Ｂの底部２４４付近に間隙が現れるようにすることができる。押した後、人物は、固定部材１０２を操って、枢動部材２４０と電源区画１１６Ｂの中央ハウジング２３６との間の間隙内に入れることができる。
【００７７】
[0115]図４Ａ〜図９Ｂのウェアラブル医療装置１０１は主にバードビルキャップとして示されているが、ウェアラブル医療装置１０１は、患者の頭部に依然として再充電装置（例えば、再充電装置１０３）を固定しながら、異なる形状に構築され得る。例えば、図１０Ａ〜図３１Ｃは、例示的なウェアラブル医療装置、およびいくつかの例では、例示的な固定部材、例示的な本体、例示的な電源、例示的な再充電コイル、および電源およびリードを接続する例示的なリードを含む再充電装置の様々な概念図を示す。以下の再充電装置の再充電コイルは、図３Ａ〜図３Ｄの再充電コイル８０、８２、８４、８６に従って成形され得る。これらの再充電コイルは、相対的に剛体または可撓性のハウジングに収納され得、ハウジングのためのいくつかの適切な剛体材料は、限定ではないが、アクリロニトリルブタジエンスチレン（ＡＢＳ）、ポリ塩化ビニル（ＰＶＣ）、ポリカーボネート、高密度ポリエチレン（ＨＤＰＥ）、ポリエーテルエーテルケトン（ＰＥＥＫ）、ポリエチレンテレフタレート（ＰＥＴ）およびポリプロピレンを含み、ハウジングのためのいくつかの適切な可撓性材料は、限定ではないが、シリコーンゴムおよび熱可塑性エラストマーを含む。
【００７８】
[0116]図１０Ａ〜図１０Ｃは、患者の頭皮１６の外側で患者の頭部に装着するための、キャップの形態のウェアラブル医療装置３００の斜視図を示す概念図である。ウェアラブル医療装置３００は、本明細書に記載の任意の差異を除いて、固定部材１０２に実質的に類似している固定部材３０２を含むことができる。固定部材３０２は、概ね水平な平面で頭部１２の周りに延びることができる（すなわち、図１０Ａ〜図１０Ｃに示すように、患者の額１０６を横切り、患者の両耳の横を通り、患者の首に隣接して頭皮１６の後部を横切る）。いくつかの例では、固定部材３０２は、ウェアラブル医療装置３００の外周の周りに延びる小さなバンドを含むことができる。他の例では、固定部材３０２は、患者の頭部１２の上に適合し、患者の頭皮１６の（例えば、図１の）左前、右前、左後および右後象限ＬＡＱ、ＲＡＱ、ＲＰＱ、ＬＰＱの各々の少なくとも一部分に一致するように構成される比較的可撓性の材料も含むことができる。他の例では、ウェアラブル医療装置３００は、固定部材３０２間に延びることによって頭皮１６に一致するように構成される可撓性本体３１０を含む。図１０〜図１０Ｃは、可撓性本体３１０に取り付けられる複数の保持特徴３０４を含むウェアラブル医療装置３００を更に示し、各保持特徴３０４は、再充電コイル容器３１８のうちの１つを保持するように構成される。再充電コイル容器３１８は、再充電コイル１１８と実質的に類似することができる。複数の保持特徴３０４は、ウェアラブル医療装置３００が患者の頭部１２に装着されるときに患者の頭皮１６の各象限に位置する少なくとも１つの特徴３０４、例えば左前象限に位置する保持特徴３０４Ａ、右前象限に位置する保持特徴３０４Ｂ、右後象限に位置する保持特徴３０４Ｃおよび左後象限に位置する特徴３０４Ｄを含むことができる。
【００７９】
[0117]このため、患者は、ウェアラブル医療装置３００が頭部１２に装着されるときにそれぞれの再充電コイル容器３１８が患者の医療電気システムの植込み部位の場所に対応するように挿入され得る適切な保持特徴３０４を選択することができる。図１０Ａ〜図１０Ｃを更に参照すると、別の保持特徴３０６がウェアラブル医療装置３００に含まれて示される。保持特徴３０６は、電源区画３１６を保持するように構成され得る。保持特徴３０４、３０６は、可撓性本体３１０の内側層３１３Ａと外側層３１３Ｂとの間に形成されるポケットとすることができる。保持特徴３０４、３０６は、内側層３１３Ｂからアクセス可能であるように構成され得る。代替的に、保持特徴３０４、３０６は、外側層３１３Ａからアクセス可能であり得るように構成されてもよい。いくつかの例では、本明細書の例のうちの任意のものの保持機能は、代替的にまたは更に、ＶＥＬＣＲＯ（登録商標）ブランドのフック・アンド・ループ特徴等のループ・アンド・フック特徴、スナップ、フック、弾性もしくは他の伸張可能バンド、ボタン、ジッパーまたは任意の他のタイプの保持特徴を含んでもよい。ウェアラブル医療装置３００は、ポリエステル／スパンデックスの混合、および／またはＬｙｃｒａおよび／または綿から形成され得、それによって、固定部材３０２および可撓性本体３１０は、再充電コイル容器３１８の安定した位置を維持するように患者の頭皮１６の外側に一致するように構成される。
【００８０】
[0118]図１１Ａ〜図１１Ｃは、ウェアラブル医療装置４００の様々な図を含む。ウェアラブル医療装置４００は、再充電コイル容器４１８（本明細書に記載の差異を除いて再充電コイル容器１１８、３１８に実質的に類似している）および電源区画４１６（本明細書に記載の差異を除いて実質的に電源区画１１６、３１６に類似している）が一体化される再充電ユニットを含むことができる。例えば、頭皮１６に向けられた再充電ユニット４８２の第１の側は、再充電コイル容器４１８、およびそこにコイル８０、８２、８４、８６のうちの１つを含むことができる一方、再充電ユニット４８２の他方の側は、電源区画４１６を含むことができる。これらの再充電ユニット４８２は、相対的に剛体または可撓性のハウジングを含むことができ、ハウジングに適したいくつかの剛体材料は、限定ではないが、ＡＢＳ、ＰＶＣ、ポリカーボネート、ＨＤＰＥ、ＰＥＥＫ、ＰＥＴおよびポリプロピレンを含み、ハウジングに適したいくつかの可撓性材料は、限定ではないが、シリコーンゴム、および熱可塑性エラストマーを含む。
【００８１】
[0119]図１１Ａ〜図１１Ｃは、固定部材４０２を示す。固定部材４０２は、本明細書に記載の任意の差異を除いて、固定部材１０２、３０２に実質的に類似することができる。固定部材４０２は、患者の頭皮１６の外側で患者の頭部１２に装着するためのヘッドバンドによって部分的に形成され得、それによって、固定部材４０２は、概ね水平な平面で、患者の頭皮１６の左前、右前、左後および右後象限ＬＡＱ、ＲＡＱ、ＲＰＱ、ＬＰＱ（図１）の各々に沿って、頭部１２の周りに延びることができる。図１１Ａ〜図１１Ｃは、可撓性本体４１０を含む再充電装置４００を更に示す。可撓性本体４１０は、本明細書に記載の任意の差異を除いて、実質的に可撓性本体１１０、３１０と類似することができる。可撓性本体４１０は、固定部材４０２に取り付けられた可撓性ストリップの編まれた格子細工によって形成され得、格子細工は、複数のポケットまたは保持特徴４２８を画定する。いくつかの例によれば、ウェアラブル医療装置４００の固定部材４１０および可撓性本体４１０は、ポリエステル／スパンデックスの混合、および／またはＬｙｃｒａおよび／または綿等の伸縮性材料から作製される。各保持特徴４２８は、そこで充電ユニット４８２のうちの１つを保持するように構成され得、複数の保持特徴は、固定部材４０２が患者の頭部１２に装着されているときに患者の頭皮１６の各象限に位置する少なくとも１つの保持特徴を含む。
【００８２】
[0120]例えば、保持特徴４２８Ａは左前象限に位置し、保持特徴４２８Ｂは右前象限に位置し、保持特徴４２８Ｃは右後象限に位置し、保持特徴４２８Ｄは左後象限に位置する。このため、患者は、各充電ユニット４８２の保持された場所が各ＩＭＤ１４植込み部位の場所に対応するように各充電ユニット４８２を挿入するための適切な保持特徴４２８を選択することができる。患者が適切な保持特徴４２８を選択した後、再充電装置４００が、各連続充電セッションのための選択された保持特徴４２８に対応する適切な向きで身に付けられ得るように、向き指標４０４が固定部材４０２に装着されて示される。
【００８３】
[0121]図１２Ａ〜図１２Ｄは、本明細書に記載の任意の差異を除いて、ウェアラブル医療装置１００、３００または４００に実質的に類似することができるウェアラブル医療装置５００の様々な図を示す概念図である。ウェアラブル医療装置５００は、再充電コイル容器５１８（本明細書に記載の差異を除いて、再充電コイル容器１１８、３１８および４１８に実質的に類似している）および電源区画５１６（本明細書に記載の差異を除いて電源区画１１６、３１６および４１６に実質的に類似している）が一体化される再充電ユニット５８２を含むことができる。例えば、頭皮に向けられた再充電ユニット５８２の第１の側は、再充電コイル容器５１８およびそこにコイル８０、８２、８４、８６のうちの１つを含むことができる一方、再充電ユニット５８２の他方の側は、電源区画５１６を含むことができる。
【００８４】
[0122]図１２Ａ〜図１２Ｄは、患者の頭部１２に装着するためのキャップの形態の固定部材５０２を含むウェアラブル医療装置５００を示す。固定部材５０２は、患者の頭皮１６の左前、右前、左後および右後象限（図１）の各々に沿って、患者の頭皮１６の外側で頭部１２の周りに延び、頭部１２に一致するように構成され得る。固定部材５０２は、ウェアラブル医療装置５００の外側層とすることができる一方、可撓性本体５１０は、機能的にウェアラブル医療装置５００の内側ライナである。可撓性本体５１０は、可撓性ストリップの格子細工から作製され得、これは格子細工に沿った任意の選択された場所で各充電モジュール５８２のフック形状の端部５０２に係合するための複数の保持特徴を形成する。このようにして、充電モジュール５８２は、固定部材５０２と可撓性本体５１０との間のポケットに保持され得る。ウェアラブル医療装置４００と同様に、ウェアラブル医療装置５００は向き指標５０４を含み、それによって、ウェアラブル医療装置５００は、各連続充電セッションについて、各充電モジュール５８２の選択された場所に対応する適切な向きで身に付けられ得る。いくつかの例によれば、可撓性本体５１０は、ＡＢＳ、ＰＶＣ、ポリカーボネート、ＨＤＰＥ、ＰＥＥＫ、ＰＥＴまたはポリプロピレンから作製され得、固定部材５０２は、ポリエステル／スパンデックスの混合から作製され得る。
【００８５】
[0123]図１３Ａ〜図１３Ｃは、本明細書に記載の任意の差異を除いてウェアラブル医療装置１００、３００、４００および５００と実質的に類似することができるウェアラブル医療装置６００の様々な図を示す概念図である。ウェアラブル医療装置６００は、再充電コイル容器６１８（本明細書に記載の差異を除いて、再充電コイル容器１１８、３１８、４１８および５１８に実質的に類似している）および電源区画６１６（本明細書に記載の差異を除いて電源区画１１６、３１６、４１６および５１６に実質的に類似している）が一体化される再充電ユニット６８２を含むことができる。例えば、頭皮１６に向けられた再充電ユニット６８２の第１の側は、再充電コイル容器６１８およびそこにコイル８０、８２、８４、８６のうちの１つを含むことができる一方、再充電ユニット６８２の他方の側は、電源区画６１６を含むことができる。
【００８６】
[0124]図１３Ａ〜図１３Ｃは、固定部材６０２（本明細書に記載の差異を除いて固定部材１０２、３０２、４０２および４０２に実質的に類似することができる）を含むウェアラブル医療装置６００を示す。固定部材６０２は、頭皮１６の外側で患者の頭部１２に装着するように構成されるヘッドバンドによって部分的に形成され得る。したがって、固定部材６０２は、患者の頭皮１６の左前、右前、左後および右後象限（図１）の各々に沿って頭部１２に装着されるとき、概ね水平な平面で頭部の周りに延びるように構成され得る。
【００８７】
[0125]図１３Ａ〜図１３Ｃは、ウェアラブル医療装置６００の可撓性本体６１０を更に示す。可撓性本体６１０は、固定部材６０２に取り付けられ、固定部材６０２間に延びるように構成されるキャップであり得る。可撓性本体６１０は内側層６１０Ａおよび外側層６１０Ｂを含むことができ、それらの間に、ポケットまたはポケットのグループが、充電ユニット６８２のための複数の保持特徴を提供するためにキャップの外周の周りに３６０°形成される。このため、患者は、各充電モジュール６８２の保持される場所が各ＩＭＤ１４植込み部位の場所に対応するように各充電モジュール６８２を挿入するための、可撓性本体６１０の内側層６１０Ａおよび外側層６１０Ｂ間のウェアラブル医療装置６００の外周の周りの適切な場所を選択することができる。可撓性本体６１０の外側層６１０Ｂは、固定部材６０２内に径方向に更に延びることができ、それらの間に、充電モジュール６８２のための別の複数の保持特徴を提供するために固定部材６０２の外周の周りに３６０°延びる、１つまたは複数のポケットの別の組が形成される。
【００８８】
[0126]図１３Ａ〜図１３Ｃは、固定部材６０２が患者の頭部１２に装着されるときに再充電装置６００によって保持される複数の充電ユニット６８２を示す。例えば、図１３Ａ〜図１３Ｃは、患者の頭部１２に固定されるときの充電ユニット６８２を、保持特徴６２８Ａによって固定されるとき左前象限に、保持特徴６２８Ｂによって固定されるとき右前象限に、保持特徴６２８Ｃによって固定されるとき右後象限に、保持特徴６２８Ｄによって固定されるとき左後象限に示す。再充電装置６００は、向き指標４０４および５０４に実質的に類似することができる向き指標６０４を含むことができる。いくつかの例によれば、ウェアラブル医療装置６００の固定部材６０２および可撓性本体６１０は、ポリエステル／スパンデックスの混合等の伸縮性材料から作製される。
【００８９】
[0127]図１４Ａ〜図１４Ｅは、本明細書に記載の任意の差異を除いて再充電装置１００、３００、４００、５００および６００に実質的に類似することができるウェアラブル医療装置７００の様々な図を示す概念図である。ウェアラブル医療装置７００は、再充電コイル容器７１８（本明細書に記載の差異を除いて再充電コイル容器１１８、３１８、４１８、５１８および６１８に実質的に類似している）および電源区画７１６（本明細書に記載の差異を除いて電源区画１１６、３１６、４１６、５１６および６１６に実質的に類似している）が一体化される再充電ユニット７８２を含むことができる。例えば、頭皮１６に向けられるように構成される再充電ユニット７８２の第１の側は、再充電コイル容器７１８およびそこにコイル８０、８２、８４、８６のうちの１つを含むことができる一方、再充電ユニット７８２の他方の側は、電源区画７１６を含むことができる。
【００９０】
[0128]図１４Ａ〜図１４Ｄは、患者の頭皮１６の外側で患者の頭部１２に装着するための、キャップの形態の、固定部材７０２を含むときのウェアラブル医療装置７００を示す。固定部材７０２は、概ね水平な平面で頭部の周りに延びることができる（すなわち、図１４Ａ〜図１４Ｅに示すように、患者の額を横切り、患者の両耳の横を通り、患者の首に隣接して頭皮の後部を横切る）。ウェアラブル医療装置７００は、本明細書において用いられるとき、可撓性本体を実質的に含まない場合があり、むしろ、固定部材７０２自体が、患者の頭皮１６の左前、右前、左後および右後象限（図１）の各々の少なくとも一部分を横切って延びることができる。図１４Ａ〜図１４Ｅは、複数の保持特徴７２８を画定するときの固定部材７０２を更に示し、各保持特徴７２８は、固定部材７０２の外面に形成される凹部である。いくつかの実施形態では、保持特徴７２８を画定する凹部は、固定部材７０２の内面まで全体に延び、貫通孔を形成することができる。示される実施形態によれば、各保持特徴７２８は、充電モジュール７８２の形状に対応する六角形形状を有する。保持特徴７２８は、プレス嵌めまたはスナップ嵌め等を用いて充電モジュール７８２を固定するように構成され得る。複数の保持特徴７２８は、固定部材７２８が患者の頭部１２に装着されるとき、患者の頭皮１６の各象限に位置する少なくとも１つの特徴７２８を含む。
【００９１】
[0129]例えば、頭部に装着されるとき、ウェアラブル医療装置７００は、左前象限に位置する保持特徴７２８Ａ、右前象限に位置する保持特徴７２８Ｂ、および左後象限に位置する保持特徴７２８Ｃを画定することができる。このため、患者は、ＩＭＤ１４植込み部位の場所に対応するように充電モジュール７８２を挿入するための適切な保持特徴７２８を選択することができる。この機能の結果として、再充電装置７００は、再充電装置７００が頭部１２に固定されるときに再充電コイル８０、８２、８４、８６がＩＭＤ１４の二次コイルとしっかりと位置合わせされる量を増大することができる。いくつかの例によれば、ウェアラブル医療装置７００は、頑丈で相対的に軽量の発泡体、例えば、強化された膨張ポリスチレンから製造され得る。
【００９２】
[0130]図１５Ａ〜図１５Ｄは、本明細書に記載の任意の差異を除いて、再充電装置１００、３００、４００、５００、６００および７００に実質的に類似することができるウェアラブル医療装置８００の様々な図を示す概念図である。ウェアラブル医療装置８００は固定部材８０２を含むことができる。固定部材８０２は、患者の頭皮１６の外側で患者の頭部１２に装着されるように構成される可撓性キャップを含むことができる。ウェアラブル医療装置８００は、本明細書において用いられるとき、可撓性本体を実質的に含まない場合があり、固定部材８０２自体が、概ね水平な平面で頭部１２の周りに延びるように構成され得る（すなわち、患者の頭皮１６の左前、右前、左後および右後象限（図１）の各々に沿って、患者の額を横切り、患者の両耳の横を通り、患者の首に隣接して頭皮の後部を横切る）。
【００９３】
[0131]ウェアラブル医療装置８００は、ヘッドギア５１０の保持特徴８２８を含むことができる。固定部材８０２は、ウェアラブル医療装置８００の正中線８０４のいずれかの側に少なくとも１つの保持特徴８２を画定することができ、ここで、正中線８０４は、患者の額から頭部１２の後部に実質的にまっすぐ戻るように延びる。固定部材８０２は、ウェアラブル医療装置８００の左側に１つの保持特徴８２８を画定し、右側に１つの保持特徴８２８を画定することができる。保持特徴８２８は、固定部材８０２の内側層と外側層との間に形成されるポケットとすることができる。保持特徴は、コイル容器内の、電源区画に結合されたコイル８０、８２、８４、８６、および中に固定された全ての構成要素をしっかりと受けるように構成され得る。
【００９４】
[0132]図１５Ａ〜図１５Ｄは、左部分８０２Ｌと右部分８０２Ｒとに分割されている固定部材８０２を示す。左部分８０２Ｌは、頭皮１６の左前および左後象限に一致するように構成され得る一方、右部分８０２Ｒは、患者の頭皮１６の右前および右後象限に一致するように構成される。いくつかの例では、例えば矢印８０６に従って、固定部材キャップ５１３が頭部に装着されるときに、左部分８０２Ｌおよび右部分８０２Ｒの双方が、患者の頭部１２の正中線８０４平面から、およびそこに向かって自由に動くための、より大きな外周縁を有する。このため、患者は、しっかりと受けられた再充電コイルの一方または双方の位置を調節することができる。ウェアラブル医療装置８００は、好ましくは、Ｎｅｏｐｒｅｎｅ等の伸縮性材料から形成され、それによって、固定部材キャップ８０２は、保持される再充電コイルの安定した位置を維持するように患者の頭皮１６の外側に一致する。更に、保持される再充電コイルは、保持特徴８２８と並んで延びる可撓性発泡体層によって緩衝され得る。
【００９５】
[0133]図１６Ａ〜図１６Ｂは、本明細書に記載の任意の差異を除いてウェアラブル医療装置１００、３００、４００、５００、６００、７００、および８００に実質的に類似することができるウェアラブル医療装置９００の様々な図を示す概念図である。ウェアラブル医療装置９００は、患者の頭部１２に装着されるとき、概ね水平な平面で、患者の頭皮１６の左前、右前、左後および右後象限ＬＡＱ、ＲＡＱ、ＲＰＱ、ＬＰＱ（図１）の各々に沿って頭部の周りに延びる固定部材９０２を含む。ウェアラブル医療装置９００は、少なくとも２つの保持特徴９２８を含む。例えば、再充電装置９００は、右後パッド９２８Ｂおよび左後パッド９２８Ａを含むことができる。左後パッド９２８Ａおよび右後パッド９２８Ｂの双方が固定部材９０２に取り付けられ得る。いくつかの例では、パッド９２８Ａ、９２８Ｂは、可撓性で、緩衝付きであり得る。更なるパッド９２８Ａ、９２８Ｂは、その内側層と外側層との間に形成されるポケットを画定することができる。これらのポケットは、そこに再充電コイル、例えば、上記で記載したコイル８０、８２、８４、８６（図３Ｂ〜図３Ｄ）のうちの任意のものを保持するように構成され得る。いくつかの例によれば、パッド９２８Ａ、９２８Ｂは、以下の材料：ＡＢＳ、ＰＶＣ、ポリカーボネート、ＨＤＰＥ、ＰＥＥＫ、ＰＥＴ、ポリプロピレン、シリコーンゴムおよび熱可塑性エラストマーのうちの１つまたは複数から形成され得る。電源区画および（例えば、図５に示されるような）中に格納される他の構成要素は、再充電コイルの一方または双方と一体化され得る。これらの充電組立体は、対応するパッド９２８Ａ、９２８Ｂ内にしっかりと受けられ得る。代替的に、（例えば、図５に示されるような）電源区画ユニットのいくつかの部分は、固定部材５０２内に受けられるかまたは固定部材５０２上に装着され得る。いくつかの例では、固定部材９０２の前部９０４は、ポリエステル／スパンデックスの混合、および／またはＬｙｃｒａおよび／または綿等の伸縮性材料から形成され、固定部材９０２の後部９０６は、ＡＢＳ、ＰＶＣ、ポリカーボネート、ＨＤＰＥ、ＰＥＥＫ、ＰＥＴ、ポリプロピレン、シリコーンゴムおよび熱可塑性エラストマーのうちの１つまたは複数等の、相対的に剛体であるがコンフォーマブルな材料から形成される。
【００９６】
[0134]図１７Ａ〜図１７Ｈは、本明細書に記載の任意の差異を除いてウェアラブル医療装置１００、３００、４００、５００、６００、７００、８００および９００に実質的に類似することができるウェアラブル医療装置１０００の様々な図を示す概念図である。ウェアラブル医療装置１０００は、再充電コイル容器１０１８（本明細書に記載の差異を除いて再充電コイル容器１１８、３１８、４１８、５１８、６１８および７１８に実質的に類似することができる）および電源区画１０１６（本明細書に記載の差異を除いて実質的に電源区画１１６、３１６、４１６、５１６、６１６および７１６に類似することができる）が一体化される再充電ユニット１０８２を含むことができる。例えば、頭皮１６に向けられるように構成される再充電ユニット１０８２の第１の側は、再充電コイル容器１０１８、およびそこにコイル８０、８２、８４、８６のうちの１つを含むことができる一方、再充電ユニット１０８２の他方の側は、電源区画１０１６および電源区画１０１６内に記憶される任意の構成要素（例えば、図５の構成要素）を含むことができる。
【００９７】
[0135]図１７Ａ〜図１７Ｈは、患者の頭部１２に装着されるとき、概ね水平な平面で、患者の頭皮１６の左前、右前、左後および右後象限（図１）の各々に沿って頭部１２の周りに延びる代替的な固定部材１００２Ａまたは１００２Ｂを有するウェアラブル医療装置１０００を示す。固定部材１００２Ａは、患者の頭部１２の外周全体の周りに延びるように構成されて示される一方、固定部材１００２Ｂは、患者の頭部１２の外周の一部分のみの周りに延びるように構成されて示される。図１７Ａ〜図１７Ｈは、それぞれの固定部材１００２Ａ、１００２Ｂに取り付けられた対向する左端部および右端部を有する可撓性レールによって形成されるウェアラブル医療装置１０００の複数の保持特徴１００４を更に示す。保持特徴１００４は、それぞれの固定部材１００２Ａ、１００２Ｂが頭部１２に装着されるときに、頭皮１６の左象限および右象限にわたるようにそれぞれの固定部材１００２Ａ、１００２Ｂの上に弧状に延びることができる。
【００９８】
[0136]いくつかの例では、充電モジュール１０８２は、図１７Ｈのブラケット１０１２等のブラケットを含むことができる。ブラケットは、保持特徴１００４が充電ユニット１０８２をしっかりと受けることを可能にするように構成され得る。いくつかの例では、ブラケットは、充電ユニット１０８２との摺動係合により充電ユニット１０８２を受けることができ、それによって、患者は、図１７Ｃの矢印１００８に従って、それぞれの充電ユニット１０８２Ａを、ＩＭＤ１４植込み場所と対応するように選択された位置に摺動させることができる。いくつかの例では、示されるように、保持特徴レール１００４の断面形状は、実質的に丸いかまたは平坦であり得る。他の例では、保持特徴１００４は、充電モジュール１０８２のブラケットと係合するように構成される他の断面形状を画定してもよい。いくつかの例では、各保持特徴１００４の端部は、それぞれの固定部材１００２Ａ、１００２Ｂへの枢動ジョイントに取り付けられ、このため、患者は図１７Ｂの矢印１００６に従って更なる前方／後方調節を行うことができる。いくつかの例では、固定部材１００２Ａ、１００２Ｂおよび保持特徴レール１００４は、ＡＢＳ、ＰＶＣ、ポリカーボネート、ＨＤＰＥ、ＰＥＥＫ、ＰＥＴまたはポリプロピレン等の相対的に弾力性のあるプラスチックから形成される。
【００９９】
[0137]図１８Ａ〜図１８Ｄは、本明細書に記載の任意の差異を除いて再充電装置１００、３００、４００、５００、６００、７００、８００、９００および１０００に実質的に類似することができるウェアラブル医療装置１１００の様々な図を示す概念図である。ウェアラブル医療装置１１００は、再充電コイル容器１１１８（本明細書に記載の差異を除いて再充電コイル容器１１８、３１８、４１８、５１８、６１８、７１８および１０１８に実質的に類似することができる）および電源区画１１１６（本明細書に記載の差異を除いて実質的に電源区画１１６、３１６、４１６、５１６、６１６、７１６および１０１６に類似することができる）が一体化される再充電ユニット１１８２を含むことができる。例えば、頭皮１６に向けられるように構成される再充電ユニット１１８２の第１の側は、再充電コイル容器１１１８、およびそこにコイル８０、８２、８４、８６のうちの１つを含むことができる一方、再充電ユニットの他方の側は、電源区画１１１６および電源区画１１１６内に格納される任意の構成要素（例えば、図５の構成要素）を含むことができる。
【０１００】
[0138]ウェアラブル医療装置１１００は、概ね水平な平面で患者の頭部１２の外周全体の周りに延びるように構成される固定部材１１０２を含む。固定部材１１０２は、患者に装着されるときに、患者の頭皮１６の左前、右前、左後および右後象限（図１）の各々のうちの少なくともいくつかに横切るように更に構成される。ウェアラブル医療装置１１００は、可撓性本体レール１１１０Ａ、１１１０Ｂを更に含む。可撓性本体レール１１１０Ａ、１１１０Ｂは、ウェアラブル医療装置１１００が頭部１２に装着されるとき、患者の頭皮１６の左象限および右象限にわたるように、固定部材１１０２の上方に弧状に延びるように構成される２つの可撓性レールを含むことができる。充電ユニット１１８２は、可撓性本体レール１１１０Ａ、１１１０Ｂのうちの一方または双方に装着するように構成され得る。
【０１０１】
[0139]いくつかの例では、固定部材１１０２は、１つまたは複数の係合ゾーン１１０４Ａ、１１０４Ｂを含むことができる。係合ゾーン１１０４Ａ、１１０４Ｂは、頭部１２の１つの側に沿って延びるように構成され得る。例えば、係合ゾーン１１０４Ａは、患者の頭皮１６の左後および左前象限に沿って延びる一方、係合ゾーン１１０４Ｂは、患者の頭皮１６の右後および右前象限に沿って延びる。係合ゾーンは、フック・アンド・ループ・ストリップによって形成され得、可撓性本体レール１１１０Ａの、対応して嵌合するフック・アンド・ループ・ストリップを受けるように構成され得る。このようにして、患者は、矢印１１０６に従って、可撓性本体レール１１１０Ａの広がりの向きを調節することができる。更に、患者は、ＩＭＤ１４植込み場所に対応する場所においてそれぞれの可撓性本体レール１１１０Ａ、１１１０Ｂに充電ユニット１１８２を固定する前に、それぞれの可撓性本体レール１１１０Ａ、１１１０Ｂの長さに沿ってそれぞれの充電ユニット１１８２を摺動させることができる。
【０１０２】
[0140]いくつかの例では、可撓性本体レール１１１０Ｂは、固定部材１１０２に堅く固定され得る。例えば、可撓性本体レール１１１０Ｂは、前部の場所において固定部材１１０２に取り付けられる第１の端部と、後部の場所において固定部材１１０２に取り付けられる第２の端部とを含むことができる。このようにして、可撓性本体レール１１１０Ｂは、固定部材１１０２が患者の頭部１２に装着されるときに、患者の頭部１２の正中線平面（図１）に概ね位置合わせされるように構成され得る。いくつかの例では、可撓性本体レール１１１０Ａ、１１１０Ｂの双方が、枢動ジョイント１１０８において接続され得る。枢動ジョイント１１０８は、可撓性本体レール１１１０Ａが、可撓性本体レール１１１０Ｂに対し、矢印１１０６に従って回転することを可能にするように構成され得る。いくつかの例では、固定部材１１０２および可撓性本体レール１１１０Ａ、１１１０Ｂは、ＡＢＳ、ＰＶＣ、ポリカーボネート、ＨＤＰＥ、ＰＥＥＫ、ＰＥＴおよびポリプロピレンのうちの１つまたは複数から形成され得る。
【０１０３】
[0141]図１９Ａ〜図１９Ｄは、本明細書に記載の差異を除いてウェアラブル医療装置１００、３００、４００、５００、６００、７００、８００、９００、１０００および１１００に実質的に類似することができるウェアラブル医療装置１２００の様々な図を示す概念図である。ウェアラブル医療装置１２００は、再充電コイル容器１２１８（本明細書に記載の差異を除いて再充電コイル容器１１８、３１８、４１８、５１８、６１８、７１８、１０１８および１１１８に実質的に類似することができる）および電源区画１２１６（本明細書に記載の差異を除いて実質的に電源区画１１６、３１６、４１６、５１６、６１６、７１６、１０１６および１１１６に類似することができる）が一体化される再充電ユニット１２８２を含むことができる。例えば、頭皮１６に向けられるように構成される再充電ユニット１２８２の第１の側は、再充電コイル容器１２１８、およびそこにコイル８０、８２、８４、８６のうちの１つを含むことができる一方、再充電ユニット１２８２の他方の側は、電源区画１２１６および電源区画１２１６内に格納される任意の構成要素（例えば、図５の構成要素）を含むことができる。
【０１０４】
[0142]ウェアラブル医療装置１２００は、患者の頭部１２に装着されるとき、患者の頭皮１６の左前、右前、左後および右後象限（図１）の各々に沿って概ね水平な平面で患者の頭部１２の外周全体の周りに延びる可撓性ヘッドバンドによって形成される固定部材１２０２を含む。固定部材１２０２は、充電ユニット１２８２をしっかりと受けるように構成される保持特徴１２２８を画定することができる。保持特徴１２２８は、充電モジュール４８２をその開口部に保持するために、充電ユニット１２８２をしっかりと受けるように構成される開口部を画定することができる。保持特徴１２２８は、矢印１２０４に従って、概ね水平な平面で固定部材１２０２に対し移動するために固定部材１２０２と摺動可能に係合するように構成され得る。保持特徴１２２８は、相対的に硬性のプラスチック、ＡＢＳ、ＰＶＣ、ポリカーボネート、ＨＤＰＥ、ＰＥＥＫ、ＰＥＴまたはポリプロピレンから形成され得る。固定部材ヘッドバンド１２０２は、ポリエステル／スパンデックスの混合、および／またはＬｙｃｒａおよび／または綿などの伸縮性材料から形成され得る。
【０１０５】
[0143]図２０Ａ〜図２０Ｈは、本明細書に記載の任意の差異を除いて再充電装置１００、３００、４００、５００、６００、７００、８００、９００、１０００、１１００および１２００に実質的に類似することができるウェアラブル医療装置１３００の様々な図を示す概念図である。ウェアラブル医療装置１３００は、患者の頭部１２に装着されるとき、患者の頭皮１６の左前、右前、左後および右後象限（図１）の各々に沿って概ね水平な平面で患者の頭部１２の外周全体の周りに延びる可撓性ヘッドバンドによって形成される固定部材１３０２を含む。ウェアラブル医療装置１３００は、１つまたは複数の弾性バンドを含む可撓性本体１３１０を含む。再充電コイル８０、８２、８４、８６および／または再充電ユニットは、可撓性本体１３１０のバンドに装着され得る。可撓性本体１３１０のバンドの大部分は、患者の頭皮１６の左および右の象限、または患者の頭皮１６の前部および後部の象限にわたるように弧状に事前形成され得る。可撓性本体１３１０は、ＡＢＳ、ＰＶＣ、ポリカーボネート、ＨＤＰＥ、ＰＥＥＫ、ＰＥＴまたはポリプロピレンから形成され得る。
【０１０６】
[0144]可撓性本体１３１０のバンドは、固定部材１３０２に対し移動可能であり得る。例えば、可撓性本体１３１０の各バンドの第１の端部１３０２−１および第２の端部１３０２−２の各々は、固定部材１３０２の１つまたは複数の係合特徴１３０４を介して固定部材１３０２に解放可能に固定され得る。例えば、係合特徴１３０４は、例えばスナップ嵌めを介して、第１の端部１３０２−１および第２の端部１３０２−２の突起を受けることができる、固定部材１３０２の内面に画定される凹部を含むことができる。固定部材１３０２は、固定部材１３０２全体に沿って概ね均一に分散した（かつそこで、充電装置１３００が頭部１２に装着されるときに、頭皮１６の全ての象限にわたって分散した）複数の係合特徴１３０４を含むことができる。
【０１０７】
[0145]いくつかの例では、可撓性本体１３１０は、固定部材１３０２間に延びるように構成される２つ以上のバンドを含むことができる。例えば、図２０Ａに示されるように、ウェアラブル医療装置１３００は、可撓性本体の第１のレール１３１０Ａおよび可撓性本体の第２のレール１３１０Ｂを含む。いくつかの例では、可撓性本体の１つのレール１３１０Ａは固定部材１３０２に対し動かされるように構成され得る一方、可撓性本体の他のレール１３１０Ｂは、固定部材１３０２に対し相対的に静止するように構成され得る。例えば、可撓性本体の静止したバンド１３１０Ｂは、前部の場所において固定部材１３０２に取り付けられた第１の端部から、後部の場所において固定部材１３０２に取り付けられた第２の端部まで弧状に延びることができる。このようにして、可撓性本体の相対的に静止したバンドの弧は、固定部材１３０２が患者の頭部１２に装着されるとき、頭部１２（図１）の正中線に概ね位置合わせされ得る。同様に、いくつかの例では、図２０Ｄに示されるように、ウェアラブル医療装置１３００は、可撓性本体の２つの移動可能なバンド１３１０Ａおよび１３１０Ｃと共に、可撓性本体の１つの相対的に静止したバンド１３１０Ｂを含むことができる。
【０１０８】
[0146]図２１Ａ〜図２１Ｆは、本明細書に記載の任意の差異を除いて再充電装置１００、３００、４００、５００、６００、７００、８００、９００、１０００、１１００、１２００および１３００に実質的に類似することができるウェアラブル医療装置１４００の様々な図を示す概念図である。ウェアラブル医療装置１４００は、患者の頭部１２に装着されるとき、患者の頭皮１６の左前、右前、左後および右後象限（図１）の各々に沿って概ね水平な平面で患者の頭部１２の外周全体の周りに延びる可撓性ヘッドバンドによって形成される固定部材１４０２を含む。ウェアラブル医療装置１４００は、１つまたは複数の弾性バンドを含む可撓性本体１４１０を含む。再充電コイル８０、８２、８４、８６、および／または再充電ユニットは、可撓性本体１４１０のバンドに装着され得る。可撓性本体１４１０のバンドの大部分は、患者の頭皮１６の左および右の象限、または患者の頭皮１６の前部および後部の象限にわたるように弧状に事前形成され得る。可撓性本体１４１０は、ＡＢＳ、ＰＶＣ、ポリカーボネート、ＨＤＰＥ、ＰＥＥＫ、ＰＥＴまたはポリプロピレンから形成され得る。
【０１０９】
[0147]可撓性本体１４１０のバンドは、固定部材１４０２に対し移動可能であり得る。例えば、可撓性本体１４１０の各バンドの第１の端部１４０２−１および第２の端部１４０２−２の各々は、固定部材１４０２の１つまたは複数の係合特徴１４０４を介して固定部材１４０２に解放可能に固定され得る。例えば、係合特徴１４０４は、例えばスナップ嵌めを介して、第１の端部１４０２−１および第２の端部１４０２−２の突起１４０６を受けることができる固定部材１４０２の内面上に画定される凹部を含むことができる。固定部材１４０２は、固定部材１４０２全体に沿って概ね均一に分散した（かつそこで、ウェアラブル医療装置１４００が頭部１２に装着されるときに、頭皮１６の全ての象限にわたって分散した）複数の係合特徴１４０４を含むことができる。
【０１１０】
[0148]可撓性本体１４１０は、固定部材１４０２間に延びるように構成される２つ以上のバンドを含むことができる。可撓性本体のレール１４１０Ａは、可撓性本体のレール１４１０Ａが固定部材１４０２に対し機能的に動かされ得るように、複数の場所において固定部材１４０２に固定されるように構成され得る。同様に、可撓性本体１４１０Ｂの他のレールは、固定部材１３０２に沿って、１つまたは相対的により少ない場所において固定部材１４０２に固定されるように構成され得る。可撓性本体１４１０のバンドは、枢動ジョイント１４０８によって共に固定され得、それによって、可撓性本体１４１０のバンドは、枢動ジョイント１４０８によって共に固定され得、それによって、可撓性本体１４１０のバンドは、矢印１４１２に従って、互いに対し回転され得る。例えば、可撓性本体の静止したバンド１４１０Ｂは、（例えば、図２１Ｃに示されるような頭部の正中線平面と概ね位置合わせされるように）前部の場所において固定部材１４０２に取り付けられた第１の端部から、後部の場所において固定部材１４０２に取り付けられた第２の端部まで弧状に延びるように、固定部材１４０２のみに固定されるように構成され得る。他の例では、可撓性本体１４１０の全てのまたは多くのレールは、可撓性本体のバンド１４１０Ａと類似して、複数の場所において固定部材１４０２に固定されるように構成される。固定部材１４０２は、ポリエステル／スパンデックスの混合、および／またはＬｙｃｒａおよび／または綿等の伸縮性材料から形成され得る。
【０１１１】
[0149]図２２Ａ〜図２２Ｃは、本明細書に記載の任意の差異を除いてウェアラブル医療装置１００、３００、４００、５００、６００、７００、８００、９００、１０００、１１００、１２００、１３００および１４００に実質的に類似することができるウェアラブル医療装置１５００の様々な図を示す概念図である。ウェアラブル医療装置１５００は、患者の頭部１２に装着されるとき、患者の頭皮１６の左前、右前、左後および右後象限（図１）の各々に沿って概ね水平な平面で患者の頭部１２の外周全体の周りに延びる可撓性ヘッドバンドによって形成される固定部材１５０２を含む。ウェアラブル医療装置１５００は、可撓性本体の２つのパネル１５１０Ａ、１５１０Ｂを含む。再充電コイル８０、８２、８４、８６、および／または再充電ユニットは、可撓性本体１５１０のパネルに装着され得る。可撓性本体１５１０は、ＡＢＳ、ＰＶＣ、ポリカーボネート、ＨＤＰＥ、ＰＥＥＫ、ＰＥＴまたはポリプロピレンから形成され得る。
【０１１２】
[0150]可撓性本体のパネル１５１０Ａ、１５１０Ｂは、固定部材１５０２に対し移動可能であり得る。例えば、可撓性本体１５１０の各パネルは、正中線１５０６に近づくかまたは正中線１５０６から離れるように矢印１５０４に従って動くように構成され得る。可撓性本体１４１０のパネルは、相対的に堅くすることができ、それによって、正中線１５０６に対し或る位置に動かされると、可撓性本体のパネルは、頭部１４に装着されるときの相対位置に留まることができる。固定部材１４０２は、ポリエステル／スパンデックスの混合、および／またはＬｙｃｒａおよび／または綿等の伸縮性材料から形成され得る。
【０１１３】
[0151]図２３Ａ〜図２３Ｄは、本明細書に記載の差異を除いてウェアラブル医療装置１００、３００、４００、５００、６００、７００、８００、９００、１０００、１１００、１２００、１３００、１４００および１５００に実質的に類似することができるウェアラブル医療装置１６００の様々な図を示す概念図である。ウェアラブル医療装置１６００は、頭皮１６の外側で患者の頭部１２に装着するための固定部材１６０２を含む。固定部材１６０２は、バンド１６０２Ａの第１の端部に取り付けられた弾性バンド１６０２Ａおよび耳フック１６０２Ｂを含む。
【０１１４】
[0152]ウェアラブル医療装置１６００は、コンフォーマブル部材１６０４を更に含む。コンフォーマブル部材１６０４は、１つまたは複数の再充電コイル８０、８２、８４、８６および電源区画の１つまたは複数の構成要素（例えば、図５の構成要素）を含むことができる。コンフォーマブル部材１６０４は、固定部材バンド１６０２Ａの第２の端部に取り付けられ得る。いくつかの例では、コンフォーマブル部材１６０４は、固定部材１６０２が患者の頭部１２に装着されるとき、患者の頭皮１６の象限のうちの少なくとも１つに一致するように構成され得る。
【０１１５】
[0153]いくつかの例では、固定部材バンド１６０２Ａは、耳フック１６０２Ｂに対し移動可能である。このようにして、固定部材バンド１６０２Ａは、頭皮１６に対しコンフォーマブル部材１６０４を動かすために、頭皮１６に対し動かされ得る。いくつかの例では、固定部材バンド１６０４は、固定部材１６０２が頭部１２に装着されるときに、頭皮１６の外側に概ね一致し、ぴったり適合するように内方の張力を有して概ね垂直な平面に沿って弧状に患者の頭部１２の上に少なくとも部分的に延びることができる。
【０１１６】
[0154]図２４Ａ〜図２４Ｄは、本明細書に記載の任意の差異を除いてウェアラブル医療装置１００、３００、４００、５００、６００、７００、８００、９００、１０００、１１００、１２００、１３００、１４００、１５００および１６００に実質的に類似することができるウェアラブル医療装置１７００の様々な図を示す概念図である。ウェアラブル医療装置１７００は、固定部材１７０２Ａ、１７０２Ｂ、１７０２Ｃ（合わせて、「固定部材１７０２」）を含むことができる。固定部材１７０２は、枢動接合部１７０４において共に接合され得る。再充電コイル８０、８２、８４、８６および／または充電ユニットは、固定部材１７０２に固定され得る。固定部材１７０２は、ＡＢＳ、ＰＶＣ、ポリカーボネート、ＨＤＰＥ、ＰＥＥＫ、ＰＥＴ、ポリプロピレン、シリコーンゴムおよび熱可塑性エラストマーのうちの１つまたは複数から主に形成され得る。
【０１１７】
[0155]いくつかの例では、固定部材１７０２の各々が、患者の頭皮１６の象限のうちの任意の１つに対し移動可能かつコンフォーマブルであり得る。例えば、ウェアラブル医療システム１７００が頭部１２に装着されるとき、枢動ジョイント１７０４は、頭部１２の最上部に載るように構成され得、その後、固定部材１７０２の各々が、概ね垂直な平面に沿って、頭部１２の片側を弧状に下方に延びるように構成され得る。このようにして、固定部材１７０２は、ウェアラブル医療システム１７００を患者の頭部１２に固定することができる。更に、枢動ジョイント１７０４が、固定部材１７０２が互いに対し移動することを可能にする結果として、ウェアラブル医療システム１７００は、ＩＭＤ１４植込み部位に対応する場所の各々において１つまたは複数の再充電コイルを位置決めするように調節され得る。
【０１１８】
[0156]図２５Ａ〜図２５Ｈは、本明細書に記載の任意の差異を除いてウェアラブル医療装置１００、３００、４００、５００、６００、７００、８００、９００、１０００、１１００、１２００、１３００、１４００、１５００、１６００および１７００に実質的に類似することができるウェアラブル医療装置１８００の様々な図を示す概念図である。ウェアラブル医療装置１８００は、固定部材１８０２Ａ、１８０２Ｂ（合わせて、「固定部材１８０２」）を含むことができる。固定部材１８０２の各々は２つの端部を有し、各端部は、枢動接合部１８０４において別の固定部材１８０２の別の端部に固定され得る。（例えば、図５に示すような）充電ユニットの再充電コイル８０、８２、８４、８６および／または構成要素は、固定部材１８０２に固定されるかまたは固定部材１８０２に収容され得る。いくつかの例では、再充電コイルを含む各固定部材１８０２は、それぞれの固定部材１８０２に一体化された制御ユニットのいくつかのまたは全ての構成要素も含むことができる。他の例では、１つの制御ユニットは、複数の固定部材１８０２に一体化されるかまたは他の形で固定される複数のコイルを制御してもよい。固定部材１８０２は、ＡＢＳ、ＰＶＣ、ポリカーボネート、ＨＤＰＥ、ＰＥＥＫ、ＰＥＴおよびポリプロピレンのうちの１つまたは複数から主に形成され得る。
【０１１９】
[0157]いくつかの例では、固定部材１８０２の各々が、患者の頭皮１６の象限のうちの任意の１つに対し移動可能かつコンフォーマブルであり得る。例えば、枢動ジョイント１８０４は、患者の頭部１２の耳の付近に位置するように構成され得る一方、固定部材１８０２は、患者の頭部１２にウェアラブル医療装置１８００を固定するために、概ね水平な平面に沿って、患者の頭部１２の上を弧状に延びる。患者は、矢印１８０６に従って、固定部材１８０２を互いに対し動かして、固定部材１８０２の再充電コイルの場所を、植込み部位に対応するように調節することができる。いくつかの例では、可撓性ハウジング１８１０は、固定部材１８０２が矢印１８０６に沿って曲がるとき、固定部材１８０２間に延びることができる。可撓性ハウジング１８１０は、固定部材１８０２の曲げに応じて、収縮および拡張するアコーディオン構造を画定することができる。
【０１２０】
[0158]図２６Ａ〜図２６Ｂは、本明細書に記載の任意の差異を除いて再充電装置１００、３００、４００、５００、６００、７００、８００、９００、１０００、１１００、１２００、１３００、１４００、１５００、１６００、１７００および１８００に実質的に類似することができるウェアラブル医療装置１９００の様々な図を示す概念図である。ウェアラブル医療装置１９００は、固定部材１９０２を含むことができる。固定部材１９０２は、弾性バンド１９０４と、弾性バンド１９０４の各端部に固定された終端パッド１９０６の対とを含むことができる。パッド１９０６は、弾性バンド１９０４が頭部１２の上を延びている間、頭部１２の耳に対し押し付けられるように構成される。ウェアラブル医療装置１９００は、パッド１９０６から延びるコンフォーマブル部材１９０８を含むことができる。コンフォーマブル部材１９０８は、コンフォーマブル部材１９０８がパッド１９０６に対し枢動することを可能にする隠れた内部枢動ジョイントを介して固定部材１９０２に取り付けられ得る。コンフォーマブル部材１９０８は、コンフォーマブル部材１９０８がパッド１９０６から離れるように弧状に延びるようにパッド１９０６に固定され得る。例えば、コンフォーマブル部材１９０８のうちの一方は、患者の頭皮１６の右後象限にわたる弧範囲を画定することができ、コンフォーマブル部材１９０８のうちの他方は、患者の頭皮１６の左後象限にわたる弧範囲を画定する。
【０１２１】
[0159]（例えば、図５に示すような）充電ユニットの再充電コイル８０、８２、８４、８６および／または構成要素は、コンフォーマブル部材１９０８に固定されるかまたはコンフォーマブル部材１９０８内に収容され得る。いくつかの例では、コンフォーマブル部材１９０８の各々は、再充電コイル、およびまた、それぞれのコンフォーマブル部材１９０８における充電ユニットのいくつかまたは全ての構成要素の双方を含むことができる。他の例では、１つの充電ユニットは、複数のコンフォーマブル部材１９０８に一体化されるかまたは他の形で固定される複数のコイルを制御してもよい。いくつかの例では、コンフォーマブル部材は、ＡＢＳ、ＰＶＣ、ポリカーボネート、ＨＤＰＥ、ＰＥＥＫ、ＰＥＴおよびポリプロピレンのうちの１つまたは複数から主に形成され得る。
【０１２２】
[0160]図２７Ａ〜図２７Ｄは、本明細書に記載の任意の差異を除いてウェアラブル医療装置１００、３００、４００、５００、６００、７００、８００、９００、１０００、１１００、１２００、１３００、１４００、１５００、１６００、１７００、１８００および１９００に実質的に類似することができるウェアラブル医療装置２０００の様々な図を示す概念図である。ウェアラブル医療装置２０００は、２つの固定部材２００２の対向する端部に取り付けられた２つのコンフォーマブル部材２００４を含むことができる。固定部材２００２は各々、調節可能な弾性バンドを含むことができ、これらの弾性バンドは、矢印２００６に従って、弾性バンドに対するコンフォーマブル部材２００４の移動を可能にするように構成される。示されるように、固定部材２００２は、患者の頭部１２に装着されるとき、頭部１２にわたって概ね垂直な平面で弧状に延びるように構成される。更に、ウェアラブル医療装置２０００が頭部１２に装着されるとき、コンフォーマブル部材２００４のうちの一方は、患者の頭皮１６の一方または双方の右の象限に一致するように構成されるのに対し、コンフォーマブル部材２００４の他方は、患者の頭皮の一方または双方の左の象限に一致するように構成される。
【０１２３】
[0161]いくつかの例では、各コンフォーマブル部材２００４は、相対的に可撓性であり、かつ緩衝付きである。例えば、コンフォーマブル部材２００４の各々は、シリコーンゴムまたは熱可塑性エラストマーから形成され得る。コンフォーマブル部材２００４は、コンフォーマブル部材２００４の内側層および外側層間にポケットを画定することができる。コンフォーマブル部材２００４の各々によって画定されるポケットは、内部に１つまたは複数の再充電コイル、例えば、（例えば図５におけるような）制御ユニットの上述した構成要素のうちの任意のものを保持するように構成され得る。
【０１２４】
[0162]図２８Ａ〜図２８Ｅは、本明細書に記載の任意の差異を除いてウェアラブル医療装置１００、３００、４００、５００、６００、７００、８００、９００、１０００、１１００、１２００、１３００、１４００、１５００、１６００、１７００、１８００、１９００および２０００に実質的に類似することができるウェアラブル医療装置２１００の様々な図を示す概念図である。ウェアラブル医療装置２１００は、頭皮１６の各象限の一部分を覆うような大きさのカバーの内側層および外側層間に装着される複数の再充電コイルを含むことができる。ウェアラブル医療装置２１００は固定部材２１０２を含むことができ、固定部材２１０２は、それ自体が、伸張可能なキャップを含むことができる。固定部材２１０２は、Ｎｅｏｐｒｅｎｅ等から作製され得る。可撓性本体２１１０は、複数のポケットを画定するために、固定部材２１０２から離れるように延びることができる。例えば、固定部材２１０２は、実質的に、頭皮１６のほとんどまたは全てを横切って延び、固定部材２１０２と同様に、実質的に頭皮１６に接触し、頭皮１６に一致することができる。可撓性本体２１１０は、固定部材２１０２から離れるように径方向に延び、可撓性本体２１１０自体と固定部材２１０２との間にポケットを画定することができる。
【０１２５】
[0163]固定部材２１０２および可撓性本体２１１０によって作成される１つまたは複数のポケットは、（例えば、図５におけるように）コイル８０、８２、８４、８６および／または再充電構成要素を保持するように構成され得る。固定部材２１０２および可撓性本体２１１０によって画定される各ポケットは、頭皮１６の異なる象限（ＬＡＱ、ＲＡＱ、ＲＰＱ、ＬＰＱ）にわたって中心合わせされ、実質的にその象限を覆うことができる。各象限を覆うように配置されて示される。
【０１２６】
[0164]ウェアラブル医療装置２１００は、電子充電ユニット２１８２の取付けのために構成されるドッキングフォブ（ｄｏｃｋｉｎｇ  ｆｏｂ）２１０４を含むことができる。充電ユニット２１８２は、図５の回路部および構成要素等の再充電コイルを制御するように構成される回路部を含むことができる。ドッキングフォブ２１０４に取り付けられると、充電ユニット２１８２は、固定部材２１０２および可撓性本体２１１０によって画定されるポケット内に固定される各再充電コイルと電気的に結合され得る。ここにヘッドギア９１０の再充電コイルと結合するための制御ユニット２１８５。
【０１２７】
[0165]図２９Ａ〜図２９Ｅは、本明細書に記載の任意の差異を除いてウェアラブル医療装置１００、３００、４００、５００、６００、７００、８００、９００、１０００、１１００、１２００、１３００、１４００、１５００、１６００、１７００、１８００、１９００、２０００および２１００に実質的に類似することができるウェアラブル医療装置２２００の様々な図を示す概念図である。ウェアラブル医療装置２２００は、頭皮１６の各象限の一部分を覆うような大きさのカバーの内側層および外側層間に装着される複数の再充電コイル８０、８２、８４、８６を含むことができる。ウェアラブル医療装置２２００は固定部材２２０２を含むことができ、固定部材２２０２は、それ自体がヘルメットを含むことができ、このヘルメット内に再充電コイル８０、８２、８４、８６が埋め込まれ、このヘルメットに電子再充電制御ユニット２２８２が装着される。電気再充電制御ユニット２８２２は、（例えば、図５に示されるような）本明細書に記載の電源区画の構成要素を含むことができる。固定部材２２０２は、ＡＢＳ、ＰＶＣ、ポリカーボネート、ＨＤＰＥ、ＰＥＥＫ、ＰＥＴ、ポリプロピレン、シリコーンゴムおよび熱可塑性エラストマーのうちの１つまたは複数から形成され得る。
【０１２８】
[0166]ウェアラブル医療装置２２００は、サイズ調節部材２２０４を含むことができる。サイズ調節部材２２０４は、ねじり機構等の機構を用いて固定部材２２０２の内部サイズを変更するように構成され得る。サイズ調節部材２２０４は、固定部材２２０２の後部下縁においてウェアラブル医療装置２２００に固定され得る。いくつかの例では、再充電制御ユニット２２８２は、１つまたは複数の頭蓋に装着されたＩＭＤ１４の場所を検出するように構成され得る。ＩＭＤ１４の場所の検出に応じて、制御ユニット２２８２は、これらのＩＭＤ１４と位置合わせされた再充電コイルを特定および活性化する（例えば、再充電コイルに電流を送信する）ことができる。
【０１２９】
[0167]図３０Ａ〜図３０Ｄは、本明細書に記載の任意の差異を除いてウェアラブル医療装置１００、３００、４００、５００、６００、７００、８００、９００、１０００、１１００、１２００、１３００、１４００、１５００、１６００、１７００、１８００、１９００、２０００、２１００および２２００に実質的に類似することができるウェアラブル医療装置２３００の様々な図を示す概念図である。ウェアラブル医療装置２３００は、下方に患者の首まで達するように構成されるキャップを含むことができる固定部材２３０２を含むことができる。固定部材２３０２は、固定部材２３０２の内側層と外側層との間に再充電コイル８０、８２、８４、８６を一体化するように構成され得る。いくつかの例では、固定部材２３０２は、固定部材２３０２にわたって埋め込まれた複数の充電コイルを含むことができ、それによって、充電コイルは、ウェアラブル医療システム２３００が患者の頭部１２に装着されるとき、頭皮１６の全ての象限にわたって分散される。
【０１３０】
[0168]ウェアラブル医療装置２３００は、固定部材２３０２に固定されたカラー部材２３０４を含むことができる。カラー部材２３０４は、固定部材２３０２の後部下縁に取り付けられ得る。カラー部材２３０４は、再充電コイル（例えば、図５の構成要素）を制御するように構成される構成要素を含む電子再充電制御ユニットを含むことができる。固定部材２３０２は、ポリエステル、スパンデックス、綿およびＬｙｃｒａのうちの１つまたは複数から形成され得る。
【０１３１】
[0169]図３１Ａ〜図３１Ｃは、本明細書に記載の任意の差異を除いてウェアラブル医療装置１００、３００、４００、５００、６００、７００、８００、９００、１０００、１１００、１２００、１３００、１４００、１５００、１６００、１７００、１８００、１９００、２０００、２１００、２２００および２３００に実質的に類似することができるウェアラブル医療装置２４００の様々な図を示す概念図である。ウェアラブル医療装置２４００は、頭皮１６の上に掛かり、下方に患者の首まで達するように構成されるフードを含むことができる固定部材２４０２を含むことができる。固定部材２４０２は、固定部材２４０２の内側層と外側層との間に再充電コイル８０、８２、８４、８６を一体化するように構成され得る。いくつかの例では、固定部材２４０２は、固定部材２４０２にわたって埋め込まれた複数の充電コイルを含むことができ、それによって、充電コイルは、ウェアラブル医療システム２４００が患者の頭部１２に装着されるとき、頭皮１６の全ての象限にわたって分散される。
【０１３２】
[0170]ウェアラブル医療装置２４００は、固定部材２４０２に固定されるタッセル２４０４を含むことができる。タッセル２４０４は、固定部材２４０２の後部下縁の付近に取り付けられ得る。タッセル２４０４は、固定部材２４０２を締め付けるかまたは緩めるように構成され得る。いくつかの例では、ウェアラブル医療装置２４００は、スエットシャツに一体化され得、ここで、固定部材２４０２は、機能的に、スエットシャツのフードである。固定部材２４０２は、ポリエステル、スパンデックス、綿およびＬｙｃｒａのうちの１つまたは複数から形成され得る。
【０１３３】
[0171]図３２Ａ〜図３４Ｃ図３２Ｂは、コンフォーマブルキャップ２５０２Ａ、２５０２Ｂ、２５０２Ｄ、２５０２Ｅおよび弾性ヘッドバンド２５０２Ｃの固定部材２５０２Ａ、２５０２Ｂ、２５０２Ｃ、２５０２Ｄ、２５０２Ｅ（合わせて、「固定部材２５０２」）、および関連付けられた充電モジュール２５０４Ａ、２５０４Ｂ、２５０４Ｃ、２５０４Ｄ（合わせて、「充電モジュール２５０４」）を含む再充電組立体２５００Ａ、２５００Ｂ、２５００Ｃの斜視図を示す概念図である。各固定部材２５０２は、上述した適切な材料のうちの任意のものから形成され得、それぞれの固定部材２５０２が頭部１２に装着されるとき、頭皮１６の左前象限、左後象限、右後象限および右前象限の各々の少なくとも一部分に一致するように構成される。更に、各固定部材２５０２は、電源区画にまたはその近くに１つまたは複数の充電モジュール２５０４を取り付けるために全体にわたって分散される取付け手段を含み、関連する電源および再充電回路部（例えば、図５の電力管理回路１６２および再充電可能な電源１５８）は、固定部材２５０２内に位置する。例えば、図３４Ａ〜図３４Ｃに示すように、固定部材２５０２Ｅは、固定部材２５０２Ｅのための電源および電力管理回路を有する場所の近くにＶｅｌｃｏを含むことができ、それによって、それぞれの充電モジュール２５０４Ｄは、それぞれの固定部材２５０２Ｅに直接取り付けられ得る。図３３Ａ〜図３３Ｃに示すような別の例では、固定部材２５０２Ｄは、充電モジュール２５０４Ｃのうちの１つを固定部材２５０２Ｄの電源および電力管理回路ハウジングに隣接した場所に磁気的に保持するように構成される磁気要素を含むことができる。充電モジュール２５０４は、本明細書に記載の再充電装置１０３と実質的に同様に機能することができ、それによって、図３３に示されるように、充電モジュール２５０４は、ＩＭＤ１４の電源を再充電するのに用いられ得る。
【０１３４】
[0172]本開示は、再充電コイルを患者の頭部に固定するためのウェアラブル医療装置に関連する特定のシステムおよび方法を主に対象とする。しかしながら、本開示の１つまたは複数の態様は、患者の他の領域に固定され得る他のタイプのウェアラブル医療装置にも適用可能であり得る。例えば、本開示の態様は、患者の側に位置する１つまたは複数のＩＭＤと位置合わせされた１つまたは複数の場所、または鎖骨下の場所等に１つまたは複数の再充電コイルを固定するのに用いられ得るスリーブにも適用可能である。
【０１３５】
[0173]以下の実施例は、本明細書において予期され論考される様々な実施例および組合せを記載する。実施例１：患者の頭部の頭皮の左前象限、左後象限、右後象限および右前象限の各々の少なくとも一部分を覆うように構成される可撓性本体と、可撓性本体に接続された固定部材であって、頭部の外周の周りに延び、患者の頭皮に対し可撓性本体を安定させるように構成される、固定部材と、可撓性本体の或る場所に装着するように構成される定着部材であって、可撓性本体を、頭蓋に装着可能な植込み型医療装置の植込み型電源を再充電するように構成される再充電コイルに結合するように構成される、定着部材とを備える、ウェアラブル医療システム。
【０１３６】
[0174]実施例２：可撓性本体または固定部材のうちの少なくとも一方に固定された外部電源と、可撓性本体の第１の表面に取外し可能に固定された再充電コイルであって、頭蓋に装着可能な植込み型医療装置の植込み型電源を再充電するために電源からエネルギーを伝送するように構成される、再充電コイルと、外部電源を再充電コイルに結合するケーブルとを更に備える、実施例１に記載のウェアラブル医療システム。
【０１３７】
[0175]実施例３：定着部材は第１の定着部材であり、場所は第１の場所であり、再充電コイルは第１の再充電コイルであり、植込み型電源は第１の植込み型電源であり、頭蓋に装着可能な植込み型医療装置は第１の頭蓋に装着された植込み型医療装置であり、ウェアラブル医療システムは、可撓性本体の第２の場所に装着するように構成される第２の定着部材であって、可撓性本体を、第２の頭蓋に装着可能な植込み型医療装置の第２の植込み型電源を再充電するように構成される第２の再充電コイルに結合するように構成される、第２の定着部材を更に備える、実施例１に記載のウェアラブル医療システム。
【０１３８】
[0176]実施例４：可撓性本体または固定部材のうちの少なくとも一方に固定された外部電源と、可撓性本体の第１の表面に取外し可能に固定された第１の再充電コイルであって、第１の頭蓋に装着可能な植込み型医療装置の第１の植込み型電源を再充電するために電源からエネルギーを伝送するように構成される、第１の再充電コイルと、可撓性本体の第２の表面に取外し可能に固定された第２の再充電コイルであって、第２の頭蓋に装着可能な植込み型医療装置の第２の植込み型電源を再充電するために電源からエネルギーを伝送するように構成される、第２の再充電コイルと、外部電源を第１および第２の再充電コイルに結合するように構成される１つまたは複数のケーブルとを更に備える、実施例３に記載のウェアラブル医療システム。
【０１３９】
[0177]実施例５：第１の再充電コイルおよび第２の再充電コイルは、第１の頭蓋に装着可能な植込み型医療装置の植込み型電源、および第２の頭蓋に装着可能な植込み型医療装置の第２の植込み型電源の双方を再充電するために電源からエネルギーを同時に伝送するように構成される、実施例３または４に記載のウェアラブル医療システム。
【０１４０】
[0178]実施例６：第１の定着部材は、第１の再充電コイルが、第１の定着部材に結合されるときに、第１の頭蓋に装着可能な植込み型医療システムの第１の植込み型再充電コイルと位置合わせされるように、第１の場所に隣接した第３の場所において可撓性本体の第１の表面に固定され、第２の定着部材は、第２の再充電コイルが、第２の定着部材に結合されるときに、第２の頭蓋に装着可能な植込み型医療システムの第２の植込み型再充電コイルと位置合わせされるように、第２の場所に隣接した第４の場所において可撓性本体の第２の表面に固定される、実施例３〜５のいずれかに記載のウェアラブル医療システム。
【０１４１】
[0179]実施例７：可撓性本体は、複数の場所を特定するマップを備え、第１の場所および第２の場所は共に、これらの複数の場所内であり、第１の再充電コイルは、第１の場所を特定する第１の特定を含み、第２の再充電コイルは、第２の場所を特定する第２の特定を含む、実施例３〜５のいずれかに記載のウェアラブル医療システム。
【０１４２】
[0180]実施例８：１つまたは複数のケーブルは第１の再充電コイルおよび第２の再充電コイルに取外し可能に結合可能である、実施例３〜７のいずれかに記載のウェアラブル医療システム。
【０１４３】
[0181]実施例９：可撓性本体または固定部材のうちの少なくとも一方に固定された第１の外部電源と、可撓性本体の第１の表面に取外し可能に固定された第１の再充電コイルであって、第１の頭蓋に装着可能な植込み型医療装置の第１の植込み型電源を再充電するために第１の電源からエネルギーを伝送するように構成される、第１の再充電コイルと、可撓性本体または固定部材のうちの少なくとも一方に固定された第２の外部電源と、可撓性本体の第２の表面に取外し可能に固定された第２の再充電コイルであって、第２の頭蓋に装着可能な植込み型医療装置の第２の植込み型電源を再充電するために第２の電源からエネルギーを伝送するように構成される、第２の再充電コイルとを更に備える、実施例１に記載のウェアラブル医療システム。
【０１４４】
[0182]実施例１０：固定部材は、可撓性本体よりも相対的に剛体であるバンドを含む、実施例１〜９のいずれかに記載のウェアラブル医療システム。
[0183]実施例１１：可撓性本体は、複数の場所を特定するマップを備え、上記場所は、これらの複数の場所のうちの１つである、実施例１〜１０のいずれかに記載のウェアラブル医療システム。
【０１４５】
[0184]実施例１２：可撓性本体から径方向に外側に延びるように構成されるひさしを更に備え、ひさしは左前象限および右前象限の少なくとも一部分に沿って可撓性本体に接続される、実施例１〜１１のいずれかに記載のウェアラブル医療システム。
【０１４６】
[0185]実施例１３：可撓性本体は、固定部材間で可撓性本体を横切って実質的に直線状に延びることによって頭皮の少なくとも一部分を覆うときに、可撓性本体の形状を固定するように構成される少なくとも２つの継ぎ目を含み、少なくとも２つの継ぎ目のうちの第１の継ぎ目は、左前象限から右後象限まで延び、少なくとも２つの継ぎ目のうちの第２の継ぎ目は、右前象限から左後象限まで延びる、実施例１〜１２のいずれかに記載のウェアラブル医療システム。
【０１４７】
[0186]実施例１４：固定部材は、固定部材の外周を調節するように構成される調節可能な機構を備える、実施例１〜１３のいずれかに記載のウェアラブル医療システム。
[0187]実施例１５：固定部材はクリックホイールを備え、クリックホイールは、クリックホイールが第１の方向に回されるとき、固定部材の外周を大きくするように構成され、クリックホイールが第１の方向と反対の第２の方向に回されるとき、外周を小さくするように構成される、実施例１４に記載のウェアラブル医療システム。
【０１４８】
[0188]実施例１６：固定部材は、重なり合う端部を有するバンドを含み、重なり合う端部間の調節可能な重なり合いの量は、固定部材の外周を画定する、実施例１５に記載のウェアラブル医療システム。
【０１４９】
[0189]実施例１７：電源は、左後象限および右後象限に隣接した固定部材に電源を取り付けるように構成される取付け機構を備える、実施例１〜１６のいずれかに記載のウェアラブル医療システム。
【０１５０】
[0190]実施例１８：外部電源を収容するように構成される湾曲したハウジングを更に備え、湾曲したハウジングは、頭皮とインターフェースするように構成される第１の主面と、湾曲したハウジングの、第１の主面の反対側にある第２の主面とを画定し、第１の主面および第２の主面は、患者の頭部の後部の湾曲を近似する、実質的に類似した湾曲を画定する、実施例１〜１７のいずれかに記載のウェアラブル医療システム。
【０１５１】
[0191]実施例１９：再充電コイルを収容するように構成される湾曲した容器を更に備え、湾曲した容器は、患者の頭皮の湾曲を近似する凹状の主面を画定し、患者の頭皮とインターフェースするように構成される、実施例１〜１８のいずれかに記載のウェアラブル医療システム。
【０１５２】
[0192]実施例２０：主面は第１の主面であり、湾曲した容器は、湾曲した容器の、第１の主面の反対側にあり、患者の頭皮の湾曲を近似する第２の主面を画定し、第２の主面は、第２の主面から離れるように延びる隆起を画定し、可撓性本体は、頭皮と接触するように構成される第１の表面と、第１の表面に対し、可撓性本体の反対側にある第２の表面とを含み、定着部材は、再充電コイルのための湾曲したハウジングを可撓性本体に固定するための取付け組立体を備え、取付け組立体は、第２の主面の隆起を受け、ブラケットを湾曲した容器にしっかりと取り付けるように構成される凹部およびチャネルを画定するブラケットと、可撓性本体の第２の表面から可撓性本体内の孔を通り、可撓性本体の第１の表面を越えてブラケットの凹部内に延び、ブラケットによってしっかりと受けられるように構成されるピンであって、ピンがブラケットの凹部によって受けられるとき、可撓性本体の第２の表面に対し押し付けるように構成されるプレートを含む、ピンとを備える、実施例１９に記載のウェアラブル医療システム。
【０１５３】
[0193]実施例２１：湾曲した容器は、湾曲した容器を通って延びるボアを含み、隆起内で中心合わせされ、ボアは、ブラケットが湾曲した容器にしっかりと取り付けられるとき、ブラケットの凹部を受けるように構成され、ボアは、第１の主面可撓性本体上の場所を視認可能にマーキングするために、頭蓋に装着可能な植込み型医療装置上の湾曲したハウジングの位置決めを可能にするようにマーキングペンを受け入れるように構成される、実施例２０に記載のウェアラブル医療システム。
【０１５４】
[0194]実施例２２：ピンに取外し可能に固定されるように構成される穿刺要素を更に含み、穿刺要素は、可撓性本体に孔を作成するように第１の表面から貫通して第２の表面まで可撓性本体を穿刺するように構成される穿刺先端を含む、実施例２０または２１に記載のウェアラブル医療システム。
【０１５５】
[0195]実施例２３：患者の頭部の頭皮の左前象限、左後象限、右後象限および右前象限の各々の少なくとも一部分を覆うように構成される可撓性本体と、可撓性本体に接続された固定部材であって、頭部の外周の周りに延び、患者の頭皮に対し可撓性本体を安定させるように構成される、固定部材と、可撓性本体または固定部材のうちの少なくとも一方に固定された外部電源と、第１の頭蓋に装着可能な植込み型医療装置の第１の植込み型電源を再充電するために電源からエネルギーを伝送するように取外し可能に構成される第１の再充電コイルと、第２の頭蓋に装着可能な植込み型医療装置の第２の植込み型電源を再充電するために電源からエネルギーを伝送するように取外し可能に構成される、第２の再充電コイルと、外部電源を第１および第２の再充電コイルに結合する１つまたは複数のケーブルと、可撓性本体の第１の場所に装着するように構成される第１の定着部材であって、第１の再充電コイルを、可撓性本体にしっかりと取り付けるように構成される、第１の定着部材と、可撓性本体の第２の場所に装着するように構成される第２の定着部材であって、第２の再充電コイルを、可撓性本体にしっかりと取り付けるように構成される、第２の定着部材とを備える、ウェアラブル医療システム。
【０１５６】
[0196]実施例２４：固定部材は、可撓性本体よりも相対的に剛体であるバンドを含む、実施例２３に記載のウェアラブル医療システム。
[0197]実施例２５：可撓性本体は、複数の場所を特定するマップを備え、上記場所はこれらの複数の場所のうちの１つである、実施例２３または２４に記載のウェアラブル医療システム。
【０１５７】
[0198]実施例２６：可撓性本体から径方向に外側に延びるように構成されるひさしを更に備え、ひさしは左前象限および右前象限の少なくとも一部分に沿って可撓性本体に接続される、実施例２３〜２５のいずれかに記載のウェアラブル医療システム。
【０１５８】
[0199]実施例２７：可撓性本体は、固定部材間で可撓性本体を横切って実質的に直線状に延びることによって頭皮の少なくとも一部分を覆うときに、可撓性本体の形状を固定するように構成される少なくとも２つの継ぎ目を含み、少なくとも２つの継ぎ目のうちの第１の継ぎ目は、左前象限から右後象限まで延び、少なくとも２つの継ぎ目のうちの第２の継ぎ目は、右前象限から左後象限まで延びる、実施例２３〜２６のいずれかに記載のウェアラブル医療システム。
【０１５９】
[0200]実施例２８：固定部材は、固定部材の外周を調節するように構成される調節可能な機構を備える、実施例２３〜２７のいずれかに記載のウェアラブル医療システム。
[0201]実施例２９：外部電源を収容するように構成される湾曲したハウジングを更に備え、湾曲したハウジングは、頭皮とインターフェースするように構成される第１の主面と、湾曲したハウジングの、第１の主面の反対側にある第２の主面とを画定し、第１の主面および第２の主面は、患者の頭皮の湾曲を近似する、実質的に類似した湾曲を画定する、実施例２３〜２８のいずれかに記載のウェアラブル医療システム。
【０１６０】
[0202]実施例３０：第１の再充電コイルおよび第２の再充電コイルを収容するように構成される第１の湾曲した容器および第２の湾曲した容器を更に備え、第１の湾曲した容器および第２の湾曲した容器の各々は、頭皮の湾曲を近似する凹状の第１の主面、および頭皮の湾曲を近似する第２の主面を画定し、第１の主面は、患者の頭皮とインターフェースするように構成され、第２の主面は、それぞれの湾曲した容器の、第１の主面の反対側にあり、第２の主面は、第２の主面から離れるように延びる隆起を画定し、可撓性本体は、頭皮と接触するように構成される第１の表面と、第１の表面に対し、可撓性本体の反対側にある第２の表面とを含み、ウェアラブル医療システムは、第１の再充電コイルおよび第２の再充電コイルのための第１および第２の湾曲したハウジングを可撓性本体に固定するための第１および第２の取付け組立体を更に備え、各取付け組立体は、第２の主面の隆起を受け、ブラケットを湾曲した容器にしっかりと取り付けるように構成される凹部およびチャネルを画定するブラケットと、可撓性本体の第２の表面から可撓性本体内の孔を通り、可撓性本体の第１の表面を越えてブラケットの凹部内に延び、ブラケットによってしっかりと受けられるように構成されるピンであって、ピンがブラケットの凹部によって受けられるとき、可撓性本体の第２の表面に対し押し付けるように構成されるプレートを含む、ピンとを備える、実施例２３〜２９のいずれかに記載のウェアラブル医療システム。
【０１６１】
[0203]実施例３１：再充電コイルを収容するように構成され、各々が患者の頭部の頭皮の湾曲を近似する凹状の第１の主面および凸状の第２の主面を画定する湾曲した容器であって、第１の主面は、患者の頭皮とインターフェースするように構成され、第２の主面は、湾曲した容器の、第１の主面の反対側にあり、第２の主面は、第２の主面から離れるように延びる隆起と、湾曲した容器を通って延びるボアを画定する、湾曲した容器と、ボアによって受けられるように構成される円筒形凹部、およびブラケットを湾曲した容器にしっかりと取り付けるように第２の主面の隆起を受けるように構成されるチャネルを画定するブラケットと、ブラケットによってしっかりと受けられるようにブラケットの円筒形凹部内に延びるように構成されるピンであって、ブラケットの凹部によって受けられるとき、円筒形凹部の口部を押し付けるように構成されるプレートを含む、ピンとを備える、ウェアラブル医療システム。
【０１６２】
[0204]実施例３２：頭蓋に装着可能な植込み型医療装置の植込み型電源を再充電するためにエネルギーを伝達するように構成される、湾曲した容器内に収容される再充電コイルを更に備える、実施例３１に記載のウェアラブル医療装置。
【０１６３】
[0205]実施例３３：外部電源を収容するように構成される湾曲したハウジングであって、頭皮とインターフェースするように構成される第１の主面と、湾曲したハウジングの、第１の主面の反対側にある第２の主面とを画定し、第１の主面および第２の主面は、患者の頭皮の湾曲を近似する、実質的に類似した湾曲を画定する、湾曲したハウジングと、外部電源を再充電コイルに結合するケーブルとを更に備える、実施例３２に記載のウェアラブル医療装置。
【０１６４】
[0206]実施例３４：頭蓋に装着可能な植込み型医療装置の植込み型電源を再充電するために、再充電コイルに外部電源からエネルギーを伝送させるように構成される処理回路部を更に備える、実施例３３に記載のウェアラブル医療装置。
【０１６５】
[0207]実施例３５：湾曲した容器は第１の湾曲した容器であり、ブラケットは第１のブラケットであり、ピンは第１のピンであり、ウェアラブル医療装置は、第１の湾曲した容器に実質的に類似した第２の湾曲した容器と、第１のブラケットに実質的に類似した第２のブラケットと、第１のピンに実質的に類似した第２のピンと、第１の頭蓋に装着可能な植込み型医療装置の第１の植込み型電源を再充電するためにエネルギーを伝送するように構成される、第１の湾曲した容器内に収容される第１の再充電コイルと、第２の頭蓋に装着可能な植込み型医療装置の第２の植込み型電源を再充電するためにエネルギーを伝送するように構成される、第２の湾曲した容器内に収容される第２の再充電コイルと、外部電源を収容するように構成される湾曲したハウジングであって、頭皮とインターフェースするように構成される第１の主面と、湾曲したハウジングの、第１の主面の反対側にある第２の主面とを画定し、第１の主面および第２の主面は、患者の頭皮の湾曲を近似する、実質的に類似した湾曲を画定する、湾曲したハウジングと、外部電源を第１の再充電コイルおよび第２の再充電コイルに結合する１つまたは複数のケーブルとを更に備える、実施例３１に記載のウェアラブル医療装置。
【０１６６】
[0208]実施例３６：第１および第２の頭蓋に装着可能な植込み型医療装置の第１および第２の植込み型電源を再充電するために、第１の再充電コイルおよび第２の再充電コイルに外部電源からエネルギーを伝送させるように構成される処理回路部を更に備える、実施例３５に記載のウェアラブル医療装置。
【０１６７】
[0209]実施例３７：頭蓋に装着可能な植込み型医療装置と通信するように構成されるテレメトリ回路部を更に備える、実施例１〜３５のいずれかに記載のウェアラブル医療装置。
【０１６８】
[0210]実施例３８：本明細書に記載の方法に従って実施例１〜３７のいずれかに記載のウェアラブル医療装置の或る場所において再充電コイルを固定する方法。
[0211]実施例３９：実施例１〜３７のいずれかに記載のウェアラブル医療装置のうちの任意のものを組み立てる方法。
【０１６９】
[0212]実施例４０：実施例１〜３７のいずれかに記載のウェアラブル医療装置を用いて１つまたは複数の植込み型医療装置の植込み型電源を充電する方法。
[0213]実施例４１：植込み型医療システムの１つまたは複数の再充電コイルのためのヘッドギアであって、システムは、パワーモジュールと、制御モジュールと、再充電モジュールと、全てのモジュールを含むハウジングとを備え、ハウジングは、患者の頭皮の下に植え込むように構成され、ヘッドギアは、頭皮の外側で患者の頭部に装着するための固定部材であって、装着されるとき、頭皮の左前象限、左後象限、右後象限および右前象限の各々に沿って概ね水平な平面で頭部の周りに延び、頭皮の外側に概ね一致するように構成される、固定部材と、固定部材に取り付けられる複数の保持特徴であって、固定部材が頭部に装着されるとき、頭皮の左の象限のうちの一方または双方に沿って位置し、複数のうちの第２の保持特徴は、固定部材が頭部に装着されるとき、頭皮の右の象限のうちの一方または双方に沿って位置し、各保持特徴は、再充電コイルを保持するように構成される、複数の保持特徴とを備える、ヘッドギア。
【０１７０】
[0214]実施例４２：固定部材は、内側層、外側層を有する可撓性キャップを含み、複数のうちの各保持特徴は、キャップの内側層および外側層間に形成されるポケットを含む、実施例４１に記載のヘッドギア。
【０１７１】
[0215]実施例４３：キャップの内側層および外側層の一方または双方は、可撓性ストリップの格子細工を含む、実施例４２に記載のヘッドギア。
[0216]実施例４４：固定部材は内側層および外側層を含み、各保持特徴は、内側層および外側層間のポケットを含む、実施例１〜４３のいずれかに記載のヘッドギア。
【０１７２】
[0217]実施例４５：固定部材はキャップを含み、各保持特徴は、キャップの外面に形成される凹部を含む、実施例１〜４４のいずれかに記載のヘッドギア。
[0218]実施例４６：固定部材は、左部分および右部分に分割される可撓性キャップを含み、左部分は、頭皮の左前象限および左後象限に対しコンフォーマブルであり、右部分は、頭皮の右前象限および右後象限に対しコンフォーマブルであり、左部分および右部分は各々、内側層および外側層を有し、左部分および右部分は各々、固定部材が頭部に装着されるとき、患者の頭部の正中線平面から離れるように、および正中線平面に向かうように自由に動く外周上縁を有し、各保持特徴は、キャップの対応する部分の内側層および外側層間に形成されるポケットを含む、実施例１〜４５のいずれかに記載のヘッドギア。
【０１７３】
[0219]実施例４７：各保持特徴は、固定部材の上方で弧状に延びる可撓性レールを含み、各レールは、固定部材が頭部に装着されるとき、各レールの弧が頭皮の左の象限および右の象限にわたるように固定部材に取り付けられた左端および右端を有する、実施例１〜４６のいずれかに記載のヘッドギア。
【０１７４】
[0220]実施例４８：各可撓性レールは、前方向および後方向に自由に動く、実施例４７に記載のヘッドギア。
[0221]実施例４９：固定部材が頭部に装着されるとき、複数の保持特徴は、頭皮の全ての象限に沿って分散される、実施例１〜４８のいずれかに記載のヘッドギア。
【０１７５】
[0222]実施例５０：右後パッドおよび左後パッドを更に備え、左および右のパッドは、固定部材に取り付けられ、その内部に延び、各パッドは可撓性であり、緩衝付きであり、内側層および外側層を含み、各保持特徴は、パッドのうちの１つの内側層および外側層間に形成されるポケットを含む、実施例１〜４９のいずれかに記載のヘッドギア。
【０１７６】
[0223]実施例５１：実施例４１〜５０のいずれかに記載のヘッドギアおよび充電モジュールを備える再充電組立体であって、充電モジュールは再充電コイルと、コイルに結合された電子再充電制御ユニットと、コイルおよび制御ユニットを含むハウジングとを備え、ハウジングは、ヘッドギアの各保持特徴によって保持されるように構成される、再充電組立体。
【０１７７】
[0224]実施例５２：実施例４１〜５０のいずれかに記載のヘッドギアおよび充電モジュールを備える再充電組立体であって、充電モジュールは、再充電コイルと、電子再充電制御ユニットと、コイルを制御ユニットに結合するリードとを備え、ヘッドギアは、固定部材に取り付けられる別の保持特徴を更に備え、この別の保持特徴は、充電モジュールの制御ユニットを保持するように構成される、再充電組立体。
【０１７８】
[0225]実施例５３：植込み型医療システムの１つまたは複数の再充電コイルのためのヘッドギアであって、システムは、パワーモジュールと、制御モジュールと、再充電モジュールと、全てのモジュールを含むハウジングとを備え、ハウジングは、患者の頭皮の下に植え込むように構成され、ヘッドギアは、頭皮の外側で患者の頭部に装着するための固定部材であって、頭部に装着されるとき、頭皮の左前象限、左後象限、右後象限および右前象限の各々に沿って概ね水平な平面で頭部の周りに延び、頭皮の外側に概ね一致するように構成される、固定部材と、個々の再充電コイルを保持するように構成され、固定部材が頭部に装着されるとき、頭皮の象限のうちの任意の１つにおいて位置決めするために固定部材に移動可能に取り付けられる、保持特徴とを備える、ヘッドギア。
【０１７９】
[0226]実施例５４：保持特徴は、固定部材に対し概ね水平な平面で移動するために固定部材の周りに摺動可能に係合される、実施例５３に記載のヘッドギア。
[0227]実施例５５：固定部材は、左係合ゾーンおよび右係合ゾーンを含み、左係合ゾーンは、固定部材が患者の頭部に装着されるとき、頭皮の左後象限および左前象限に沿って延び、右係合ゾーンは、固定部材が患者の頭部に装着されるとき、頭皮の右後象限および右前象限に沿って延び、保持特徴は可撓性レールを備え、レールは、固定部材係合ゾーンのうちの一方に沿った任意の場所での可逆／解放可能な取付けのために構成される第１の端部と、固定部材係合ゾーンのうちの他方に沿った任意の場所での可逆／解放可能な取付けのために構成される第２の端部とを有し、保持特徴レールの各端部が対応する固定部材係合ゾーンに取り付けられ、固定部材が患者の頭部に装着されるとき、レールは固定部材の上方で弧状に延び、弧は頭皮の左の象限および右の象限にわたる、実施例５３または５４に記載のヘッドギア。
【０１８０】
[0228]実施例５６：保持特徴は、保持された再充電コイルの第１の端部と第２の端部との間の長さに沿って、この再充電コイルの移動を可能にするように更に構成される、実施例５５に記載のヘッドギア。
【０１８１】
[0229]実施例５７：実施例５３〜５６のいずれかに記載のヘッドギアと、充電モジュールとを備える再充電組立体であって、充電モジュールは、再充電コイルと、コイルに結合された電子再充電制御ユニットと、コイルおよび制御ユニットを含むハウジングとを備え、ハウジングは、ヘッドギアの保持特徴によって保持されるように構成される、再充電組立体。
【０１８２】
[0230]実施例５８：植込み型医療電気システムを再充電するためのヘッドギアであって、システムは、パワーモジュールと、制御モジュールと、再充電モジュールと、全てのモジュールを含むハウジングとを備え、ハウジングは、患者の頭皮の下に植え込むように構成され、ヘッドギアは、頭皮の外側で患者の頭部に装着するための固定部材であって、頭部に装着されるとき、頭皮の左前象限、左後象限、右後象限および右前象限の各々に沿って概ね水平な平面で頭部の周りに延び、頭皮の外側に概ね一致するように構成される、固定部材と、固定部材に取り付けられ、内部に再充電コイルが装着された弾性バンドであって、固定部材が患者の頭部に装着されるとき、バンドは固定部材の上方で弧状に延び、固定部材に対し移動可能であり、弧は頭皮の左の象限および右の象限、または頭皮の前の象限および後の象限にわたる、バンドとを備える、ヘッドギア。
【０１８３】
[0231]実施例５９：固定部材は、固定部材が患者の頭部に装着されるとき、頭皮の左後象限、左前象限、右後象限および右前象限に沿って概ね均一に分散した係合特徴を含み、バンドは、固定部材の係合特徴のうちの１つまたは複数との可逆／解放可能な取付けのために構成される第１の端部と、固定部材の係合特徴のうちの別の１つまたは複数との可逆／解放可能な取付けのために構成される第２の端部とを有する、実施例５８に記載のヘッドギア。
【０１８４】
[0232]実施例６０：固定部材が患者の頭部に装着されるとき、バンドは頭皮の前部および後部の象限にわたり、患者の頭部の正中線平面から離れるように、および正中線平面に向かうように移動可能である、実施例５８に記載のヘッドギア。
【０１８５】
[0233]実施例６１：バンドはまた、電子再充電制御ユニットが内部に装着され、制御ユニットは再充電コイルに結合される、実施例５８〜６０のいずれかに記載のヘッドギア。
[0234]実施例６２：植込み型医療電気システムを再充電するためのヘッドギアであって、システムは、パワーモジュールと、制御モジュールと、再充電モジュールと、全てのモジュールを含むハウジングとを備え、ハウジングは、患者の頭皮の下に植え込むように構成され、ヘッドギアは、頭皮の外側で患者の頭部に装着するための固定部材であって、頭部に装着されるとき、固定部材の第１の端部から固定部材の第２の端部まで、患者の頭部にわたって概ね垂直な平面に沿って弧状に延び、頭皮の外側に概ね一致するように構成される弾性バンドを備える、固定部材と、固定部材が患者の頭部に装着されるとき、頭皮の左前象限、左後象限、右後象限および右前象限のうちの少なくとも１つに一致するために固定部材バンドの第１の端部および第２の端部の一方または双方に取り付けられている少なくとも１つのコンフォーマブル部材であって、少なくとも１つのコンフォーマブル部材の各々は、内部に再充電コイルが装着される、コンフォーマブル部材とを備える、ヘッドギア。
【０１８６】
[0235]実施例６３：固定部材は耳フックを更に備え、固定部材バンドの第１の端部は、バンドが耳フックに対し移動可能であるように耳フックに取り付けられ、少なくとも１つのコンフォーマブル部材は、固定部材バンドの第２の端部に取り付けられる単一のコンフォーマブル部材を含む、実施例６２のヘッドギア。
【０１８７】
[0236]実施例６４：固定部材の弾性バンドは、内部に別の再充電コイルが装着され、少なくとも１つのコンフォーマブル部材は、弾性バンドの対を含み、対の各々は固定部材に対し移動可能であり、対のうちの第１のバンドは、第１のバンドの第１の端部から第１のバンドの第２の端部まで弧状に延び、第１のバンドの第１の端部は、第１のバンドが固定部材バンドに対し移動可能であるように、固定部材バンドの第２の端部に取り付けられ、第１のバンドの弧は、固定部材が患者の頭部に装着されるとき、患者の頭皮の象限のうちの任意の１つにわたり、対のうちの第２のバンドは、第２のバンドの第１の端部から第２のバンドの第２の端部まで弧状に延び、第２のバンドの第１の端部は、第２のバンドが固定部材バンドおよび第１のバンドに対し移動可能であるように、固定部材の第２の端部および第１のバンドの第１の端部に取り付けられ、第２のバンドの弧は、固定部材が患者の頭部に装着されるとき、患者の頭皮の象限のうちの任意の１つにわたる、実施例６２または６３に記載のヘッドギア。
【０１８８】
[0237]実施例６５：少なくとも１つのコンフォーマブル部材は単一の弾性バンドを含み、単一の弾性バンドは、単一の弾性バンドの第１の端部から単一の弾性バンドの第２の端部まで弧状に延び、単一の弾性バンドの第１の端部は、固定部材バンドの第１の端部に取り付けられ、単一の弾性バンドの第２の端部は、固定部材バンドの第２の端部に取り付けられ、単一の弾性バンドは、固定部材バンドに対し移動可能であり、単一の弾性バンドの弧は、固定部材が患者の頭部に装着されるとき、頭皮の左の象限および右の象限にわたる、実施例６２〜６４のいずれかに記載のヘッドギア。
【０１８９】
[0238]実施例６６：少なくとも１つのコンフォーマブル部材は、弾性バンドの対を含み、対の各々は固定部材バンドに対し移動可能であり、対のうちの第１のバンドは、第１のバンドの第１の端部から第１のバンドの第２の端部まで弧状に延び、第１のバンドの第１の端部は、固定部材バンドの第１の端部に取り付けられ、第１のバンドの弧は、固定部材が患者の頭部に装着されるとき、患者の頭皮の左後象限にわたり、対のうちの第２のバンドは、第２のバンドの第１の端部から第２のバンドの第２の端部まで弧状に延び、第２のバンドの第１の端部は、固定部材バンドの第２の端部に取り付けられ、第２のバンドの弧は、固定部材が患者の頭部に装着されるとき、患者の頭皮の右後象限にわたる、実施例６２〜６５のいずれかに記載のヘッドギア。
【０１９０】
[0239]実施例６７：少なくとも１つのコンフォーマブル部材は、緩衝パッドの対を含み、パッドの対のうちの第１のパッドは、固定部材バンドの第１の端部に取り付けられ、固定部材が患者の頭部に装着されるとき、頭皮の左の象限のうちの一方または双方に一致し、パッドの対のうちの第２のパッドは、固定部材バンドの第２の端部に取り付けられ、固定部材が患者の頭部に装着されるとき、頭皮の右の象限のうちの一方または双方に一致する、実施例６２〜６６のいずれかに記載のヘッドギア。
【０１９１】
[0240]実施例６８：少なくとも１つのコンフォーマブル部材の各々はまた、電子再充電制御ユニットが内部に装着され、各制御ユニットは対応する再充電コイルに結合される、実施例６２〜６７のいずれかに記載のヘッドギア。
【０１９２】
[0241]実施例６９：植込み型医療電気システムを再充電するためのヘッドギアであって、システムは、パワーモジュールと、制御モジュールと、再充電モジュールと、全てのモジュールを含むハウジングとを備え、ハウジングは、患者の頭蓋骨の凹部形成領域において患者の頭皮の下に植え込むように構成され、ヘッドギアは、頭皮の外側で、頭皮の左前象限、左後象限、右後象限および右前象限の全てを覆うような大きさのカバーであって、内側層および外側層を含む、カバーと、カバーの内側層および外側層間で、全体に分散して装着される複数の再充電コイルと、複数の再充電コイルの各々に結合される電子再充電制御ユニットとを備える、ヘッドギア。
【０１９３】
[0242]実施例７０：カバーの後部下縁に取り付けられたカラー部材を更に備え、カラー部材は電子再充電制御ユニットを含む、実施例６９に記載のヘッドギア。
[0243]実施例７１：植込み型医療電気システムのための再充電組立体であって、システムは、パワーモジュールと、制御モジュールと、再充電モジュールと、全てのモジュールを含むハウジングとを備え、ハウジングは、患者の頭蓋骨の凹部形成領域において患者の頭皮の下に植え込むように構成され、再充電組立体は、頭皮の外側で患者の頭部に装着するための固定部材であって、固定部材が頭部に装着されるとき、固定部材は、頭皮の左前象限、左後象限、右後象限および右前象限に対しコンフォーマブルであり、固定部材は全体に分散した取付け手段を有する、固定部材と、再充電コイルと、コイルに結合された電子再充電制御ユニットと、コイルおよび制御ユニットを含むハウジングとを備える充電モジュールであって、ハウジングは、固定部材が頭部に装着されるとき、頭皮の象限のうちの任意の１つに沿って選択された場所で固定部材の取付け手段と嵌合するように構成される取付け手段を含む、充電モジュールとを備える、組立体。
【０１９４】
[0244]実施例７２：固定部材および充電モジュールハウジングの取付け手段は磁気要素を含む、実施例７１に記載の組立体。
[0245]実施例７３：固定部材および充電モジュールハウジングの取付け手段はＶｅｌｃｒｏを含む、実施例７１に記載の組立体。
【０１９５】
[0246]実施例７４：植込み型医療装置と、植込み型医療装置の電源を充電するように構成される再充電器であって、充電コイルを備える、再充電器と、ヘッドギアとを備え、ヘッドギアは、頭皮の外側で患者の頭部に装着するための固定部材であって、頭部に装着されるとき、頭皮の左前象限、左後象限、右後象限および右前象限の各々に沿って頭部の周りに延び、頭皮の外側に概ね一致するように構成される、固定部材と、固定部材に取付けられる複数の保持特徴であって、固定部材が頭部に装着されるとき、頭皮の左の象限のうちの一方または双方に沿って位置し、複数のうちの第２の保持特徴は、固定部材が頭部に装着されるとき、頭皮の右の象限のうちの一方または双方に沿って位置し、各保持特徴は、再充電コイルを保持するように構成される、複数の保持特徴とを備える、医療システム。
【０１９６】
[0247]実施例７５：固定部材は、内側層、外側層を有する可撓性キャップを含み、複数のうちの各保持特徴は、キャップの内側層および外側層間に形成されるポケットを含む、実施例７４に記載の医療システム。
【０１９７】
[0248]実施例７６：キャップの内側層および外側層の一方または双方は、可撓性ストリップの格子細工を含む、実施例７５に記載の医療システム。
[0249]実施例７７：固定部材は内側層および外側層を含み、各保持特徴は、内側層および外側層間のポケットを含む、実施例７４に記載の医療システム。
【０１９８】
[0250]実施例７８：固定部材はキャップを含み、各保持特徴は、キャップの外面に形成される凹部を含む、実施例７４に記載の医療システム。
[0251]実施例７９：固定部材は、左部分および右部分に分割される可撓性キャップを含み、左部分は、頭皮の左前象限および左後象限に対しコンフォーマブルであり、右部分は、頭皮の右前象限および右後象限に対しコンフォーマブルであり、左部分および右部分は各々、内側層および外側層を有し、左部分および右部分は各々、固定部材が頭部に装着されるとき、患者の頭部の正中線平面から離れるように、および正中線平面に向かうように自由に動く外周上縁を有し、各保持特徴は、キャップの対応する部分の内側層および外側層間に形成されるポケットを含む、実施例７４に記載の医療システム。
【０１９９】
[0252]実施例８０：各保持特徴は、固定部材の上方で弧状に延びる可撓性レールを含み、各レールは、固定部材が頭部に装着されるとき、各レールの弧が頭皮の左の象限および右の象限にわたるように固定部材に取り付けられた左端および右端を有する、実施例７４に記載の医療システム。
【０２００】
[0253]実施例８１：各可撓性レールは、前方向および後方向に自由に動く、実施例８０に記載の医療システム。
[0254]実施例８２：固定部材が頭部に装着されるとき、複数の保持特徴は、頭皮の全ての象限に沿って分散される、実施例７４〜８１のいずれかに記載の医療システム。
【０２０１】
[0255]実施例８３：右後パッドおよび左後パッドを更に備え、左および右のパッドは、固定部材に取り付けられ、その内部に延び、各パッドは可撓性であり、緩衝付きであり、内側層および外側層を含み、各保持特徴は、パッドのうちの１つの内側層および外側層間に形成されるポケットを含む、実施例７４に記載の医療システム。
【０２０２】
[0256]実施例８４：再充電器は、再充電コイルと別個に収容される制御ユニットを更に含み、ヘッドギアは、再充電器の制御ユニットを保持するように構成される固定部材に取り付けられる別の保持特徴を更に備える、実施例７４〜８３のいずれかに記載の医療システム。
【０２０３】
[0257]実施例８５：医療装置は、脳深部刺激治療を患者に送達するように構成される、実施例７４〜８４のいずれかに記載の医療システム。
[0258]実施例８６：植込み型医療装置の電源を充電するように構成される再充電器であって、再充電コイルを備える、再充電器と、ヘッドギアとを備え、ヘッドギアは、頭皮の外側で患者の頭部に装着するための固定部材であって、頭部に装着されるとき、頭部の周りに延び、頭皮の外側に概ね一致するように構成される、固定部材と、固定部材に取り付けられる複数の保持特徴であって、固定部材が頭部に装着されるとき、頭皮の一方または双方の象限に沿って位置し、複数のうちの第２の保持特徴は、固定部材が頭部に装着されるとき、頭皮の右の象限のうちの一方または双方に沿って位置し、各保持特徴は、再充電コイルを保持するように構成される、複数の保持特徴とを備える、医療システム。
【０２０４】
[0259]本技術の様々な態様は、医師もしくは患者プログラマ、電気刺激装置または他の装置等のプログラマにおいて具現化される、１つまたは複数のマイクロプロセッサ、ＤＳＰ、ＡＳＩＣ、ＦＰＧＡ、または他の同等の集積またはディスクリート論理回路、ならびにそのような構成要素の任意の組合せを含む、１つまたは複数のプロセッサ内で実施され得る。「プロセッサ」または「処理回路」という用語は、一般に、上記の論理回路部のうちの任意のものを単独で、または他の論理回路部、または任意の他の同等の回路との組合せにおいて指すことができる。１つまたは複数の例において、本開示に記載の機能は、ハードウェア、ソフトウェア、ファームウェア、またはそれらの任意の組合せで実施され得る。ソフトウェアで実施される場合、機能は、１つまたは複数の命令またはコードとして、コンピュータ可読媒体に記憶され、ハードウェアベースの処理ユニットによって実行され得る。コンピュータ可読媒体は、有形の非一時的媒体を形成するコンピュータ可読ストレージ媒体を含むことができる。命令は、１つまたは複数のＤＳＰ、ＡＳＩＣ、ＦＰＧＡ、汎用マイクロプロセッサ等のプロセッサ、または他の同等の集積またはディスクリート論理回路部によって実行され得る。したがって、「プロセッサ」または「処理回路部」という用語は、本明細書において用いられるとき、本明細書に記載の技法の実施に適した上記の構造のうちの任意のものまたは任意の他の構造のうちの１つまたは複数を指すことができる。加えて、いくつかの態様において、本明細書に記載の機能は、専用ハードウェアおよび／またはソフトウェアモジュール内に提供され得る。モジュールまたはユニットとしての様々な特徴の描写は、異なる機能的態様を強調することが意図され、必ずしも、そのようなモジュールまたはユニットが別個のハードウェアまたはソフトウェア構成要素によって実現されなくてはならないことを暗に意味するものではない。むしろ、１つまたは複数のモジュールまたはユニットに関連付けられた機能は、別個のハードウェアもしくはソフトウェア構成要素によって実行され得るか、または共通のもしくは別個のハードウェアもしくはソフトウェア構成要素内に一体化され得る。また、技法は、１つまたは複数の回路または論理要素において完全に実施され得る。本開示の技法は、ＩＭＤ、外部プログラマ、ＩＭＤおよび外部プログラマの組合せ、集積回路（ＩＣ）もしくはＩＣのセット、ならびに／またはＩＭＤおよび／もしくは外部プログラマに常駐するディスクリート電子回路部を含む、多岐にわたる装置または機械において実施され得る。
【図１Ａ】
2020512857.tif 000003
【図１Ｂ】
2020512857.tif 000004
【図１Ｃ】
2020512857.tif 000005
【図１Ｄ】
2020512857.tif 000006
【図２】
2020512857.tif 000007
【図３Ａ】
2020512857.tif 000008
【図３Ｂ】
2020512857.tif 000009
【図３Ｃ】
2020512857.tif 000010
【図３Ｄ】
2020512857.tif 000011
【図４Ａ】
2020512857.tif 000012
【図４Ｂ】
2020512857.tif 000013
【図４Ｃ】
2020512857.tif 000014
【図５】
2020512857.tif 000015
【図６Ａ】
2020512857.tif 000016
【図６Ｂ】
2020512857.tif 000017
【図６Ｃ】
2020512857.tif 000018
【図７Ａ】
2020512857.tif 000019
【図７Ｂ】
2020512857.tif 000020
【図７Ｃ】
2020512857.tif 000021
【図８Ａ】
2020512857.tif 000022
【図８Ｂ】
2020512857.tif 000023
【図９Ａ】
2020512857.tif 000024
【図９Ｂ】
2020512857.tif 000025
【図１０Ａ】
2020512857.tif 000026
【図１０Ｂ】
2020512857.tif 000027
【図１０Ｃ】
2020512857.tif 000028
【図１１Ａ】
2020512857.tif 000029
【図１１Ｂ】
2020512857.tif 000030
【図１１Ｃ】
2020512857.tif 000031
【図１２Ａ】
2020512857.tif 000032
【図１２Ｂ】
2020512857.tif 000033
【図１２Ｃ】
2020512857.tif 000034
【図１２Ｄ】
2020512857.tif 000035
【図１３Ａ】
2020512857.tif 000036
【図１３Ｂ】
2020512857.tif 000037
【図１３Ｃ】
2020512857.tif 000038
【図１４Ａ】
2020512857.tif 000039
【図１４Ｂ】
2020512857.tif 000040
【図１４Ｃ】
2020512857.tif 000041
【図１４Ｄ】
2020512857.tif 000042
【図１５Ａ】
2020512857.tif 000043
【図１５Ｂ】
2020512857.tif 000044
【図１５Ｃ】
2020512857.tif 000045
【図１５Ｄ】
2020512857.tif 000046
【図１６Ａ】
2020512857.tif 000047
【図１６Ｂ】
2020512857.tif 000048
【図１７Ａ】
2020512857.tif 000049
【図１７Ｂ】
2020512857.tif 000050
【図１７Ｃ】
2020512857.tif 000051
【図１７Ｄ】
2020512857.tif 000052
【図１７Ｅ】
2020512857.tif 000053
【図１７Ｆ】
2020512857.tif 000054
【図１７Ｇ】
2020512857.tif 000055
【図１７Ｈ】
2020512857.tif 000056
【図１８Ａ】
2020512857.tif 000057
【図１８Ｂ】
2020512857.tif 000058
【図１８Ｃ】
2020512857.tif 000059
【図１８Ｄ】
2020512857.tif 000060
【図１９Ａ】
2020512857.tif 000061
【図１９Ｂ】
2020512857.tif 000062
【図１９Ｃ】
2020512857.tif 000063
【図１９Ｄ】
2020512857.tif 000064
【図２０Ａ】
2020512857.tif 000065
【図２０Ｂ】
2020512857.tif 000066
【図２０Ｃ】
2020512857.tif 000067
【図２０Ｄ】
2020512857.tif 000068
【図２０Ｅ】
2020512857.tif 000069
【図２０Ｆ】
2020512857.tif 000070
【図２０Ｇ】
2020512857.tif 000071
【図２０Ｈ】
2020512857.tif 000072
【図２１Ａ】
2020512857.tif 000073
【図２１Ｂ】
2020512857.tif 000074
【図２１Ｃ】
2020512857.tif 000075
【図２１Ｄ】
2020512857.tif 000076
【図２１Ｅ】
2020512857.tif 000077
【図２１Ｆ】
2020512857.tif 000078
【図２２Ａ】
2020512857.tif 000079
【図２２Ｂ】
2020512857.tif 000080
【図２２Ｃ】
2020512857.tif 000081
【図２３Ａ】
2020512857.tif 000082
【図２３Ｂ】
2020512857.tif 000083
【図２３Ｃ】
2020512857.tif 000084
【図２３Ｄ】
2020512857.tif 000085
【図２４Ａ】
2020512857.tif 000086
【図２４Ｂ】
2020512857.tif 000087
【図２４Ｃ】
2020512857.tif 000088
【図２４Ｄ】
2020512857.tif 000089
【図２５Ａ】
2020512857.tif 000090
【図２５Ｂ】
2020512857.tif 000091
【図２５Ｃ】
2020512857.tif 000092
【図２５Ｄ】
2020512857.tif 000093
【図２５Ｅ】
2020512857.tif 000094
【図２５Ｆ】
2020512857.tif 000095
【図２５Ｇ】
2020512857.tif 000096
【図２５Ｈ】
2020512857.tif 000097
【図２６Ａ】
2020512857.tif 000098
【図２６Ｂ】
2020512857.tif 000099
【図２７Ａ−２７Ｂ】
2020512857.tif 000100
【図２７Ｃ】
2020512857.tif 000101
【図２７Ｄ】
2020512857.tif 000102
【図２８Ａ】
2020512857.tif 000103
【図２８Ｂ】
2020512857.tif 000104
【図２８Ｃ−２８Ｄ】
2020512857.tif 000105
【図２８Ｅ】
2020512857.tif 000106
【図２９Ａ】
2020512857.tif 000107
【図２９Ｂ】
2020512857.tif 000108
【図２９Ｃ】
2020512857.tif 000109
【図２９Ｄ】
2020512857.tif 000110
【図２９Ｅ】
2020512857.tif 000111
【図３０Ａ】
2020512857.tif 000112
【図３０Ｂ】
2020512857.tif 000113
【図３０Ｃ】
2020512857.tif 000114
【図３０Ｄ】
2020512857.tif 000115
【図３１Ａ】
2020512857.tif 000116
【図３１Ｂ】
2020512857.tif 000117
【図３１Ｃ】
2020512857.tif 000118
【図３２Ａ】
2020512857.tif 000119
【図３２Ｂ】
2020512857.tif 000120
【図３３Ａ】
2020512857.tif 000121
【図３３Ｂ】
2020512857.tif 000122
【図３３Ｃ】
2020512857.tif 000123
【図３３Ｄ】
2020512857.tif 000124
【図３４Ａ】
2020512857.tif 000125
【図３４Ｂ】
2020512857.tif 000126
【図３４Ｃ】
2020512857.tif 000127
【国際調査報告】
2020512857.tif 000128
2020512857.tif 000129
2020512857.tif 000130